(57)【要約】【課題】　記録媒体に画像データと共に、その画像のプリント枚数、色指定等のプリント制御データをも記録することができるようにする。【解決手段】　システムコントローラ１０６は、ストレージ部１０５において記録媒体から得られるモニタ表示用の中間解像度画像データに対して圧縮伸張処理ブロック１０４により画像処理を施し、上記圧縮伸張処理ブロック１０４によって施された画像処理を示す制御データを生成し、上記制御データをプリント用の高解像度画像データと関連付けて、ストレージ部１０５において、上記中間解像度画像ファイル及び高解像度画像ファイルとは異なる制御データファイルとして上記記録媒体に記録する制御を行う。【選択図】　　　　図４０
2004040829.tif 000002
【特許請求の範囲】
【請求項１】
　記録媒体から得られた画像データを制御する携帯用画像制御装置において、
　上記記録媒体は、第１の解像度データを含んだ第１の画像ファイルと、上記第１の解像度より高解像度となる第２の解像度の画像データを含み上記第１の画像ファイルと関連付けられた第２の画像ファイルとを有し、
　上記携帯用画像制御装置は、上記記録媒体から再生された上記第１の画像データに対して所望の画像処理を施す画像処理手段と、上記画像処理手段によって上記第１の画像データに対して施された画像処理を示すための制御データを生成する制御データ生成手段と、上記制御データ生成手段によって生成された制御データを、上記第２の画像ファイルと関連付けて、上記第１の画像ファイル及び第２の画像ファイルとは異なる制御データファイルとして上記記録媒体に記録する記録手段とを有することを特徴とする携帯用画像制御装置。
【請求項２】
　画像データを入力する為の画像入力部を有することを特徴とする請求項１記載の携帯用画像制御装置。
【請求項３】
　上記第１の解像度データを表示するための表示部を有することを特徴とする請求項１記載の携帯用画像制御装置。
【請求項４】
　上記記録媒体に記録される上記制御データは、上記記録媒体が外部装置に装着された際に上記外部装置を制御するためのデータであることを特徴とする請求項１記載の携帯用画像制御装置。
【請求項５】
　上記制御データ生成手段は、上記外部装置において上記記録媒体から得られた上記制御データに基づいて画像処理された第２の画像データの画像処理状態が、上記画像処理手段において画像処理された第１の画像データの画像処理状態と一致するように上記制御データを生成することを特徴とする請求項１記載の携帯用画像制御装置。
【請求項６】
　上記記録媒体は、ディレクトリと上記ディレクトリの下位に形成されたサブディレクトリとから成る階層ディレクトリ構造を有し、
　上記記録手段は、上記制御データファイルを、上記第１の画像ファイル又は上記第２の画像ファイルを含むサブディレクトリとは異なるサブディレクトリとして形成された制御ディレクトリの中に記録することを特徴とする請求項１記載の携帯用画像制御装置。
【請求項７】
　上記制御ディレクトリには、上記制御ディレクトリの中に含まれる全ての制御データファイルを管理するための制御データ管理ファイルが設けられることを特徴とする請求項６記載の携帯用画像制御装置。
【請求項８】
　上記記録媒体は、上記第１の画像ファイル、上記第２の画像ファイル、上記制御データファイル及び上記制御データ管理ファイルを記録するために上記階層ディレクトリ構造とされた第１のエリアと、上記第１のエリアの記録状況を上記記録媒体の記録単位で管理する管理情報テーブルが記録された第２のエリアとから構成され、
　上記記録手段は、上記制御データ管理ファイルに基づいて上記制御データを記録するための上記制御データファイルを指定し、上記管理情報テーブルに基づいて上記制御データを含んだ上記制御データファイルを上記第１のエリアに記録することを特徴とする請求項７記載の携帯用画像制御装置。
【請求項９】
　上記記録媒体は、上記第１の画像ファイル、上記第２の画像ファイル、上記制御データファイル及び上記制御データ管理ファイルを記録するために上記階層ディレクトリ構造とされた第１のエリアと、上記第１のエリアの記録状況を上記記録媒体の記録単位で管理する管理情報テーブルが記録された第２のエリアとから構成され、
　上記記録手段は、上記制御データ管理ファイルに基づいて上記制御データを記録するための上記制御データファイルを指定し、上記管理情報テーブルに基づいて上記制御データを含んだ上記制御データファイルを上記第１のエリアに記録することを特徴とする請求項７記載の携帯用画像制御装置。
【請求項１０】
　上記外部装置は、上記第２の画像データ及び上記制御データを再生する再生手段と、上記制御データに基づいて上記第２の画像データをプリントアウトするプリント手段とを有し、
　上記制御データは、上記プリント手段を制御するプリント制御データを有し、上記制御データファイルは、上記プリント制御データを含むプリントデータファイルを有することを特徴とする請求項４記載の携帯用画像制御装置。
【請求項１１】
　上記プリント制御データは、上記第２の画像ファイルのヘッダに記録された付加情報テーブルに基づく付加情報を、上記第２の画像データと共にプリントアウトするか否かを示す付加情報識別データを含み、
　上記再生手段により、上記制御データに基づいて第２の画像データを再生すると共に、上記付加情報識別データに基づいて上記第２の画像ファイルから上記付加情報を再生し、上記プリント手段により、上記第２の画像データに上記付加情報を重畳してプリントアウトすることを特徴とする請求項１０記載の携帯用画像制御装置。
【請求項１２】
　上記付加情報は、上記第２の画像ファイルのファイル名であることを特徴とする請求項１１記載の携帯用画像制御装置。
【請求項１３】
　上記プリント制御データは、上記第２の画像データを上記プリント手 段でプリントアウトする際のプリント領域を指定するトリミングデータを含むことを特徴とする請求項１０記載の携帯用画像制御装置。
【請求項１４】
　上記プリント制御データは、上記第２の画像データを上記プリント手段でプリントアウトする際の色調を指定する色調整データを含む請求項８記載の携帯用画像制御装置。
【発明の詳細な説明】
【技術分野】
【０００１】
　本発明は、例えばネガフィルムや写真等から画像を読み取って形成された静止画像情報や、カメラ装置，ビデオテープレコーダ装置，モニタ装置等からの静止画像情報を記録再生しプリントする静止画像システムに関し、特に、記録媒体から得られた画像データを制御する携帯用画像制御装置に関する。
【背景技術】
【０００２】
　今日において、プリントされた静止画像を入手する方式としては、例えば３５ｍｍの写真用フィルムを装着したカメラ装置を用いて被写体の撮像を行い、この撮像済みの写真用フィルムを店舗に持参して現像及びプリントを指定することにより、現像されたネガフィルム及び撮像した被写体のプリントされた写真を得るのが一般的である。
【０００３】
　しかし、このような静止画像の入手方式においては、ユーザが撮像済みフィルムを店舗に持参した際に、プリント枚数を指定する必要があり大変面倒であった。また、所望の写真の焼き増しを行う際には、持参したネガフィルムにサインペン等で印を付けて所望の画像を指定するのであるが、該印の付け間違い等により焼き増しされた写真が指定したものではないという不都合を生ずる場合も多々生じていた。また、例えば赤色を強く出した写真を得たい等の「色指定」を行う際には、画像を指定しその画像の赤色を強く出したい部分を指定することにより、所望の色合いの写真を得ることもできるのであるが、この色指定はユーザの主観的なものであるため、出来上がった写真が所望の色合いとはならない不都合を生じていた。
【０００４】
　また、フィルムを現像する現像装置及び該現像されたフィルムからプリントを行うプリント装置は大変高価なものであるため、通常これらの装置はユーザが撮像済みフィルムを持参する店舗には設置されておらず、専門に現像等を行う現像所に設置されている。このため、店舗側は、ユーザから撮像済みフィルムを受け取ると、上述のプリント枚数，色指定等のユーザのリクエストと共に該撮像済みフィルムを現像所に送る。現像所は、店舗側から受け取った撮像済みフィルムを現像してネガフィルムを形成すると共に、このネガフィルムに基づいてユーザのリクエストに応じた写真を形成し、これらを店舗に送り返す。そして、ユーザは店舗側からネガフィルム及び写真を受け取るようになっている。従って、従来、静止画像を入手する場合、ユーザ，店舗，現像所の３つの間をフィルム等が行き交うこととなり、入手経路が複雑であるうえ、上記リクエストも正確に伝わらないという不都合を生じていた。
【０００５】
　一方、従来より、「低解像度インデックス・イメージ・データを有するイメージ・データベース」が知られている（例えば特許文献１参照）。このイメージ・データベースは、画像データを１度のみ書き込み可能なデジタルデータ記録媒体に記録し、この光ディスクに記録された画像データに基づいてプリントを行うことにより、静止画像を得ることができるものである。
【０００６】
【特許文献１】特表平５−５０１９３２号公報（国際公開番号：ＷＯ９２／０５５０４号）
【発明の開示】
【発明が解決しようとする課題】
【０００７】
　しかし、上記イメージ・データベースは、記録媒体として１回のみ記録可能な光ディスク（いわゆる、ライトワンスディスク）を用いており、ディスクに一旦記録されたデータを書き換えることはできない。このため、このイメージ・データベースを使用したシステムでは、店舗側において光ディスク上に画像データを記録し、ユーザ側においてその画像データを再生するだけのシステムとなっている。従って、このシステムにおいても、プリント枚数，色指定等のユーザのリクエストはプリントの際に口頭で行う必要があり、従来からある静止画像の入手方式に代わる新たな方式を提供するには至らない。
本発明は、このような実情に鑑みてなされたものであり、従来の静止画像の入手方式に代わる新たな静止画像の制御システムを実現する携帯用画像制御装置の提供を目的とするものである。
【課題を解決するための手段】
【０００８】
　本発明は、記録媒体から得られた画像データを制御する携帯用画像制御装置において、上記記録媒体は、第１の解像度データを含んだ第１の画像ファイルと、上記第１の解像度より高解像度となる第２の解像度の画像データを含み上記第１の画像ファイルと関連付けられた第２の画像ファイルとを有し、上記携帯用画像制御装置は、上記記録媒体から再生された上記第１の画像データに対して所望の画像処理を施す画像処理手段と、上記画像処理手段によって上記第１の画像データに対して施された画像処理を示すための制御データを生成する制御データ生成手段と、上記制御データ生成手段によって生成された制御データを、上記第２の画像ファイルと関連付けて、上記第１の画像ファイル及び第２の画像ファイルとは異なる制御データファイルとして上記記録媒体に記録する記録手段とを有することを特徴とする。
【発明の効果】
【０００９】
　本発明に係る携帯用画像制御装置において、上記第１の画像ファイルは、第１の解像度の画像データとしての、例えばモニタ表示用の中間解像度画像データを含む中間解像度画像ファイルデータであり、また、第２の画像ファイルは、第２の解像度の画像データとしてのプリント用の高解像度画像データを含む高解像度画像ファイルとなっている。
【００１０】
　このような各画像データを制御する上記携帯用画像制御装置では、上記記録媒体から再生された上記第１の画像データに対して、画像処理手段により所望の画像処理が施されると、制御データ生成手段が、この第１の画像データ（中間解像度画像データ）に対して施された画像処理を示す制御データとしての例えばプリント制御データを生成する。そして、記録手段が、上記制御データ生成手段により生成された制御データを、上記第２の画像データ（高解像度画像データ）と関連付けて、上記第１，第２のファイルとは異なる制御データファイルであるプリントデータファイルとして上記記録媒体に記録する。
【００１１】
　これにより、少なくともモニタ表示用の中間解像度画像データ及びプリンタ用の高解像度画像データと共に、プリント動作を制御するためのプリント制御データを記録した記録媒体を形成することができる。このため、プリント枚数，色指定等のリクエストは、上記記録媒体を再生するだけで認識することができ、プリントの際に、該リクエストを口頭等で行う必要がなく利便性の向上を図ることができる。
【００１２】
　また、ユーザがこの記録媒体を持ち、プリンタ装置が接続された当該画像制御装置を店舗側が持つことにより、記録媒体を持参したユーザがプリントに関するリクエストを口頭等でしなくとも、店舗側では該持参された記録媒体を再生することによりこれを認識してプリントアウトを行うことができる。このため、リクエストの聞き間違い等によるプリントミスを防止することができるうえ、静止画像の入手方式として、「現像所」を必要としない簡略化された入手方式を提供することができる。このため、静止画像を入手する方式と全く新規な入手方式を実現することができる。
【発明を実施するための最良の形態】
【００１３】
　以下、本発明を実施するための最良の形態について図面を参照しながら詳細に説明する。
【００１４】
　まず、本発明は、例えば図１に示すような静止画像システムに適用することができる。
【００１５】
　１．［静止画像システムの構成］
　この静止画像システムは、フィルムや写真等から画像の読み取りを行うスキャナ部１と、当該静止画像システムで取り込み或いは記録した画像データに応じた静止画像をプリントするプリンタ部２と、当該静止画像システムで取り込んだ画像データからプリント用の高解像度画像データ，モニタ表示用の中間解像度画像データ及びインデックス表示用の低解像度画像データを形成する画像処理ブロック３とを有している。上記画像処理ブロック３には、ビデオテープレコーダ装置やカメラ装置等の他の映像機器からの画像データを取り込むビデオ入力部８と、当該画像処理ブロック３を介した画像データに応じた静止画像が表示されるモニタ装置９とがそれぞれ接続されている。
【００１６】
　また、当該静止画像システムは、当該静止画像システムに取り込んだ画像データに間引き，圧縮伸張処理を施す間引き圧縮伸張処理ブロック４と、上記各解像度の画像データを、当該静止画像システムに記録媒体として設けられている光ディスクに記録し再生するストレージ部５と、当該静止画像システム全体の制御を行うシステムコントローラ６とを有している。上記システムコントローラ６には、後に説明するが、画像データを再生順に並べ換えて上記光ディスクに記録する際に該光ディスクから読み出した画像データを一旦記憶するランダムアクセスメモリ（ＲＡＭ）６ａが設けられている。また、このシステムコントローラ６には、上記画像データの取り込み，記録，再生，プリント等を指定するための操作部１０が接続されている。
【００１７】
　そして、当該静止画像システムは、上記スキャナ部１，プリンタ部２，画像処理ブロック３，間引き，圧縮伸張処理ブロック４，ストレージ部５及びシステムコントローラ６を、それぞれバスライン７を介して接続することにより構成されている。
【００１８】
　１−１［スキャナ部の構成］
　上記スキャナ部１は、図２に示すようにネガフィルム，ポジフィルム，写真等に記録されている静止画像を読み取るＣＣＤイメージセンサ１ａと、該ＣＣＤイメージセンサ１ａからアナログ信号として供給される画像信号をデジタル変換して画像データを形成するＡ／Ｄ変換器１ｂと、該Ａ／Ｄ変換器１ｂからの画像データにシェーディング補正や色マスキング補正等の補正処理を施す補正部１ｃと、上記バスライン７に接続されたインターフェース１ｄとで構成されている。
【００１９】
　１−２［プリンタ部の構成］
　上記プリンタ部２は、図３に示すように上記バスライン７に接続されたインターフェース２ａと、供給される画像データをプリントに適したデータ変換処理施すデータ変換回路２ｂと、上記データ変換回路２ｂからの画像データに応じた静止画像をプリンタ用紙２ｄにプリントするサーマルヘッド２ｃとで構成されている。このプリンタ部におけるプリント動作は、プリント枚数，色合い等を制御するための後に説明するプリント制御データに応じて制御されるようになっている。
【００２０】
　１−３［画像処理ブロックの構成］
　上記画像処理ブロック３は、図４に示すように当該静止画像システムに取り込まれた画像データを一旦記憶するメインメモリ１１ａ及び上記スキャナ部１或いはビデオ入力部８等を介して取り込まれた画像データを一旦記憶するビデオメモリ１１ｂからなるフレームメモリ１１と、上記メインメモリ１１ａに記憶された画像データに対して拡大処理や縮小処理等の画像処理を施す画像処理回路１２とを有している。また、上記フレームメモリ１１を制御するメモリコントローラ１３と、上記画像処理回路１２における画像処理動作を制御する画像処理コントローラ１４と、上記バスライン７に接続されたインターフェース１５とを有している。
【００２１】
　上記フレームメモリ１１は、赤色（Ｒ）の画像データが読み書きされるＲ用フレームメモリ，緑色（Ｇ）の画像データが読み書きされるＧ用フレームメモリ及び青色（Ｂ）の画像データが読み書きされるＢ用フレームメモリで構成されている。
【００２２】
　上記各色用フレームメモリは、論理的には、例えば縦×横×深さが１０２４画素×１０２４画素×４ビットで計４Ｍビットの記憶領域を有する４つのＤＲＡＭ（Dynamic ＲＡＭ）を深さ方向に２段積層し、計８つのＤＲＡＭで２０４８×２０４８×８ビットの記憶領域を有するように構成されている。また、上記フレームメモリ１１は、論理的には、上記２０４８×２０４８×８ビットの記憶領域を有する各色用のフレームメモリを、それぞれ深さ方向に例えばＲＧＢの順で積層して構成されている。このため、上記フレームメモリ１１は、２０４８×２０４８×２４ビットの記憶領域を有することとなる。
【００２３】
　１−４［間引き，圧縮伸張処理ブロックの構成］
　上記間引き，圧縮伸張処理ブロック４は、図５に示すように上記バスライン７に接続されたインターフェース４ａと、上記インターフェース４ａを介して供給される高解像度画像データを一旦記憶するバッファ４ｂと、上記バッファ４ｂからの高解像度画像データを１／４に間引き処理することより中間解像度画像データを形成する１／４間引き回路４ｃと、上記１／４間引き回路４ｃからの中間解像度画像データを一旦記憶するバッファメモリ（バッファ）４ｄとを有している。また、上記バッファ４ｄから読み出された中間解像度画像データを１／６０に間引き処理することにより低解像度画像データを形成する１／６０間引き回路４ｅと、上記バッファ４ｂからの高解像度画像データ，上記１／４間引き回路４ｃからの中間解像度画像データ及び上記１／６０間引き回路４ｅからの低解像度画像データをそれぞれ選択して出力するセレクタ４ｆとを有している。また、上記セレクタ４ｆにより選択された各画像データを、圧縮処理に適した所定画素単位のブロックに分割するラスタ−ブロック変換回路４ｇと、上記ラスタ−ブロック変換回路４ｇによりブロック化された画像データに固定長符号化処理を施す圧縮伸張回路４ｈと、当該間引き，圧縮伸張処理ブロック４における間引き，圧縮伸張処理動作を制御する間引き，圧縮伸張コントローラ４ｉとを有している。
【００２４】
　１−５［ストレージ部の構成］
　上記ストレージ部５は、図６に示すように上記バスライン７に接続されたインターフェース５ａと、上記間引き，圧縮伸張処理ブロック４からの各解像度の画像データに対して８−１４変調処理を施すＥＦＭ回路５ｂと、上記ＥＦＭ回路５ｂからの画像データを光ディスク２０に記録し再生するディスク記録再生部５ｃと、当該ストレージ部５全体の動作を制御するストレージ部コントローラ５ｄとで構成されている。
【００２５】
　１−６［ビデオ入力部の構成］
　上記ビデオ入力部８は、図７に示すようにコンポジットビデオ信号用の入力端子８ａと、Ｙ（輝度）／Ｃ（クロマ）セパレートのフォーマットで供給されるビデオ信号用の入力端子８ｂと、ＲＧＢのフォーマットで供給されるビデオ信号用の入力端子８ｃと、上記各入力端子８ａ〜８ｃを介して供給される各フォーマットのビデオ信号に対して当該静止画像システムに適した画像サイズに変換する処理を施すビデオ処理部８ｄと、上記ビデオ処理部８ｄからアナログ信号として供給される各ビデオ信号をデジタルデータに変換して各画像データを形成するＡ／Ｄ変換器８ｅとで構成されている。
【００２６】
　１−７［操作部の構成］
　上記操作部１０は、図８に示すような外観を有しており、その表面パネルには、ディスク挿入口３０と、液晶表示板により形成された表示部２６とを有している。また、上記操作部１０は、ストレージ部５のメイン電源を投入するための電源キー３１と、上記ディスク挿入口３０を介して挿入した上記光ディスク２０の取り出しを指定するイジェクトキー３２と、ディスク内のアルバム選択を行うためのアルバムキー３３とを有している。
【００２７】
　また、上記操作部１０は、ディスク名，アルバム名等の表示を指定するためのディスクキー３４と、画像名，キーワード，記録日時等の表示を指定するためのイメージキー３５と、現在の日付，時間等の表示を指定するためのクロックキー３６と、指定されたアルバムの画像を記録順に自動的に再生或いは指定された各アルバムの画像を指定順に自動的に再生するオートプレイを指定するためのオートプレイキー３７とを有している。
【００２８】
　また、上記操作部１０は、選択されたアルバムを構成する例えば２５枚の画像を１画面で表示する第１のインデックス表示を指定するための第１のインデックスキー３８ａと、各アルバムの最初の画像のみを１画面で表示する第２のインデックス表示を指定するための第２のインデックスキー３８ｂと、各アルバムの最初から数枚目までの画像を１画面で表示する第３のインデックス表示を指定するための第３のインデックスキー３８ｃと、所定枚数おきに再生した各アルバムの画像を１画面で表示する第４のインデックス表示を指定するための第４のインデックスキー３８ｄとを有している。
【００２９】
　また、上記部操作部１０は、各アルバムの先頭の画像のみを１枚ずつ表示して所望のアルバムの検索を行う第１のアルバムサーチ表示を指定するための第１のアルバムサーチキー５６と、各アルバムの先頭から数枚目までの画像を１枚ずつ表示して所望のアルバムの検索を行う第２のアルバムサーチ表示を指定するための第２のアルバムサーチキー５７と、現在の画像の１つ前の画像の再生を指定するための戻しキー３９と、現在の画像の１つ後の画像の再生を指定するための送りキー４０と、画像の再生を指定するための再生キー４１と、記録再生の停止を指定するための停止キー４２とを有している。
【００３０】
　また、上記操作部１０は、上記オートプレイの一時停止を指定するための一時停止キー４３と、画像の記録を指定するための記録指定キー４４と、記録時に点灯するＲＥＣインジケータ４５と、編集時等に点灯する編集インジケータ４６と、所望の画像を当該アルバム内の所望の位置或いは他のアルバムの所望の位置に移動させる場合に用いるムーブキー４７とを有している。
【００３１】
　また、上記操作部１０は、記録されている画像の消去を指定するためのイレースキー４８と、上記ムーブキー４７を用いて所望の画像を当該アルバム内或いは他のアルバムに移動する際に、該所望の画像の指定に用いるエンターキー４９と、数字入力或いは文字入力の際に用いるテンキー５０と、上記テンキー５０により入力された数字或いは文字等の消去を指定するためのクリアキー５１とを有している。
【００３２】
　以上の各キー３１〜５１は、使用頻度が高いものであるため、全て上記表面パネルに露出した状態で設けられている。
【００３３】
　さらに、上記操作部１０は、所望の画像の検索を指定するための検索キー５２と、アルバム名，画像名等の記録を指定するためのライトキー５３と、入力する文字等を指定するための十字キー５４と、上記十字キー５４により指定された文字等の記録を指定するためのＥＸＥＣキー５５とを有している。
【００３４】
　これら各キー５２〜５５は、アルバム名，画像名の記録時等、特殊な用途に用いられるため普段は表面カバーで隠されており、ユーザが、必要に応じて上記表面カバーを開けて用いるようになっている。
【００３５】
　２．［記録動作の概要］
　次に、このような構成を有する静止画像システムの第１の記録動作の説明をする。
【００３６】
　まず、所望の画像データを上記ストレージ部５の光ディスク２０に記録する場合、ユーザは、上記操作部１０を操作して画像データの取り込み先（スキャナ部１或いはビデオ入力部８）を指定すると共に、取り込んだ画像データの出力先を上記ストレージ部５に設定する。これにより、上記システムコントローラ６が、スキャナ部１或いはビデオ入力部８を動作状態に制御する。
【００３７】
　２−１［スキャナ部の動作説明］
　上記スキャナ部１は、反射原稿，透過原稿の両方の画像が読み取り可能となっている。具体的には、上記スキャナ部１は、例えば上記反射原稿としてＥサイズの写真，Ｌサイズの写真，Ａ６サイズの写真の読み取りが可能となっており、また、上記透過原稿として３５ｍｍ，ブローニサイズのネガフィルムの読み取りが可能となっている。なお、上記スキャナ部１は、上記反射原稿として、上記３５ｍｍ，ブローニサイズのネガフィルムをそのままのサイズでプリントした原稿の読み取りも可能となっている。
【００３８】
　上記スキャナ部１は、上記フィルム，写真等が原稿読み取り台に載置されると、この原稿を図２に示すＣＣＤラインセンサ１ａを走査して読み取る。上記ＣＣＤラインセンサ１ａは、上記読み取った画像に対応する画像信号を形成し、これをＡ／Ｄ変換器１ｂに供給する。上記Ａ／Ｄ変換器１ｂは、上記ＣＣＤラインセンサ１ａから供給される画像信号をデジタル化することにより画像データを形成し、これを補正部１ｃに供給する。上記補正部１ｃは、例えば上記３５ｍｍフィルムから画像の読み取りを行った場合、この画像データを縦×横のサイズが１２００画素×１７００画素のサイズの画像データに補正して出力する。
【００３９】
　また、上記スキャナ部１は、読み取り原稿がブローニサイズのフィルム，Ｅサイズの写真，Ｌサイズの写真，Ａ６サイズの写真の場合、それぞれ１２９８画素×９７５〜１８７５画素，１０５０×１４５０画素，１１２０画素×１５７５画素，１３２５画素×１８２５画素のサイズの画像データに補正して出力する。
【００４０】
　２−２［ビデオ入力部の動作説明］
　上記ビデオ入力部８は、図７に示すように例えばビデオテープレコーダ装置等からのコンポジットビデオ信号，Ｙ（輝度）／Ｃ（クロマ）セパレートのフォーマットで供給されるビデオ信号，ＲＧＢのフォーマットで供給されるビデオ信号の３つのフォーマットのビデオ信号の入力が可能となっており、これらのビデオ信号は、それぞれ入力端子８ａ〜８ｃを介してビデオ処理部８ｄに供給される。
【００４１】
　上記ビデオ処理部８ｄは、上記各フォーマットのビデオ信号の画素を正方格子の画素とすると共に、画像サイズを４８０画素×６４０画素とし、これをＡ／Ｄ変換器８ｅに供給する。上記Ａ／Ｄ変換器８ｅは、上記ビデオ信号をデジタル化することにより上記各フォーマットのビデオ信号に対応した画像データを形成し、これを出力端子８ｆを介して出力する。
【００４２】
　２−３［画像処理ブロックの動作説明］
　上記スキャナ部１或いはビデオ入力部８により形成された画像データは、例えば縦×横が１０２４画素×１５３６画素の高解像度画像データであり、上記図４に示す画像処理ブロック３の入力端子１８を介してフレームメモリ１１内のビデオメモリ１１ｂに供給される。
【００４３】
　上記メモリコントローラ１３は、上記ビデオメモリ１１ｂに高解像度画像データが供給されると、これを一旦記憶すると共に、この記憶された高解像度画像データを読み出すように該ビデオメモリ１１ｂを書き込み制御及び読み出し制御する。この高解像度画像データは、データライン１７，インターフェース１５，バスライン７及びデータライン１６を順に介して間引き，圧縮伸張処理ブロック４に転送されると共に、メインメモリ１１ａに転送される。上記メモリコントローラ１３は、このメインメモリ１１ａに転送された高解像度画像データを一旦記憶するように、該メインメモリ１１ａを書き込み制御する。
【００４４】
　次に、上記メインメモリ１１ａに高解像度画像データが記憶されると、画像処理コントローラ１４は、この高解像度画像データを例えば４８０画素×６４０画素のモニタ表示用の中間解像度画像データに変換するように画像処理回路１２及びメモリコントローラ１３を制御する。これにより、上記メモリコントローラ１３の読み出し制御によりメインメモリ１１ａから高解像度画像データが読み出され画像処理回路１２に供給される。そして、上記画像処理回路１２により、上記高解像度画像データが中間解像度画像データに変換され、データライン１６，インターフェース１５，バスライン７及びデータライン１７を順に介してビデオメモリ１１ｂに供給される。メモリコントローラ１３は、上記ビデオメモリ１１ｂに中間解像度画像データが供給されると、これを一旦記憶するように該ビデオメモリ１１ｂを書き込み制御すると共に、これを読み出すように該ビデオメモリ１１ｂを読み出し制御する。これにより、上記ビデオメモリ１１ｂに記憶された中間解像度画像データが読み出され、出力端子１９を介して図１に示すモニタ装置９に供給される。
【００４５】
　このモニタ装置９に供給された中間解像度画像データは、Ｄ／Ａ変換器によりアナログ化され中間解像度のモニタ表示用の画像信号とされる。これにより、上記スキャナ部１或いはビデオ入力部８により取り込まれた画像が上記モニタ装置９に表示されることとなる。
【００４６】
　なお、上記図４に示す画像処理コントローラ１４は、上記操作部１０が操作されることにより、上記スキャナ部１或いはビデオ入力部８により取り込まれた画像の拡大処理，縮小処理等の画像処理が指定されている場合は、上記メインメモリ１１ａから読み出された画像データに、上記指定された画像処理が施されるように画像処理回路１２を制御する。この画像処理回路１２により指定の画像処理が施された画像データは、上記モニタ装置９に供給される。これにより、上記指定の画像処理が施された画像が上記モニタ装置９に表示される。また、画像処理コントローラ１４は、上記画像データに施した画像処理を示すデータ（画像加工情報）を、上記インターフェース１５及びバスライン７を介して上記間引き，圧縮伸張処理ブロック４に供給する。
【００４７】
　２−４［間引き，圧縮伸張処理ブロックの動作説明］
　次に、ユーザは、上記モニタ装置９に表示される画像により、その画像が所望のものであるか否かを確認し、該画像が所望のものであった場合は、図８に示す操作部１０の記録指定キー４４を操作して上記モニタ装置９に表示された画像の記録を指定する。
【００４８】
　上記図１に示すシステムコントローラ６は、上記記録指定キー４４がオン操作されるとこれを検出し、該記録の指定がなされたことを示すデータ及び上記画像加工情報がある場合はこれをバスライン７及び図５に示すインターフェース４ａを介して間引き，圧縮伸張処理ブロック４の間引き，圧縮伸張コントローラ４ｉに供給する。
【００４９】
　上記間引き，圧縮伸張コントローラ４ｉは、上記画像加工情報がある場合はこれを一旦記憶すると共に、上記高解像度画像データの取り込みを行うようにインターフェース４ａを制御する。上記高解像度画像データは、上記インターフェース４ａを介して当該間引き，圧縮伸張処理ブロック内に取り込まれると、バッファ４ｂに一旦記憶される。上記バッファ４ｂに高解像度画像データが記憶されると、上記間引き，圧縮伸張コントローラ４ｉは、上記高解像度画像データを、例えばライン毎に１／４間引き回路４ｃ及びセレクタ４ｆに供給するように該バッファ４ｂを読み出し制御する。
【００５０】
　上記１／４間引き回路４ｃは、上記高解像度画像データの画素を１／４とするような間引き処理を施すことにより、４８０画素×６４０画素の中間解像度画像データを形成し、これをメモリ４ｄに供給する。上記間引き，圧縮伸張コントローラ４ｉは、上記メモリ４ｄに中間解像度画像データが供給されるとこれを一旦記憶し読み出すように該メモリ４ｄを制御する。このメモリ４ｄから読み出された中間解像度画像データは、１／６０間引き回路４ｅ及びセレクタ４ｆに供給される。
【００５１】
　上記１／６０間引き回路４ｅは、上記メモリ４ｄから読み出された中間解像度画像データの画素を１／６０とするような間引き処理を施すことにより、６０画素×８０画素の低解像度画像データ（インデックス用画像データ）を形成し、これをセレクタ４ｆに供給する。
【００５２】
　上記セレクタ４ｆは、間引き，圧縮伸張コントローラ４ｉにより切り換え制御されている。すなわち、上記間引き，圧縮伸張コントローラ４ｉは、例えば上記セレクタ４ｆに供給される各解像度の画像データを、高解像度画像データ，中間解像度画像データ，低解像度画像データの順に選択して出力するように該セレクタ４ｆを切り換え制御する。上記セレクタ４ｆからの各解像度の画像データは、ラスタ−ブロック変換回路４ｇに供給される。
【００５３】
　ラスタ−ブロック変換回路４ｇは、上記各画像データを圧縮符号化の処理単位である、例えば８画素×８画素の処理ブロック単位に分割し、これを圧縮伸張回路４ｈに供給する。
【００５４】
　ここで、上記各解像度の画像データはラスタ−ブロック変換回路４ｇにおいて、８画素×８画素の処理ブロック単位に分割されるわけであるが、上記低解像度画像データは、６０画素×８０画素の画像サイズである。このため、この低解像度画像データを８画素×８画素の処理ブロック単位に分割しようとすると、縦方向の画素が８画素で割り切れないことから（６０画素÷８画素＝７．５画素）、当該低解像度画像データを８画素×８画素の処理ブロック単位で分割することはできない。このようなことから、上記ラスタ−ブロック変換回路４ｇは、上記低解像度画像データが供給されると、該画像データの上段或いは下段に４画素×８０画素のダミーデータを付加することにより、上記６０画素×８０画素の低解像度画像データを、６４画素×８０画素の低解像度画像データとする。そして、これにより縦方向の画素が８画素で割り切れることから、上記６４画素×８０画素の低解像度画像データを８処理ブロック×１０処理ブロックに分割して圧縮伸張回路４ｈに供給する。なお、上記ダミーデータは、インデックス表示の際に除去されるようになっており、該ダミーデータに係る画像（例えば黒画像や白画像）がインデックス画像に付加されて表示されることはない。
【００５５】
　上記圧縮伸張回路４ｈは、ディスクリート・コサイン・変換回路（ＤＣＴ回路）と、量子化回路と、固定長符号化回路とで構成されており、上記各解像度の画像データは、まず、上記ＤＣＴ回路に供給される。
【００５６】
　上記ＤＣＴ回路は、上記各解像度の画像データを周波数軸上に変換してＤＣＴ係数を形成する直交変換処理を行い、この直交変換処理を施した各解像度の画像データをそれぞれ量子化回路に供給する。
【００５７】
　上記量子化回路は、例えば上記システムコントローラ６により設定された適当な量子化係数を用いて上記各解像度の画像データを量子化処理し、これらを上記固定長符号化回路に供給する。
【００５８】
　上記固定長符号化回路は、上記適当な量子化係数で量子化された各解像度の画像データのＤＣＴ係数を固定長符号化処理し、この固定長符号化処理の結果を上記間引き，圧縮伸張コントローラ４ｉに帰還する。上記間引き，圧縮伸張コントローラ４ｉは、上記固定長符号化処理の結果に応じて、その画像データを量子化するのに最適な量子化係数を形成し、これを上記量子化回路に供給する。上記量子化回路は、上記２度目に設定された最適な量子化係数を用いて上記画像データの量子化を行い、これを上記固定長符号化回路に供給する。これにより、上記固定長符号化回路において、各解像度の画像データを所定のデータ長となるように固定長化することができる。
【００５９】
　具体的には、このような圧縮符号化処理により、上記中間解像度画像データは、１記録単位である１クラスタの２倍の２クラスタのデータ長に固定長符号化処理され、上記高解像度画像データは８クラスタのデータ長に固定長符号化処理され、上記低解像度画像データは、１／１５クラスタのデータ長に固定長符号化処理される。このように固定長符号化された各解像度の画像データは、それぞれインターフェース４ａ及びバスライン７を介して図６に示すストレージ部５に供給される。また、上記間引き，圧縮伸張コントローラ４ｉは、上述のように供給された画像データに画像加工情報が付加されている場合は、この画像加工情報を上記各解像度の画像データと共に上記ストレージ部５に供給する。
【００６０】
２−５［ストレージ部の動作説明］
　上記間引き，圧縮伸張処理ブロック４からの各解像度の画像データ及び画像加工情報は、それぞれ図６に示すインターフェース５ａに供給される。ストレージ部コントローラ５ｄは、上記インターフェース５ａに上記各解像度の画像データ及び画像加工情報が供給されると、これらをそれぞれ当該ストレージ部５内に取り込むようにインターフェース５ａを制御する。このインターフェース５ａを介して当該ストレージ部５内に取り込まれた上記各解像度の画像データ及び画像加工情報は、それぞれＥＦＭ回路５ｂに供給される。上記ＥＦＭ回路５ｂに上記各解像度の画像データ及び画像加工情報が供給されると、上記ストレージ部コントローラ５ｄは、上記固定長符号化された各解像度の画像データ及び画像加工情報に、いわゆるＥＦＭ処理（８−１４変調処理）を施すように該ＥＦＭ回路５ｂを制御する。このＥＦＭ処理された各解像度の画像データ及び画像加工情報は、それぞれディスク記録再生部５ｃに供給される。上記ディスク記録再生部５ｃに上記各解像度の画像データ及び画像加工情報が供給されると、上記ストレージ部コントローラ５ｄは、該各解像度の画像データ及び画像加工情報をそれぞれ光ディスク２０に記録するようにディスク記録再生部５ｃを制御する。これにより、光ディスク２０に、上記各解像度の画像データ及びその画像加工情報が記録されることとなる。
【００６１】
　具体的には、上記光ディスク２０は、例えば直径６４ｍｍの光磁気ディスクとなっており、各解像度毎に２００枚分の画像データが何度でも書き換え可能となっている。そして、上記２００枚分の画像データは、５０枚分の画像データを１つのアルバムとして、計４つのアルバムに分割されて管理されるようになっている。従って、ユーザは、この画像データの記録を行う場合、操作部１０を用いてその画像データを記録するアルバムを選択する。これにより、上記システムコントローラ６は、ストレージ部コントローラ５ｄを介して、上記ユーザにより選択されたアルバムに上記各解像度の画像データを取り込み順に記録するように上記ディスク記録再生部５ｃを制御する。
【００６２】
　なお、この際、上記低解像度画像データは、アルバムに記録されている画像を１画面に複数表示するためのインデックス用のインデックスファイルとして記録され、上記中間解像度画像データは、アルバムに記録されている所望の１つの画像を表示するためのモニタ表示用の中間解像度画像ファイルとして記録され、上記高解像度画像データは、該高解像度画像データに係る画像をプリントするためのプリント用の高解像度画像ファイルとしてそれぞれ記録される。
【００６３】
　３．［光ディスクのフォーマットの説明］
　次に、このように各解像度の画像データが記録される上記光ディスク２０は、以下に説明する新規な画像記録用のフォーマットとなっている。
【００６４】
　３−１［クラスタ構造］
　まず、上記光ディスク２０に対しては「クラスタ」を１単位として記録及び再生が行なわれる。１クラスタは、例えば２〜３周のトラック分に相当し、このクラスタが時間的に連続して記録されることにより１つのデータトラックが形成されるようになっている。上記１クラスタは４セクタ（１セクタは２３５２バイト）のサブデータ領域及び３２セクタのメインデータ領域で構成されており、各アドレスが１セクタ毎にそれぞれ記録されるようになっている。
【００６５】
　なお、各セクタにおいて実際にデータが記録されるのは、上記２３５２バイトのうち２０４８バイト分の領域であり、残りのバイトの領域には、同期パターンやアドレス等によるヘッダデータ及びエラー訂正コード等が記録される。
【００６６】
　上記４セクタのサブデータ領域には、サブデータや、他の領域に続きのデータを記録した場合、当該他の領域に続きのデータが記録されていることを示すリンキングデータ等が記録される。
【００６７】
　また、上記３２セクタのメインデータ領域には、ＴＯＣデータ，音声データ，画像データ等が記録される。
【００６８】
　３−２［トラック構造］
　次に、上記光ディスク２０の全エリアは、図９（ａ）に示すようにエンボスピットでデータが記録されているピットエリアと、グルーブが設けられており光磁気方式でデータが記録再生される光磁気エリア（ＭＯエリア）とで構成されている。
【００６９】
　上記ピットエリアは、光ディスク２０に記録されている管理情報であるＰ−ＴＯＣ（プリマスタード−テーブル・オブ・コンテンツ）が記録される再生専用管理エリアとなっており、後述するＰ−ＴＯＣセクタが繰り返し記録されている。
【００７０】
　上記ＭＯエリアは、ディスク最内周側のリードインエリアの直後からディスク最外周側のリードアウトエリアの終端までの間となっている。そして、このＭＯエリアのうち、上記リードインエリアの直後からディスク最外周側のリードアウトエリアの直前までの間が記録可能なレコーダブルエリアとなっている。
【００７１】
　上記レコーダブルエリアは、当該レコーダブルエリアの先頭に形成される記録再生管理エリアと、該記録再生管理エリアの直後から上記リードアウトエリアの直前までの間に形成されたレコーダブルユーザエリアとで構成されている。
【００７２】
　上記記録再生管理エリアは、オーディオデータ等の記録再生管理用のＴＯＣであるＵ−ＴＯＣが記録されるようになっている。また、上記記録再生管理エリア内における上記Ｕ−ＴＯＣ以外のエリアは、光ピックアップのレーザーパワーを調整するために試し書きを行うキャリブレーションエリアとして用いられるようになっている。上記記録再生管理エリア内におけるＵ−ＴＯＣの記録位置は、上記Ｐ−ＴＯＣによって示されるようになっている。上記Ｕ−ＴＯＣは、このＰ−ＴＯＣによって示される記録再生管理エリア内の所定の位置に３クラスタ連続して記録されるようになっている。
【００７３】
　上記レコーダブルユーザエリアは、オーディオデータが記録されるオーディオデータトラック，オーディオデータや画像データの記録可能なエリア（未記録領域）として管理されるフリーエリア，上述の各解像度の画像データが記録されるデータトラック、及び、上記フリーエリアが、それぞれディスク内周側からディスク外周側にかけて順に並ぶように構成されている。
【００７４】
　上記オーディオデータトラックには、例えば図９（ａ）に「Ｍ１」，「Ｍ２」，「Ｍ３」として示すオーディオデータが記録される。また、上記データトラックには、同図（ａ）に「ＦＬ１」，「ＦＬ２」，「ＦＬ３」として示す画像データを有するデータファイル及び該各データファイルを管理するための「データＵ−ＴＯＣ」が記録される。
【００７５】
　上記データＵ−ＴＯＣは、上記レコーダブルエリア内であればどの位置に記録してもよいのであるが、当該静止画像システムにおいては、上記画像データの各データファイルのうち、ディスク最内周側となるデータファイルであるデータファイルＦＬ１の直前に記録するようになっている。
【００７６】
　次に、上記記録再生管理エリアに記録されるＵ−ＴＯＣは、図９（ｂ）に示すように各オーディオデータ「Ｍ１」，「Ｍ２」，「Ｍ３」及び各フリーエリアのスタートアドレス及びエンドアドレスをそれぞれ管理すると共に、上記画像データを有する各データファイルＦＬ１，ＦＬ２，ＦＬ３をまとめて１つのデータトラックとして管理している。
【００７７】
　上記データトラックの中の各データファイルＦＬ１，ＦＬ２，ＦＬ３及び当該データトラック内における未記録ブロック「ＥＢ」は、図９（ｃ）に示すようにデータファイルＦＬ１の前段に記録されるデータＵ−ＴＯＣによりクラスタ単位で管理されるようになっている。
【００７８】
　なお、この例では、ディスク上にオーディオトラックＭ１，Ｍ２，Ｍ３を記録することとしたが、レコーダブルユーザエリア全体を画像データ用のデータトラックとして使用するようにしてもよい。
【００７９】
　３−３［データトラックの構成］
　次に、上記画像データを有する各データファイルＦＬ１，ＦＬ２，ＦＬ３及びデータＵ−ＴＯＣが記録されるデータトラックの構成を図１０を用いて説明する。上述のように、このデータトラックは、上記Ｕ−ＴＯＣにおいてパーツ（ディスク上で物理的に連続する一連のデータが記録されたトラック部分）として管理され、当該データトラック内に記録された各データファイルは、該データトラック内に記録されるデータＵ−ＴＯＣによって管理されるようになっている。
【００８０】
　上記データＵ−ＴＯＣは、図１０（ａ）に示すように上記データトラックの物理的な先頭位置に記録される。すなわち、データトラック内における最もディスク内周側に近い位置にデータＵ−ＴＯＣが記録される。データトラックが複数のパーツに別れている場合は、最もディスク内周側に位置するパーツの先頭にデータＵ−ＴＯＣが記録されることとなる。
【００８１】
　このデータＵ−ＴＯＣは、図１０（ｂ）に示すように１クラスタのブートエリア及び１６クラスタのボリュームマネジメントエリアで構成されている。また、データＵ−ＴＯＣに続くエリアはファイルエクステンツエリアとされている。このファイルエクステンツエリアには、図１０（ａ）に示すように画像データを含むデータファイルＦＬ1 〜ＦＬ3 等が記録される。また、未記録ブロック「ＥＢ」には、さらにデータファイルの記録が可能となっている。
【００８２】
　上記ボリュームマネジメントエリアは、図１０（ｃ）に示すように０〜５１１の計５１２個のマネジメントブロックから構成されている。１つのマネジメントブロックにおけるデータ領域は２０４８バイトとなっており、このマネジメントブロックに記録された各データが、上記データファイルの記録再生のための管理情報となっている。
【００８３】
　すなわち、上記５１２個の各マネジメントブロックには、０〜５１１までのブロックナンバが付されており、ブロックナンバ０のマネジメントブロックが「ボリュームディスクリプタＶＤ」として使用されるようになっている。なお、「ボリューム」とは、この場合、画像データを含む一般データが記録されるパーツの全てを含む単位である。また、ブロックナンバ１のマネジメントブロックは、「ボリュームスペースビットマップＶＳＢ」として使用され、ブロックナンバ２及びブロックナンバ３のマネジメントブロックは、「マネジメントテーブルＭＴ」として使用されるようになっている。そして、ブロックナンバ４以降のマネジメントブロックは、ファイルエクステンツエリアの使用形態等に応じて「ディレクトリレコードブロックＤＲＢ」、「エクステンツレコードブロックＥＲＢ」として使用されるようになっている。
【００８４】
　このマネージメントエリアの各マネジメントブロックは、１ロジカルブロック（１セクタ内において、実際にデータが記録される領域で、２０４８バイトとなっている。例えば、３２セクタは３２ロジカルブロックとなる。）のサイズからなっている。このマネジメントエリア内にデータを記録再生する場合には、このロジカルブロック（マネジメントブロック）が、記録再生の最小単位とされると共に、マネジメントエリア内の管理単位とされている。
【００８５】
　一方、画像データをファイルエクステンツエリアに記録する場合には、１ロジカルクラスタサイズのアロケーションブロックが記録再生の最小単位とされると共に、ファイルエクステンツエリア内の管理単位とされている。
【００８６】
　なお、「ロジカルブロック」は、１クラスタ内において、実際にデータ記録領域として使用される単位で３２セクタとなっており、メインデータ領域と同じ領域となっている。また、「アロケーションブロック」は、上記ロジカルクラスタと同じデータ単位を示すものである。この例の場合、１つのロジカルクラスサイズは、１つのアロケーションブロックとして表現している。従って、ディスク上におけるクラスタ数とアロケーションブロック数とは一致することとなる。そして、ディスク上でのファイルの位置は、全てこのアロケーションブロックのアロケーションブロック番号で指定されるようになっている。
【００８７】
　３−４［ボリュームディスクリプタ］
　上記ボリュームマネジメントエリアにおける先頭のマネジメントブロックはボリュームディスクリプタＶＤとして使用される。このボリュームディスクリプタＶＤは、ディスク上のデータトラック（ボリューム）の基本的な管理を行うものであり、図１１に示すように同期パターン，アドレスが記録されるヘッダと、各種管理情報が記録される２０４８バイト分のデータエリアとで構成されている。
【００８８】
　上記ボリュームディスクリプタＶＤのデータエリアにおける２バイト目から６バイト目には、当該セクタがボリュームディスクリプタのセクタであることを示す識別情報（ＩＤ）として「ＰＩＣ　ＭＤ」の文字データが例えばアスキーコードで記録されている。また、この識別情報に続いて、当該システムのバージョンＩＤ，ロジカルブロックサイズ，ロジカルクラスタサイズ及びアロケーションブロックサイズがそれぞれ記録されている。
【００８９】
　具体的には、上記「ロジカルブロックサイズ」としては、データトラックのセクタ内における実際のデータエリアを示すバイト長が記録される。上記データトラックのセクタは２３５２バイトであり、このうち２０４８バイトが上記データエリアとして割り当てられている。このため、上記ロジカルブロックサイズとしては、該ロジカルブロックのバイト長である「２０４８」が記録されることとなる。なお、このロジカルブロックは、マネジメントエリア内における記録再生を行うための最小記録単位となっている。
【００９０】
　次に、「ロジカルクラスタサイズ」としては、実際に管理情報やデータが記録されるクラスタであるロジカルクラスタのロジカルブロック数が記録される。１クラスタは３６セクタであり、そのうち３２セクタ（３２ロジカルブロック）がデータ記録用として割り当てられている。このため、上記ロジカルクラスタサイズとしては、該ロジカルクラスタのブロック長である「３２」が記録されることとなる。
【００９１】
　次に、「アロケーションブロックサイズ」としては、アロケーションブロックにおけるロジカルブロック数が記録される。アロケーションブロックは、上記ロジカルクラスタと同じデータ単位を示すものであり、データトラックにおける実際に管理情報やデータファイルが記録される部分である。例えば、図１０（ｂ）に示したボリュームマネジメントエリアやファイルエクステンツエリアにおけるロジカルクラスタとしての３２セクタの領域が１つのアロケーションブロックに該当する。なお、このアロケーションブロックはファイルエクステンツエリア内における記録再生の最小単位とされている。
【００９２】
　次に、上記アロケーションブロックサイズに続いて、ボリューム内におけるアロケーションブロックの総数を示す「アロケーションブロック総数」が記録される。なお、上記光ディスク２０が、オーディオデータ及び画像データが混在するいわゆるハイブリッドディスクの場合は、このアロケーションブロック総数としてピットエリアにおけるアロケーションブロック数を含んだうえでのアロケーションブロック総数が記録される。
【００９３】
　次に、上記アロケーションブロック総数に続いて「アロケーションブロック数」が記録される。このアロケーションブロック数は、記録可能アロケーションブロック総数を示すものであり、レコーダブルエリアにおけるアロケーションブロック数が記録されるようになっている。なお、上記光ディスク２０が、プリマスタードディスクの場合は、このアロケーションブロック数として「０」が記録される。
【００９４】
　次に、上記アロケーションブロック数に続いて「未記録アロケーションブロック数」が記録される。この未記録アロケーションブロック数は、ボリューム内の記録可能アロケーションブロックのうち、まだ記録されていないアロケーションブロックの数を示すものである。
【００９５】
　次に、上記未記録アロケーションブロック数に続いて「記録済アロケーションブロック数」が記録される。この記録済アロケーションブロック数は、ボリューム内の記録可能アロケーションブロックのうち、既に記録が行なわれたアロケーションブロックの数を示すものである。
【００９６】
　次に、上記記録済アロケーションブロック数に続いて「ディフェクトアロケーションブロック数」が記録される。このディフェクトアロケーションブロック数は、ディスク上の傷等による欠陥を有するアロケーションブロックの数を示すものである。
【００９７】
　次に、上記ディフェクトアロケーションブロック数に続いてボリューム内のディレクトリの数を示す「ディレクトリの数」及びボリューム内のデータファイルの数を示す「データファイル」がそれぞれ記録される。
【００９８】
　次に、上記ディレクトリ数及びデータファイルに続いて「ＩＤ最大値」が記録される。このＩＤ最大値は、ディレクトリ又はデータファイルが形成された順に付されるＩＤナンバの最大値を示すものである。
【００９９】
　次に、上記ＩＤ最大値に続いて「ボリューム属性」が記録される。このボリューム属性は、ボリュームマネジメントエリアに記録されたデータの属性を示すものであり、例えば該ボリュームマネジメントエリアがミラーモードで記録されているか否か、インビジブルファイル（秘密ファイル）であるか否か、ライトプロテクト（書き込み防止）がかけられているか否か、バックアップが必要であるか否か等を示すボリューム属性データが記録される。
【０１００】
　次に、上記ボリューム属性に続いて「ボリュームマネジメントエリア長」が記録される。このボリュームマネジメントエリア長は、ボリュームマネジメントエリアの長さを示すものであり、該ボリュームマネジメントエリアのバイト長が記録されるようになっている。
【０１０１】
　次に、上記ボリュームマネジメントエリア長に続いて「ボリュームマネジメントエリア位置」が記録される。このボリュームマネジメントエリア位置は、ディスク上におけるボリュームマネジメントエリアの位置を示すものであり、ボリュームマネジメントエリアの最初のアロケーションブロック番号が記録されるようになっている。
【０１０２】
　次に、上記ボリュームマネジメントエリア位置に続いて、当該ボリュームマネジメントエリア内のマネジメントブロックが使用されることにより形成される他の管理ブロックが記録される。具体的には、この他の管理ブロックとして、ボリュームスペースビットマップＶＳＢの最初のアロケーションブロックの位置を示す「ボリュームスペースビットマップ位置」，該ボリュームスペースビットマップＶＳＢのアロケーションブロックの数を示す「ボリュームスペースビットマップ数」、マネジメントテーブルＭＴの最初のアロケーションブロックの位置を示す「最初のマネジメントテーブル位置」，該マネジメントテーブルＭＴのアロケーションブロックの数を示す「マネジメントテーブル数」が記録される。また、エクステントレコードブロックＥＲＢの最初のアロケーションブロックの位置を示す「最初のエクステントレコードブロック位置」，該エクステントレコードブロックＥＲＢのアロケーションブロックの数を示す「エクステントレコードブロック数」、ディレクトリレコードブロックＤＲＢの最初のアロケーションブロックの位置を示す「最初のディレクトリレコードブロック位置」，該ディレクトリレコードブロックＤＲＢのアロケーションブロックの数を示す「ディレクトリレコードブロック数」が記録される。
【０１０３】
　これにより、上記「最初のディレクトリレコードブロック」として記録されているアロケーションブロックのブロック番号を検出することにより、最初のディレクトリの位置の検索を可能とすることができる。
【０１０４】
　次に、上記各管理ブロックに続いて、ディレクトリのバイト長を示す「ルートディレクトリ長」及び該ディレクトリ内のサブディレクトリ数を示す「ルートディレクトリ数」がそれぞれ記録され、これらに続いて各種のＩＤ及びキャラクタセットコード等が記録される。上記各種のＩＤ及びキャラクタセットコードとしては、例えばブートシステムＩＤ，ボリュームＩＤ，パブリッシャーＩＤ，データプリペアーＩＤ，アプリケーションＩＤ及び該各ＩＤのキャラクタセットコードが記録されるようになっている。また、これらの他にボリュームの形成日時，ボリュームの更新日時，満了日時，有効日時等が記録されるようになっている。
【０１０５】
　次に、このような２０４８バイトのデータエリアに続いて４バイトのＥＤＣエリア及び２７６バイトのＥＣＣエリアが設けられている。上記ＥＣＣエリアには、いわゆるクロスインターリーブ方式に基づくよる１７２バイトのＰパリティ及び１０４バイトのＱパリティがそれぞれ記録されるようになっている。
【０１０６】
　なお、上記データエリアは２０４８バイトの領域を有するが、この２０４８バイトのデータエリアのうち１０２４〜２０４７バイトの領域は、システム拡張のためのシステムエクステンションエリア（システム拡張領域）として用いられるようになっている。
【０１０７】
　３−５［ボリュームスペースビットマップ］
　次に、上記ボリュームマネジメントエリアにおけるブロックナンバ１のマネジメントブロックは、ボリュームスペースビットマップＶＳＢとして使用される。このボリュームスペースビットマップＶＳＢは、ファイルエクステンツエリアの記録状況をデータトラックの全てのアロケーションブロック単位で示しているものである。
【０１０８】
　このボリュームスペースビットマップＶＳＢは、図１２に示すように同期パターン（Ｓｙｎｃ）及びアドレスが記録されたヘッダと、２０４８バイトのデータエリアと、１７２バイトのＰパリティ及び１０４バイトのＱパリティの計２７６バイトからなるＥＣＣエリアとで構成されている。
【０１０９】
　上記データエリアには、アロケーションブロック及び各アロケーションブロックのタイプが記録されるようになっている。
【０１１０】
　具体的には、図１３（ａ）に示すようにデータトラックの各アロケーションブロックには、それぞれナンバ０，ナンバ１，ナンバ２・・・の順にアロケーションブロックナンバ（ＡＬ０，ＡＬ１，ＡＬ２・・・）が付されており、ボリュームスペースビットマップＶＳＢのデータエリアの最初のバイトである第０バイトの第７ビット及び第６ビットがナンバ０のアロケーションブロックＡＬ０に割り当てられている。また、上記第０バイトの第５ビット及び第４ビットがナンバ１のアロケーションブロックＡＬ１に割り当てられ、第３ビット及び第２ビットがナンバ２のアロケーションブロックＡＬ２に割り当てられ、第１ビット及び第０ビットがナンバ３のアロケーションブロックＡＬ３に割り当てられ、第１バイト目の第７ビット及び第６ビットがナンバ４のアロケーションブロックＡＬ４に割り当てられる等のように、各アロケーションブロック毎にそれぞれ２ビットが割り当てられている。
【０１１１】
　上記各アロケーションブロック毎にそれぞれ割り当てられた２ビットの情報は、各アロケーションブロックのタイプを示すものであり、図１３（ｂ）に示すようにそのアロケーションブロックが未記録アロケーションブロックの場合は「００」が、記録済アロケーションブロックの場合は「０１」が、ディフェクト（欠陥）アロケーションブロックの場合は「１０」が、未定義のアロケーションブロックの場合は「１１」がそれぞれ記録されるようになっている。
【０１１２】
　なお、データエリアの余領域、すなわち、対応するアロケーションブロックが存在しない領域には、そのビットに「１１」が記録されるようになっている。
【０１１３】
　また、上記光ディスク２０は、２２００クラスタ分のデータエリアを有しており、ＡＬ０〜ＡＬ８１９１までのアロケーションブロックに情報を記録することができるのであるが、実際には、このうちＡＬ０〜ＡＬ２１９９までのアロケーションブロックを用いて情報を記録するようになっている。
【０１１４】
　３−６［マネジメントテーブル］
　ボリュームマネジメントエリアにおけるブロックナンバ２及びブロックナンバ３のマネジメントブロックはマネジメントテーブルＭＴとして使用される。
【０１１５】
　このマネジメントテーブルＭＴは、ボリュームマネジメントエリアにおける各マネジメントブロックの使用形態を示すものであり、図１４に示すように同期パターン及びアドレスが記されたヘッダと、２０４８バイトのデータエリアと、４バイトのＥＤＣエリアと、２７６バイトのＥＣＣエリアとで構成されている。
【０１１６】
　上記２０４８バイトのデータエリアには、それぞれ４バイトが割り当てられた各マネジメントブロック０エントリ〜５１１エントリが記録されており、これにより、ボリュームマネジメントエリアの５１２個のマネジメントブロックの使用内容がそれぞれ示され管理されるようになっている。
【０１１７】
　上記４バイトを有する各エントリ（０エントリ〜５１１エントリ）のマネジメントブロックのデータ内容は図１５に示すようになっている。
【０１１８】
　まず、最初のマネジメントブロック（マネジメントブロック０エントリ）は、図１５（ａ）に示すようにボリュームディスクリプタとして用いられるようになっており、第０バイト〜第２バイトがリザーブとなっている。また、第３バイトに当該マネジメントブロック０エントリがボリュームディスクリプタであることを示すためのエントリタイプとして、例えば「８０ｈ」が記録されるようになっている。
【０１１９】
　次に、第２番目のマネジメントブロック（マネジメントブロック１エントリ）は、図１５（ｂ）に示すようにボリュームスペースビットマップとして用いられるようになっており、第０バイト〜第１バイトにかけて未記録アロケーションブロック数が記録され、第２バイトがリザーブとなっている。また、第３バイトに当該マネジメントブロック１エントリがボリュームスペースビットマップであることを示すためのエントリタイプとして、例えば「９０ｈ」が記録されるようになっている。
【０１２０】
　次に、マネージメントテーブルとして用いられるマネジメントブロックは、図１５（ｃ）に示すように、第０バイト〜第１バイトにかけて次のマネージメントテーブル位置が記録され、第２バイトに未使用マネジメントブロック数が記録される。また、第３バイトに当該マネジメントブロックがマネージメントテーブルであることを示すためのエントリタイプとして、例えば「Ａ０ｈ」が記録されるようになっている。
【０１２１】
　次に、エクステントレコードブロックとして用いられるマネジメントブロックは、図１５（ｄ）に示すように第０バイト〜第１バイトにかけて次のエクステントレコードブロック位置が記録され、第２バイトに未使用エクステントレコードブロック数が記録される。また、第３バイトに当該マネジメントブロックがエクステントレコードブロックであることを示すためのエントリタイプとして、例えば「Ｂ０ｈ」が記録されるようになっている。
【０１２２】
　次に、上記ディレクトリレコードブロックとしては、１つのマネジメントブロックを用いて記録したディレクトリレコードユニットで完結され単独で用いられる「単独ディレクトリレコードブロック」と、１つのディレクトリを構成するディレクトリレコードユニットを、複数のマネジメントブロックである複数のディレクトリレコードブロックに分割して記録して用いられる「複数ディレクトリレコードブロック」とが存在する。
【０１２３】
　上記マネジメントブロックを単独ディレクトリレコードブロックとして用いる場合、そのマネジメントブロックには、図１５（ｅ）に示すように第０ビット〜第２９ビットにかけてディレクトリＩＤが記録される。また、最後の２ビット（第３０ビット及び第３１ビットにかけて）に、当該マネジメントブロックが単独ディレクトリレコードブロックであることを示すためのエントリタイプとして、例えば「００ｈ」が記録されるようになっている。
【０１２４】
　また、複数ディレクトリレコードブロックの場合、各マネジメントブロックには、それぞれ図１５（ｆ）〜同図（ｈ）に示すような情報が記録される。
【０１２５】
　すなわち、そのマネジメントブロックが複数ディレクトリレコードブロックの「最初のディレクトリレコードブロック（第１のディレクトリレコードブロック）」である場合、図１５（ｆ）に示すように第０バイト〜第１バイトにかけて次のディレクトリレコードブロック位置が記録され、第２バイトにディレクトリＩＤの上位バイトが記録される。また、第３バイトに当該マネジメントブロックが第１のディレクトリレコードブロックであることを示すためのエントリタイプとして「Ｄ０ｈ」が記録されるようになっている。
【０１２６】
　また、そのマネジメントブロックが複数ディレクトリレコードブロックの「最後のディレクトリレコードブロック」である場合、図１５（ｈ）に示すように第０バイト〜第２バイトにかけてディレクトリＩＤの下位バイトが記録される。また、第３バイトに当該マネジメントブロックが最後のディレクトリレコードブロックであることを示すためのエントリタイプとして「Ｆ０ｈ」が記録されるようになっている。
【０１２７】
　また、そのマネジメントブロックが複数ディレクトリレコードブロックの中間ディレクトリレコードブロックである場合（上述の第１のディレクトリレコードブロック、或いは最後のディレクトリレコードブロック以外のディレクトリレコードブロックである場合）、図１５（ｇ）に示すように第０バイト〜第１バイトにかけて次のディレクトリレコードブロック位置が記録され、第２バイトがリザーブとされる。また、第３バイトに当該マネジメントブロックが中間ディレクトリレコードブロックであることを示すためのエントリタイプとして「Ｅ０ｈ」が記録されるようになっている。
【０１２８】
　３−７［ディレクトリレコードブロック］
　ボリュームマネジメントエリアにおけるブロックナンバ３以降のマネジメントブロックは、「ディレクトリレコードブロックＤＲＢ」として使用される。このディレクトリレコードブロックＤＲＢには、１つ又は複数のディレクトリレコードユニットが記録される。
【０１２９】
　ディレクトリレコードユニットとしては、ディレクトリを構成するための「ディレクトリ用ディレクトリレコードユニット」と、あるデータファイルに対応してその位置などを指定するための「ファイル用ディレクトリレコードユニット」があり、このディレクトレコードブロックの中には、当該ディレクトリの中に形成されるファイル及びサブディレクトリに応じて、ファイル用ディレクトリレコードユニット及びディレクトリ用ディレクトリレコードユニットが混在して記録されるようになっている。
【０１３０】
　ディレクトリを構成するディレクトリ用ディレクトリレコードユニットが記録されるディレクトリレコードブロックＤＲＢは図１６に示すように、同期パターン及びアドレスが記録されたヘッダと、２０４８バイトのデータエリアと、４バイトのＥＤＣエリアと、２７６バイトのＥＣＣエリアとで構成されている。
【０１３１】
　１つのディレクトリレコードユニットには、まず、そのディレクトリレコードユニットのバイト長を示すディレクトリレコード長が記録される。１つのディレクトリレコードユニットのデータ長は可変長とされている。
【０１３２】
　次に、上記ディレクトリレコード長に続いてディレクトリの属性が記録される。具体的には、このディレクトリの属性として、当該ディレクトリレコードユニットがディレクトリのためのディレクトリレコードユニットであるか否か、このディレクトリレコードユニットが含まれるディレクトリがインビジブルディレクトリであるか否か、システムディレクトリであるか否か等の各種属性を示す情報が記録される。これにより、データファイルの位置が、後述するエクステンツレコードブロックを用いて示されているか否かを示すようになっている。
【０１３３】
　次に、上記ディレクトリの属性に続いて、ショートネームＩＤのキャラクタ種別を示すキャラクタセットコード（ＣＳＣ）及びショートネームＩＤが記録される。上記ショートネームＩＤは、１１バイトのアスキーコードで記録されるようになっており、１１文字以内のディレクトリ名が記録可能となっている。
【０１３４】
　次に、上記ショートネームＩＤに続いて、ディレクトリ形成日時、ディレクトリ更新日時が記録され、ステイタス更新日時としてこのディレクトリレコードユニットの更新日時が記録されるようになっている。さらに、ディレクトリＩＤナンバ及びディレクトリ長が記録され、これらに続いて「インデックストゥＤＲＢ」と「ナンバオブＤＲＢ」が記録されるようになっている。
【０１３５】
　上記インデックストゥＤＲＢは、指定されるサブディレクトリの内容が記録されている最初のディレクトリレコードブロックＤＲＢにおけるボリュームマネジメントエリア内の位置を示す。このため、このインデックストゥＤＲＢとしては、マネジメント番号０〜５１１の該当する何れかの値が記録されるようになっている。
【０１３６】
　上記ナンバオブＤＲＢとしては、その指定されたディレクトリを示すためのディレクトリレコードブロック数が、マネジメントブロック数で記録されるようになっている。
【０１３７】
　次に、このナンバオブＤＲＢに続いて「ロングネームＩＤ」が記録されるようになっている。このロングネームＩＤは、可変長でありそのデータ長が記録されるようになっている。なお、ロングネームＩＤが記録されない場合もあるが、その場合は上記ロングネームＩＤとして「００ｈ」が記録される。また、ロングネームＩＤが偶数バイトになった場合、余りバイトを埋めるためパディングとして「００ｈ」が記録される。そして、このロングネームＩＤに続くバイトは、システムエクステンションエリアとして利用されるようになっている。
【０１３８】
　ディレクトリに対応するディレクトリレコードユニットは、このような構成となっており、２０４８バイトのデータエリア内において複数個設けられている。
【０１３９】
　次に、あるデータファイルに対応するファイル用ディレクトリレコードユニットが記録されるディレクトリレコードブロックＤＲＢは、図１７に示すように同期パターン及びアドレスからなるヘッダと、２０４８バイトのデータエリアと、４バイトのＥＤＣエリアと、２７６バイトのＥＣＣエリアとで構成されている。
【０１４０】
　上記２０４８バイトのデータエリアには、それぞれデータファイルに対応する１個又は複数のディレクトリレコードユニットが記録可能なっている。
【０１４１】
　１つのディレクトリレコードユニットは、上記図１６に示したディレクトリレコードユニットと同様に、まずディレクトリレコード長が記録され、続いて属性が記録されるようになっている。そして、この属性によって、このディレクトリレコードユニットがディレクトリに対応するものではないことや、対応するデータファイルがインビジブルファイルであるか、システムファイルであるか、そのデータファイル位置がエクステントレコードユニットによって指定されるものであるか等の各種属性が示されるようになっている。
【０１４２】
　次に、上記属性に続いて図１６に示したディレクトリレコードユニットと同様に、キャラクタセットコード（ＣＳＣ），ファイル名を記録するショートネームＩＤ，ディレクトリ形成日時，ディレクトリ更新日時，ステイタス更新日時が記録される。上記ショートネームＩＤとしては、１１文字以内のアスキーコードでデータファイル名が記録されるようになっている。
【０１４３】
　次に、上記ショートネームＩＤに続いてデータファイルＩＤナンバ，データファイル長，エクステントスタートロケーション，ナンバオブブロック及びアソシエイトデータ長が記録される。
【０１４４】
　上記エクステントスタートロケーションは、ファイルエクステントエリアに記録されているファイルの位置を、アロケーションブロック番号で示すようになっており、また、上記ナンバオブブロックは、エクステントスタートロケーションによって指定されたスタート位置から使用されているアロケーションブロック数を示すようになっている。
【０１４５】
　次に、上記アソシエイトデータ長続いて「インデックストゥＥＲＢ」と「ナンバオブＥＲＢ」が記録される。
【０１４６】
　上記インデックストゥＥＲＢは、分散記録されたデータファイルの各分散位置を示すためのデータを含んだエクステンツレコードブロックのボリュームマネジメントエリア内での位置を示すようになっており、０〜５１１のマネジメントブロック番号が記録されるようになっている。
【０１４７】
　上記ナンバオブＥＲＢは、その分散記録されたデータファイルを示すためのエクステンツレコードブロックの数を示すようになっており、マネジメントブロック数で記録されるようになっている。
【０１４８】
　次に、上記ナンバオブＥＲＢに続いて、可変長であるロングネームＩＤがそのデータ長で記録される。このロングネームＩＤが記録されない場合は、ロングネームＩＤとして「００ｈ」が記録され、該ロングネームＩＤが偶数バイトになった場合は、余りバイトを埋めるためパディングとして「００ｈ」が記録される。
【０１４９】
　なお、ロングネームＩＤに続くバイトは、システムエクステンションエリアとして利用されるようになっている。
【０１５０】
　データファイルに対応するディレクトリレコードユニットは、このように構成されており、２０４８バイトのデータエリア内に複数個設けることが可能となっている。
【０１５１】
　次に、画像ファイル等のデータファイルをディスク上に記録するには、以下の２通りの場合があり、その場合に応じてデータファイル位置の指定方法が異なっている。
【０１５２】
　まず、第１の場合は、記録する画像ファイルのデータ分の連続する空きエリアがディスク上で確保できる場合である。この場合には物理的に連続する領域に１つのファイルとして画像ファイルを記録するようになっている。具体的には、この場合、１つの画像ファイルが連続したアロケーションブロックで構成されるように記録される。通常は、このように物理的に連続したエリアに記録され、ファイル用のディレクトリレコードユニットの中のエクステントスタートロケーションとして記録されたアロケーションブロック番号によってデータファイルの位置が示されるようになっている。
【０１５３】
　次に、第２の場合は、記録する画像ファイルのデータ分の連続する空きエリアがディスク上で確保できない場合である。この場合には、ディスク上の分散する領域に１つの画像ファイルが分割されて記録されるようになっている。具体的には、１つの画像ファイルが複数の離れたアロケーションブロックによって構成されるように記録される。この場合は、ファイル用のディレクトリレコードユニットに含まれたインデックストゥＥＲＢとして記録されたマネジメントブロック番号によって、後述するエクステンツレコードブロックのマネジメントエリア内での位置が指定され、このエクステンツレコードブロックに含まれたデータに基づいて、各分散エリアの位置が指定されるようになっている。
【０１５４】
　なお、上述の第１の場合には、インデックスＥＲＢのデータは記録されず、第２の場合には、エクステントスタートロケーションは記録されないようになっている。
【０１５５】
　３−８［エクステントレコードブロック］
　ボリュームマネジメントエリアにおけるブロックナンバ４以降のマネジメントブロックはエクステントレコードブロックＥＲＢとして使用されるようになっている。このエクステントレコードブロックＥＲＢは、上述の第２の場合のように１つの画像ファイルが、離れたアロケーションブロックで指定される分散エリアに記録された場合に使用される。このエクステントレコードブロックＥＲＢには、各分散エリアのアロケーションブロック位置を示すためのデータが記録されるようになっている。
【０１５６】
　このエクステントレコードブロックＥＲＢには、最大で６４個のエクステントレコードユニット（ＥＲユニット）が記録可能となっている。
【０１５７】
　上記ＥＲユニットは、３２バイトのインデックス用ＥＲユニットと、３２バイトのディスクリプタ用ＥＲユニットとで構成されている。
【０１５８】
　上記インデックス用ＥＲユニットは、エクステントレコードブロックＥＲＢ中の複数のＥＲユニットの最先のユニットとして記録され、これにより、２番目以降のＥＲユニットの使用状況を管理するようになっている。２番目以降のＥＲユニットは、ディスクリプタ用ＥＲユニットとして使用され、このユニットに含まれるデータによって各分散エリアの記録位置がアロケーションブロック番号によって示されるようになっている。
【０１５９】
　すなわち、上記エクステントレコードブロックＥＲＢは、図１８に示すように同期パターン及びアドレスが記録されるヘッダと、２０４８バイトのデータエリアと、４バイトのＥＤＣエリアと、２７６バイトのＥＣＣエリアとで構成されている。
【０１６０】
　上記２０４８バイトのデータエリアには、６４個のエクステントレコードユニットが記録可能となっている。なお、１つのエクステントレコードユニットは３２バイトで構成されている。
【０１６１】
　この図１８は、データエリアの最初の３２バイトのエクステントレコードユニットが、インデックス用エクステントレコードユニットとして使用されている例を示している。
【０１６２】
　このインデックス用エクステントレコードユニットでは、最初にインデックスＩＤが記録される。この場合、インデックスＩＤとしては、当該エクステントレコードユニットがインデックス用エクステントレコードユニットとして使用されていることを示す「ＦＦＦＦ」が記録される。
【０１６３】
　次に、上記インデックスＩＤに続いて、マキシマムディプスが記録される。インデックス用エクステントレコードユニットによりエクステントレコードのツリー構造が形成されるが、上記マキシマムディプスは、このエクステントレコードユニットで指定されるサブツリー階層を示すようになっている。例えば、インデックス用エクステントレコードユニットにより、エクステントディスクリプタを含むエクステントレコードユニットが指定されている場合（最下層の場合）は、上記マキシマムディプスとして「００００ｈ」が記録されるようになっている。そして、その後にロジカルオフセット及びＥＲインデックスが最大７個まで記録可能となっている。
【０１６４】
　上記ＥＲインデックスは、エクステントレコードブロック中に記録された６４個のＥＲユニットのうち、どのＥＲユニットが分散エリアを示すデータであるかを示すようになっている。。このＥＲインデックスには、０から６３の該当する何れかのＥＲユニット番号が記録されるようになっている。また、ロジカルオフセットは、ＥＲインデックスによって示されるＥＲユニットがデータファイルを構成するための何番目のＥＲユニットであるかを示すデータが記録されるようになっている。
【０１６５】
　次に、この図１８に示す例においては、２番目以降のＥＲユニットが、ディスクリプタ用ＥＲユニットとして使用されている。
【０１６６】
　上記ディスクリプタ用ＥＲユニットには、最大８個のエクステントスタートロケーションと、アロケーションブロック数とが記録されるようになっている。
【０１６７】
　上記エクステントスタートロケーションとしては、１つの分散エリアの記録位置を示すアロケーションブロック番号が記録されるようになっている。また、上記アロケーションブロック数としては、その分散エリアを構成するアロケーションブロックの数を示すデータが記録されるようになっている。このため、１つのエクステントスタートロケーション及び１つのアロケーションブロック数で、１つの分散エリアが指定されることとなる。従って、１つのディスクリプタ用ＤＲユニットには８個のエクステントスタートロケーション及びアロケーションブロック数が記録可能なことから、１つのディスクリプタ用ＤＲユニットにより、最大８個の分散エリアが指定可能となる。
【０１６８】
　なお、８個以上の分散エリアを指定する場合には、新たに３番目のＥＲユニットをディスクリプタ用ＥＲユニットとして使用し、インデックス用ＥＲユニットを用いて、２番目のＥＲユニットに記録されたディスクリプタ用ＥＲユニットに続くディスクリプタ用ＥＲユニットと、３番目のＥＲユニットに新たに記録されたディスクリプタ用ＥＲユニットとをリンクさせるようにすればよい。
【０１６９】
　次に、このようにエクステントレコードブロックＥＲＢにより、複数の分散エリアに記録された画像ファイルの位置を指定する場合を説明する。
【０１７０】
　まず、ディレクトリレコードブロックＤＲＢにおけるファイル用ＤＲユニット中に記録されたインデックストゥＥＲＢによって、エクステントレコードブロックＥＲＢのマネジメントブロックエリア内での位置が指定されている。そして、ＥＲＢの最初のＥＲユニットの先頭に、当該エクステントレコードユニットがインデックス用エクステントレコードユニットとして使用されていることを示す「ＦＦＦＦ」のデータが記録されている。このため、これを再生することにより、最初のＥＲユニットがインデックス用ＥＲユニットであると判断することができる。
【０１７１】
　次に、データファイルを構成する最初のＥＲユニットを検索するために、「００００」のロジカルオフセットのデータを検索し、この「００００」のロジカルオフセットのデータに対応するＥＲインデックスのデータを検索する。上述のように、８個の分散エリアは、このＥＲインデックスのデータで示されるディスクリプタ用ＥＲユニットに記録された８個のエクステントスタートロケーション及びアロケーションブロック数によりそれぞれ指定されるようになっている。このため、マネジメントエリア内のデータにより、ディスク上に分散された各画像ファイルの位置を検出することができる。従って、画像ファイルを読み出す際にディスクを検索する必要がなく、高速再生を可能とすることができる。
【０１７２】
　４．［ファイル及びファイルの階層構造の説明］
当該静止画像システムにおいて使用されるファイルは、管理ファイル、画像ファイル、インデックス画像ファイル等がある。
【０１７３】
　管理ファイルのファイル名の拡張子は「ＰＭＦ」となっており、「ＰＭＦ」の拡張子を検出することで、そのファイルが管理ファイルであることを識別するようになっている。上記管理ファイルには、総合情報管理ファイル（ＯＶＦ　ＩＮＦ．ＰＭＦ）、画像データ管理ファイル（ＰＩＣ　ＩＮＦ．ＰＭＦ）、プリントデータ管理ファイル（ＰＲＴ　ＩＮＦ．ＰＭＦ）、再生制御管理ファイル（ＰＭＳ　ＩＮＦ．ＰＭＦ）等がある。
【０１７４】
　各画像ファイルのファイル名の拡張子は「ＰＭＰ」となっており、この「ＰＭＰ」の拡張子を検出することで、そのファイルが画像ファイルであることを識別するようになっている。画像ファイルには、高解像度画像データＨＤを記録する高解像度画像ファイルと、中間解像度画像データＳＤを記録する中間解像度画像ファイルとがある。
【０１７５】
　上記中間解像度画像ファイルは、アスペクト比が４：３で６４０画素×４８０画素の画像データを有する「ＰＳＮｎｎｎｎｎ．ＰＭＰファイル」と、アスペクト比が１６：９で８４８画素×４８０画素の画像データを有する「ＰＳＷｎｎｎｎｎ．ＰＭＰファイル」とがある。
【０１７６】
　上記高解像度画像ファイルは、アスペクト比が３：２で１５３６画素×１０２４画素の画像データを有する「ＰＨＰｎｎｎｎｎ．ＰＭＰファイル」と、アスペクト比が１６：９で１９２０画素×１０８０画素の画像データを有する「ＰＨＷｎｎｎｎｎ．ＰＭＰファイル」とがある。また、高解像度画像ファイルの中の１つとして超高解像度画像データＨＤを記録するファイルとして、アスペクト比が３：２で３０７２画素×２０４８画素の画像データを有する「ＰＵＰｎｎｎｎｎ．ＰＭＰファイル」がある。
【０１７７】
　なお、拡張子が「ＰＭＰ」とされた画像ファイルのファイル名は、画像の種類によって先頭の３文字（例えばＰＨＰ等）が決定され、画像ファイルの形成順に付与された画像番号により、これに続く５文字（ｎｎｎｎｎ）が決定されるようになっている。
【０１７８】
　次に、当該静止画像システムは、階層ディレクトリ構造により光ディスク２０に記録された画像データを管理するようになっている。この階層ディレクトリ構造は例えば図１９に示すようになっており、画像データを記録するディレクトリＤ１（ＰＩＣ  ＭＤ）を設け、その中でファイル管理を行うようになっている。
上記ディレクトリＤ１の中には、全体の情報の管理を行うための総合情報管理ファイルｆ１（ＯＶ  ＩＮＦ．ＰＭＦ）と、全体のインデックスファイルの管理を行うための総合インデックスファイルｆ２（ＯＶ  ＩＤＸ．ＰＭＸ）と、各アルバムの各画像ディレクトリＤ２〜Ｄ４（ＰＩＣ０００００〜ＰＩＣ００００２）とが設けられている。
【０１７９】
　なお、この例においては、上記画像ディレクトリとして、ディレクトリ番号が「０００００」〜「００００２」の各画像ディレクトリ（ＰＩＣ０００００）〜（ＰＩＣ００００２）がそれぞれ設けられている。各画像ディレクトリの「ＰＩＣ」に続く５文字は、各画像ディレクトリの形成順にディレクトリ番号として付与されるようになっており、これにより画像ディレクトリ名を示すようになっている。
【０１８０】
　また、上記ディレクトリ（ＰＩＣ  ＭＤ）の中には、プリントの色合い，プリントサイズ，回転等のプリント制御データを管理するためのプリントディレクトリ（ＰＲＩＮＴ）と、モニタ表示する画像の表題等のテロップを管理するためのテロップディレクトリ（ＴＥＲＯ．ＰＭＯ）と、各画像の画像ナンバや該各画像に付されたキーワード検索ディレクトリ（ＫＷ  ＤＴＢＳ．ＰＭＯ）と、画像の記録日時等を管理するためのタイムスタンプディレクトリ（ＴＳ  ＤＴＢＳ．ＰＭＯ）と、指定された画像のみを再生するようなプログラム再生を管理するための再生制御ディレクトリ（ＰＭＳＥＱ）とが設けられている。
【０１８１】
　上記画像ディレクトリＤ２（ＰＩＣ０００００）の中には、「０００００」のディレクトリ番号で指定される複数の画像ファイルを管理するための画像データ管理ファイルｆ３（ＰＩＣ  ＩＮＦ．ＰＭＦ）と、当該画像ディレクトリＤ２のインデックス画像をまとめた画像インデックスファイルｆ４（ＰＩＤＸ０００．ＰＭＸ）とが記録されている。また、この画像ディレクトリＤ２の中には、画像番号が「０００００」で指定される画像データに基づいて形成された中間解像度画像ファイルｆ５（ＰＳＮ０００００．ＰＭＰ）と高解像度画像ファイルｆ６（ＰＨＰ０００００．ＰＭＰ）とが記録されている。また、画像番号が「００００１」で指定される画像ファイルデータに基づいて形成された中間解像度画像ファイルｆ７（ＰＳＮ００００１．ＰＭＰ）と、超高解像度画像ファイルｆ９（ＰＵＰ００００１．ＰＭＰ）とが記録されている。また、画像番号が「００００２」で指定される画像データに基づいて形成された中間解像度画像ファイルｆ１０（ＰＳＮ００００２．ＰＭＰ）と、画像番号が「００００３」で指定される画像データに基づいて形成された中間解像度画像ファイルｆ１１（ＰＳＮ００００３．ＰＭＰ）とが記録されている。
【０１８２】
　次に、「００００１」のディレクトリ番号で指定される画像ディレクトリ（ＰＩＣ００００１）には、上述の画像データ管理ファイル（ＰＩＣ  ＩＮＦ．ＰＭＦ）と、該各画像のインデックス画像を管理する２個のインデックスファイル（ＰＩＤＸ０００．ＰＭＸ，ＰＩＤＸ００１．ＰＭＸ）とが記録されている。なお、上記２個の画像インデックスファイルによって、この画像ディレクトリ（ＰＩＣ００００１）の中に記録される画像ファイルに対応するインデックス画像の管理を行うようになっており、形式的には該２つのインデックスファイルがリンクされて用いられるようになっている。
【０１８３】
　次に、上記プリントディレクトリ（ＰＲＩＮＴ）の中には、複数のプリントデータファイルを管理するためのプリントデータ管理ファイル（ＰＲＴ  ＩＮＦ．ＰＭＦ）と、該プリントデータ管理ファイルにより管理されるプリントデータファイル（ＰＲＴ０００．ＰＭＯ〜ＰＲＴｎｎｎ．ＰＭＯ）が記録されている。
【０１８４】
　次に、再生制御ディレクトリ（ＰＭＳＥＱ）の中には、当該再生制御ディレクトリ（ＰＭＳＥＱ）に記録された再生制御データファイルを管理するための再生制御管理ファイル（ＰＭＳ  ＩＮＦ．ＰＭＦ）と、画像シーケンスを制御するための複数の再生制御データファイル（ＰＭＳ０００．ＰＭＯ〜ＰＭＳｎｎｎ．ＰＭＯ）とが記録されている。
【０１８５】
　次に、上記図１０（ｃ）において説明したように、上記マネジメントブロックは、０〜５１１までのブロックナンバが付されており、ブロックナンバ０から順に、ボリュームディスクリプタＶＤ，ボリュームスペースビットマップＶＳＢ，マネジメントテーブルＭＴ，マネジメントテーブルＭＴ，ディレクトリレコードブロックＤＲＢ，ディレクトリレコードブロックＤＲＢ，エクステンツレコードブロックＥＲＢ，ディレクトリレコードブロックＤＲＢ，エクステンツレコードブロックＥＲＢ・・・となっている。
【０１８６】
　ディレクトリＤ１（ＰＩＣ  ＭＤ）を示すためのディレクトリレコードブロックＤＲＢは、上記ボリュームディスクリプタＶＤのデータによってマネジメントブロックの第４番目のブロックであることが判別できるようになっている。
【０１８７】
　すなわち、図２０において、このマネジメントブロックの第４番目のブロックに記録されているディレクトリレコードブロックＤＲＢには、ヘッダに続いて上記図１９に示した総合情報管理ファイルｆ１及び総合インデックスファイルｆ２の記録位置を示すための２つのファイル用ＤＲユニットが設けられている。
【０１８８】
　上記１番目のユニットに記録されているファイル用ＤＲユニットは、エクステントスタートロケーション（Extent Start Location）として記録されているアロケーションブロック番号により、上記総合情報管理ファイルｆ１のアロケーションブロック位置を示すようになっている。また、２番目のユニットに記録されているファイル用ＤＲユニットは、エクステントスタートロケーション（Extent Start Location）として記録されているアロケーションブロック番号により、上記総合インデックスファイルｆ２のアロケーションブロック位置を示すようになっている。
【０１８９】
　なお、上記総合情報管理ファイルｆ１及び総合インデックスファイルｆ２は、光ディスク２０上で連続するアロケーションブロックに記録されるようになっているため、このインデックストゥＥＲＢには記録されない。
【０１９０】
　次に、この２つのファイル用ＤＲユニットの後のユニットである、３番目のユニット及び４番目のユニットには、「０００００」のディレクトリ番号の画像ディレクトリＤ２及び「００００１」のディレクトリ番号の画像ディレクトリＤ３の記録位置をそれぞれ示すための２つのディレクトリ用ＤＲユニットが設けられている。
【０１９１】
　具体的には、このディレクトリ用ＤＲユニットにおいて、インデックストゥＤＲＢとして記録されている０〜５１１のマネジメントブロック番号によって、画像ディレクトリＤ２に対応するＤＲＢのマネジメントブロック内での相対的な位置が示されるようになっている。この例においては、３番目のユニットのディレクトリ用ＤＲユニットにおけるインデックストゥＤＲＢのデータには、上記画像ディレクトリＤ２のインデックストゥＤＲＢのマネジメントブロック内でのブロック位置を示すデータとして「００５」が記録されている。同様に、４番目のユニットのディレクトリ用ＤＲユニットのインデックストゥＤＲＢのデータには、上記画像ディレクトリＤ３のインデックストゥＤＲＢのマネジメントブロック内でのブロック位置を示すデータとして「００７」が記録されている。
【０１９２】
　次に、上述のようにマネジメントブロックの５番目のブロックのインデックストゥＤＲＢは、マネジメントブロックの４番目のブロックのインデックストゥＤＲＢにおける３番目のユニットであるディレクトリ用ＤＲユニットによってそのブロック位置が指定されている。
【０１９３】
　この５番目のブロックのインデックストゥＤＲＢは、画像ディレクトリＤ２に関するデータが記録されているブロックであり、ヘッダに続いて８個のファイル用ＤＲユニットが設けられている。１〜７番目のユニットの７個のファイル用ＤＲユニットには、それぞれ画像データ管理ファイルｆ３，画像インデックスファイルｆ４，中間解像度画像データファイルｆ５，高解像度画像データファイルｆ６，中間解像度画像データファイルｆ７，超高解像度画像データファイルｆ９，中間解像度画像データファイルｆ１０の記録位置を示すためのデータがそれぞれ記録されている。また、これは、上述のファイル用ＤＲユニットと同様に、各ファイル用ＤＲユニットにおいて、エクステントスタートロケーションとして記録されているアロケーションブロック番号によって、上記画像データ管理ファイルｆ３，画像インデックスファイルｆ４，中間解像度画像データファイルｆ５，高解像度画像データファイルｆ６及び中間解像度画像データファイルｆ７の記録位置をそれぞれ示すようになっている。
【０１９４】
　上記７番目のユニットに設けられているファイル用ＤＲユニットには、超高解像度画像データファイルｆ９の記録位置を示すためのデータが記録されている。この超高解像度画像データファイルは、例えば１８クラスタのデータ長で連続するエリアに記録されるようになっている。なお、上記光ディスク２０上に１８クラスタ分の連続する空きエリアが存在しない場合、この超高解像度画像データファイルは、連続しないアロケーションブロックに分散されて記録されるようになっている。このように、１つのファイルを分散して記録した場合は、上記ファイル用ＤＲユニットのエクステントスタートロケーションのデータでは、上記ファイルの各分散エリアを直接指定することはせず、ディレクトリレコードブロックＤＲＢ及び指定する画像ファイルｆ９との間にエクステントレコードブロックＥＲＢを設け、このエクステントレコードブロックＥＲＢのデータによって画像ファイルの分散エリアの位置をそれぞれ指定するようになっている。
【０１９５】
　上記図１８を用いて説明したように、上記エクステントレコードブロックＥＲＢには、ヘッダに続いて４つのエクステントレコードユニット（ＥＲユニット）が設けられている。なお、このＥＲユニットは最大で６４個設けることができるようになっている。
【０１９６】
　１番目のＥＲユニットは、インデックス用ＥＲユニットとして使用され、２番目及び３番目のＥＲユニットは、ディスクリプタ用ＥＲユニットとして使用される。上記インデックス用ＥＲユニットには、２番目以降のＥＲユニットに関するインデックスデータが記録されている。また、上記インデックス用ＥＲユニットには、使用されるＥＲユニットの数分だけ、ＥＲインデックス及びロジカルオフセットが記録されている。
【０１９７】
　上記ＥＲインデックスは、６４個のＥＲユニットのうち、どのＥＲユニットが存在するかを示すデータであり、０〜６３のＥＲユニット番号で示されるようになっている。
【０１９８】
　また、上記ロジカルオフセットは、ＥＲインデックスで示されたＥＲユニットが、１つのファイルを構成するための何番目のＥＲユニットのデータであるかを示すデータとなっている。
【０１９９】
　上記ディスクリプタ用ＥＲユニットには、エクステントスタート位置及びエクステントブロック数が、それぞれ８個記録できるようになっている。
【０２００】
　上記エクステントスタート位置は、分散エリアのスタート位置を示すためのデータであり、アロケーションブロック番号で示されるようになっている。また、エクステントブロック数は、分散エリアのデータ長を示すためのデータであり、アロケーションブロック数で示されるようになっている。このため、１つのディスクリプタ用ＥＲユニットにより、エクステントスタート位置及びエクステントブロック数のデータに基づいて、８つの分散エリアの指定が可能となっている。
【０２０１】
　すなわち、この例の場合は図２１に示すように、最初のＥＲユニットの先頭にインデックス用のＥＲユニットであることを示す「ＦＦＦＦ」のデータが記録されている。上記超高解像度画像データファイルｆ９のデータを構成する最初のＥＲユニットを検索するためには、ロジカルオフセットのデータが「００００」となっているところを検索すればよい。インデックス用ＥＲユニットには、ロジカルオフセットの「００００」に対応するＥＲインデックスのデータとして「２」が記録されているため、２番目のＥＲユニットが、上記ファイルｆ９のデータを構成する最初のＥＲユニットであるとして検出することができる。
【０２０２】
　次に、２番目のＥＲユニット（ディスクリプタ用ＥＲユニット）を参照すると、上記ファイルｆ９の第１の分割エリアのスタート位置は、アロケーションブロック番号で「０１５２」であって、第１の分割エリアのデータ長は、アロケーションブロック数で「０００２」であることがわかる。同様に、このディスクリプタ用ＥＲユニットには、第２の分割エリアから第８の分割エリアに関するデータが順に記録されている。
【０２０３】
　次に、２番目のＥＲレコードであるディスクリプタ用ＥＲユニットに続くデータとしてインデックス用インデックスにおけるロジカルオフセット「００００」の次のデータである「０００１」を検索する。ロジカルオフセットが「０００１」となっているＥＲインデックスのデータは「３」と記録されているため、２番目のＥＲユニットに連続するデータとして３番目のＥＲユニットが存在することを示している。
【０２０４】
　次に、３番目のＥＲユニット（ディスクリプタ用ＥＲユニット）を参照すると、第９の分散エリア及び第１０の分散エリアのスタート位置を示すアロケーションブロック番号と、データ長を示すアロケーションブロック数がそれぞれ記録されている。
【０２０５】
　このように、エクステントレコードブロックＥＲＢのディスクリプタ用ＥＲユニットにより、１０個に分散された分散エリアのそれぞれのアロケーションブロック位置が示されているため、１つの画像ファイルが分散され記録された場合でも、エクステントレコードブロックＥＲＢを有するマネジメントブロック内において、それぞれの分散エリアの位置を把握することができる。このため、分散された各エリアを連続して１つのファイルとして光ディスク２０から再生する場合においても、該ディスク上の各分散エリアをそれぞれディスク上で検索する必要がなく、高速再生を可能とすることができる。
【０２０６】
　なお、このような画像ファイルの分散記録は、上述の超高解像度画像ファイルの記録時には限られず、画像ファイルの記録を重ねることでディスク上の未記録エリアが減少し、各解像度の画像ファイルに応じた所定クラスタ分の連続する空きエリアが確保できない場合に行われるものである。
【０２０７】
　５．［ファイルの構成］
　次に、上記各ファイルは、ヘッダとデータ本体とで構成されている。データ本体の開始アドレスは、ヘッダにて規定されるようになっている。データ本体は、例えば４の倍数のアドレスから開始されるようになっており、２バイト以上のデータは上位バイトが優先される。また、データサイズは固定長符号化された各画像データを除いて４の倍数とされており（上述の低解像度画像データをラスタ−ブロック変換する際に付される００ｈのダミーデータを含む。）、文字列はヌルデータ（００ｈ）でターミネートされる。なお、ヘッダとデータ本体との間に空き領域を設ける構成としてもよい。
【０２０８】
　５−１［ヘッダの構成］
　上記ヘッダは、複数のテーブルで構成されており、そのファイルが何のファイルであるかを示す「フォーマットテーブル」が先頭に配置され、以下、上記画像加工情報等のオプションのテーブルが任意の順番で配置されるようになっている。上記各テーブルは、例えば４の倍数のアドレスから開始されるようになっており、テーブルと次のテーブルとの間隔は２５６バイト以下となっている。なお、テーブルと次のテーブルとの間に空きデータが存在する構成としてもよい。
【０２０９】
　具体的には、上記テーブルの種類は、フォーマットテーブル（１０ｈ），名称テーブル（１１ｈ），コメントテーブル（１２ｈ），ディスクＩＤテーブル（１４ｈ），画像パラメータテーブル（２０ｈ），記録情報テーブル（２１ｈ），色管理パラメータテーブル（２２ｈ），オプションテーブル（９０ｈ）等が存在する（括弧内は各テーブルのＩＤ）。
【０２１０】
　５−２［フォーマットテーブル］
　上記フォーマットテーブルは、図２２に示すようにテーブルＩＤ（１バイト），次テーブルポインタ（１バイト），フォーマットバージョン（２バイト），ファイル形式（１バイト），ファイル形式バージョン（１バイト），全テーブル数（１バイト），空き領域（予約：１バイト），データ開始アドレス（４バイト），データサイズ（４バイト），空き領域（予約：４バイト）で構成されており、これらは、全てバイナリ（Ｂ）のデータ形式で記録されるようになっている。
【０２１１】
　また、上記１バイトで記録される「ファイル形式」としては、上述の総合情報管理ファイルが「００ｈ」で記録され、画像データ管理ファイルが「０１ｈ」で記録され、プリントデータ管理ファイルが「０３ｈ」で記録され、再生制御管理ファイルが「０５ｈ」で記録され、画像データファイルが「１０ｈ」で記録され、総合インデックスファイルが「１１ｈ」で記録され、画像インデックスファイルが「１２ｈ」で記録されるようになっている。また、プリントデータファイルが「３０ｈ」で記録され、テロップデータファイルが「３２ｈ」で記録され、キーワード検索データファイルが「３３ｈ」で記録され、タイムスタンプ検索データファイルが「３４ｈ」で記録され、再生制御データファイルが「３５ｈ」で記録されるようになっている。
【０２１２】
　５−３［画像パラメータテーブル］
この画像パラメータテーブルは、高解像度画像データ及び中間解像度画像ファイルデータを記録するための各画像ファイルのヘッダに記録され、この高解像度画像データ及び中間解像度画像データの基の原画像データに関する上記画像加工情報がパラメータとして記録されている。
【０２１３】
　当該静止画像システムにおいては、高解像度画像データ及び中間解像度画像データは、スキャナ等から取り込んだ原画像データに基づいて形成され、高解像度画像ファイル及び中間解像度画像ファイルとして記録している。しかし、原画像自体はディスクには一切記録されないため、原画像データが残ることはない。しかし、この画像ファイルのヘッダに記録された画像パラメータテーブルのデータに基づいて、この高解像度画像データの基となった原画像がどの状態で記録され、どのように加工されて高解像度画像データ及び中間解像度画像データが形成されたかを、この各画像加工情報に基づいて認識することができる。従って、原画像データに関する情報を残すために、これらの画像パラメータテーブルのデータは画像データと共に画像ファイルのヘッダに記録され、書き換えは行われないようになっている。
【０２１４】
　次に、上記画像パラメータテーブルには、図２３に示すように１バイトのテーブルＩＤと、１バイトの次テーブルポインタと、２バイトの画像サイズ（横サイズ）と、２バイトの画像サイズ（縦サイズ）と、１バイトの画像構成要素と、１バイトの縦横識別と、１バイトのワイドＩＤと、１バイトのその画像データの圧縮率と、１バイトの著作権，編集権情報と、１バイトの入力機器識別情報とが記録されるようになっている。また、３バイトの空き領域（予約）と、１バイトの上記ダミーデータの有無を示す情報等が記録されるようになっている。
【０２１５】
　上記「画像サイズ」は、画像の画素数のサイズを示す情報となっており、また、上記「画像構成要素」は、輝度（Ｙ），色差（Ｃｒ），色差（Ｃｂ）が４：２：０の場合は「００ｈ」が記録され、４：２：０のオルソゴナルの場合は「０１ｈ」が記録され、４：２：２の場合は「１０ｈ」が記録され、４：２：２のオルソゴナルの場合は「２０ｈ」が記録されるようになっている。なお、「オルソゴナル」とは、先頭のＹデータとＣデータが一致することを示すものである。
【０２１６】
　また、上記「縦横識別」は、画像を表示するための回転情報であり（反時計回り）、通常の横表示の場合は「００ｈ」が記録され、該横表示に対して９０度回転された縦表示の場合は「０１ｈ」が記録され、該横表示に対して１８０度回転された横表示の場合は「０２ｈ」が記録され、該横表示に対して２７０度回転された縦表示の場合は「０３ｈ」が記録されるようになっている。なお、「ＦＦｈ」は現在のところ不定義となっている。
【０２１７】
　これらの各情報は、すべて再生され表示可能となっている。このため、ユーザは、この画像パラメータテーブルをモニタ装置９に表示することにより、その画像のパラメータを簡単に認識することができるようになっている。
【０２１８】
　５−４［総合情報管理ファイル］
　上記総合情報管理ファイルは、ディレクトリ（ＰＩＣ　ＭＤ）に記録されている全てのデータファイルを総合的に管理するための管理ファイルである。
【０２１９】
　上記総合情報管理ファイルは、図２４（ａ）に示すようにヘッダとデータ本体で構成されている。上記ヘッダには、上述のようにフォーマットテーブル（１０ｈ），名称テーブル（１１ｈ），コメントテーブル（１２ｈ），ディスクＩＤテーブル（１４ｈ），オプションテーブル（９０ｈ）がそれぞれ記録されている。
【０２２０】
　上記データ本体には、２バイトの総画像枚数，２バイトの次画像ディレクトリ番号，２バイトの画像ディレクトリ総数，１バイトの再生制御ディレクトリの有無を示す情報，１バイトの再生制御ファイル数，１バイトのプリントデータファイル数，１バイトのテロップデータファイルの有無を示す情報が記録されるようになっている。また、１バイトの検索情報ファイルの有無を示す情報，１バイトの自動起動ファイル番号，２バイトのラストアクセス画像ディレクトリ番号，２バイトのラストアクセス画像番号，８バイトのパスワード，６バイトのナレーション国語情報，２バイトの空き領域（予約），４８バイトの画像ディレクトリ情報ユニットがＮ個（Ｎは画像ディレクトリ数）記録されるようになっている。なお、これらの各情報は、全てバイナリのデータ形式で記録されるようになっている。
【０２２１】
　上記「総画素枚数」は、アスペクト比が３：４の通常解像度（中間解像度画像データ）の画像の総画素枚数を示す情報であり、「次画像ディレクトリ番号」は、画像ディレクトリの最終番号に１を加算した情報であり、「画像ディレクトリ総数」は、画像ディレクトリの数（Ｎ）を示す情報である。また、「テロップデータのファイル数の有無」は、不存在の場合は「００ｈ」，存在する場合は「０１ｈ」がそれぞれ記録されるようになっている。
【０２２２】
　上述のように、４８バイトからなる画像ディレクトリ情報ユニットは、総合インデックスファイルに記録されるインデックス画像と対応付けられて記録されている。この総合インデックスファイルには、各画像ディレクトリに含まれるインデックス画像のうち、ユーザが選択した１つのインデックス画像が、画像ディレクトリ順に記録されている。従って、この総合インデックスファイルには、該画像ディレクトリから１インデックス画像を取り出しているので、画像ディレクトリと同じ数（Ｎ）のインデックス画像が記録されている。
【０２２３】
　また、この１つの画像ディレクトリ情報ユニットは、この総合インデックスファイルに記録された１つのインデックス画像に対応しており、かつ、この総合インデックスファイルのｍ番目に記録されているインデックス画像に対応する画像ディレクトリ情報ユニットはｍ番目のユニットとして記録されている。すなわち、この画像ディレクトリ情報ユニットは、総合インデックスファイルのインデックス画像の記録順と同じ順番、かつ、同じ数だけ記録されている。
【０２２４】
　各画像ディレクトリ情報ユニットは、それぞれ図２４（ｂ）に示すように２バイトのディレクトリ番号，２バイトのインデックス画像番号，２バイトのディレクトリ内画像枚数，１バイトのインデックス画像個別情報，１バイトの文字識別コード，３６バイトのディレクトリ名称，４バイトの空き領域で構成されている。上記「ディレクトリ名称」以外は、すべてバイナリのデータ形式で記録されるようになっているが、「ディレクトリ名称」は、アスキーコード（Ａ）で記録されるようになっている。
【０２２５】
　なお、この「ディレクトリ名称」が、例えばＩＳＯコード或いはＪＩＳコード等のアスキーコード以外のコードで記録される場合は、そのデータ形式は「Ｃ」となる。
【０２２６】
　上記のディレクトリ番号には、インデックス画像と対応する画像ファイルを含む画像ディレクトリを示すためのディレクトリ番号が記録され、上記インデックス画像番号には、インデックス画像に対応する画像ファイルの番号を示すための画像番号が記録されている。従って、ユーザにより総合インデックスファイルのｍ番目インデックス画像の指定がされると、まず、先頭からｍ番目の画像ディレクトリ情報ユニットを参照し、次に、この参照された画像ディレクトリ情報ユニットに記録されたディレクトリ番号のデータによって、指定された画像インデックスがどの画像ディレクトリに含まれるかを検索するようになっている。また、上記インデックス画像個別情報には、インデックス画像をモニタ表示する際の回転情報等が記録されており、インデックス画像を表示する際には、この情報に基づいて表示を行うようになっている。
【０２２７】
　５−５［画像データ管理ファイル］
　画像データ管理ファイルは、各画像ディレクトリに必ず１つ設けられ、ディレクトリの中に記憶された各画像の管理を行なうためのデータが記録されるようになっている。
【０２２８】
　この画像データ管理ファイルは、図２５（ａ）に示すようにヘッダ及びデータ本体で構成されている。上記ヘッダには、上述のようにフォーマットテーブル（１０ｈ），名称テーブル（１１ｈ），コメントテーブル（１２ｈ），ディスクＩＤテーブル（１４ｈ），オプションテーブル（９０ｈ）がそれぞれ記録される。
【０２２９】
　また、上記データ本体には、１バイトのリンクＩＤ，３バイトの空き領域（予約），２バイトの次画像番号，２バイトの画像枚数，２バイトの空き領域（予約），１バイトの画像インデックスファイル数，１バイトの次画像インデックスファイル番号，４×２５６バイトのインデックスファイル情報，１６バイトの画像情報ユニットがＮ個（画像枚数）記録される。なお、これらの各情報は、バイナリのデータ形式で記録される。
【０２３０】
　上記「画像枚数」は、画像ディレクトリの中の総画像枚数（Ｎ）を示す情報となっている。また、「インデックスファイル情報」は、表示順に従って並べられており、実際に存在するインデックスファイル数に関係なく、例えば２５６個のエントリが用意されている。
【０２３１】
　また、上記１６バイトの画像情報ユニットは、後述する画像インデックスファイルに記録されるインデックス画像に対応付けられて記録されている。上記画像インデックスファイルには、この画像ディレクトリに含まれるすべての画像ファイルを示すためのインデックス画像が表示順に記録されている。このため、この画像インデックスファイルには、画像ディレクトリの中の総画像枚数Ｎと同じ数のＮ個のインデックス画像が記録されていることとなる。
また、この１つの画像情報ユニットは、画像インデックスファイルに記録された１つのインデックス画像に対応しており、この画像インデックスファイルにｍ番目に記録されているインデックス画像に対応する画像情報ユニットは、ｍ番目のユニットとして記録されている。すなわち、この画像情報ユニットは、画像インデックスファイルのインデックス画像の記録順と同じ順番、同じ数だけ記録されている。
【０２３２】
　次に、上記画像情報ユニットには、図２５（ｂ）に示すように２バイトのディレクトリ番号，２バイトの画像番号，１バイトの画像種別情報，１バイトの画像個別情報，１バイトのリンク数，１バイトのナレーション情報，２バイトのキーワード検索データ番号，２バイトのタイムスタンプ検索データ番号，２バイトのテロップ番号，２バイトの空き領域（予約）がそれぞれ記録されるようになっている。なお、これらの各情報は、それぞれバイナリのデータ形式で記録されるようになっている。
【０２３３】
　上記のディレクトリ番号には、インデックス画像と対応する画像ファイルを含む画像ディレクトリを示すためのディレクトリ番号が記録され、上記の画像番号には、インデックス画像と対応する画像ファイルの番号を示すための画像番号が記録されるようになっている。このため、ユーザにより画像インデックスファイルのｍ番目インデックス画像が指定されると、まず、先頭からｍ番目の画像情報ユニットを参照する。すなわち、この参照された画像情報ユニットに記録されたディレクトリ番号のデータによって、指定された画像インデックスがどの画像ディレクトリに含まれるかを検索し、次に画像番号により、その画像ディレクトリの中の何番目の画像ファイルであるかを検索するようになっている。
【０２３４】
　また、上記画像種別情報には、中間解像画像ファイルを表す「ＰＳＮ」や高解像度画像ファイルを表わす「ＰＨＰ」等の画像種別を示すデータが記録されており、インデックス画像によって高解像度画像ファイル及び中間解像画像ファイルを指定した際には、この画像種別情報に基づいてファイル名（先頭の３文字）が指定されることとなる。
【０２３５】
　５−６［プリントデータ管理ファイル］
　上記プリントデータ管理ファイルは、図２６（ａ）に示すようにヘッダとデータ本体とで構成されている。上記ヘッダには、フォーマットテーブル（１０ｈ），名称テーブル（１１ｈ），コメントテーブル（１２ｈ），オプションテーブル（９０ｈ）がそれぞれ記録されるようになっている。
【０２３６】
　上記データ本体には、１バイトの次プリントデータファイル番号，１バイトのプリントデータファイル総数，２バイトの空き領域（予約），４×Ｎ（数分）バイトのプリントデータファイル管理情報ユニットがそれぞれ記録されるようになっている。
【０２３７】
　上記「次プリントデータファイル番号」としては最終のプリントデータファイルの番号に１を加算した値が記録され、「プリントデータファイル総数」としては該プリントデータファイルの総数が記録され、「プリントデータファイル管理情報ユニット」としては、プリントデータファイルの数が記録されるようになっている。
【０２３８】
　上記「プリントデータファイル管理情報ユニット」には、図２６（ｂ）に示すように１バイトのプリントデータファイル番号，１バイトのプリント実行ＩＤ，２バイトの空き領域（予約）がそれぞれ記録されるようになっている。
【０２３９】
　上記プリントデータファイル番号はプリントデータファイルの番号を示す情報であって、図１９に示すようにプリントデータファイルＰＲＴ０００．ＰＭＯのＰＲＴに続く３文字「０００」に対応する番号が記録されている。また、上記「プリント実行ＩＤ」としては、そのプリントデータファイル番号で指定されたプリントデータファイルによってプリントを行わない場合は「０１ｈ」が記録され、そのプリントデータファイル番号で指定されたプリントデータファイルによってプリントを行う場合は「００ｈ」が記録されるようになっている。
【０２４０】
　５−７［画像データファイル］
　上記画像データファイルは、図２７に示すようにヘッダとデータ本体とで構成されている。上記ヘッダには、フォーマットテーブル，画像パラメータテーブル，分割管理テーブル，名称テーブル，コメントテーブル，著作権情報テーブル，記録日時テーブル，色管理情報テーブル，アビアランス情報テーブル，カメラ情報テーブル，スキャナ情報テーブル，ラボ情報テーブル，オプションテーブルが、それぞれ記録されるようになっている。なお、上記「フォーマットテーブル」及び「画像パラメータテーブル」は、システムを構成する場合に必須記録事項となっており、これら以外はオプション事項となっている。
【０２４１】
　これらの各テーブルに記録された各データは、原画像データを加工して高解像度データ叉は中間解像画像データを形成した際の条件の示す画像加工情報等である。このため、通常の記録再生時にこれら各テーブルに記録されたデータを書き換えることはない。
【０２４２】
　なお、上記データ本体には、固定長符号化された高解像度画像データ或いは中間解像度画像データが記録されるようになっている。
【０２４３】
　５−８［総合インデックスファイル］
　この総合インデックスファイルには、各画像ディレクトリに含まれる複数のインデックス画像のうち、ユーザが選択した１つのインデックス画像が、モニタ表示される順番で記録されている。従って、この総合インデックスファイルには、各画像ディレクトリと同じ数のインデックス画像が記録されていることとなる。
【０２４４】
　上記総合インデックスファイルは、インデックス画像データ（低解像度画像データ）の集合であり、当該ファイル自体にヘッダは設けられていない。インデックス画像数は、上述の総合情報管理ファイルにより「ディレクトリ総数」として記録されるようになっている。また、各インデックスは、管理ファイルの順番と同じ順番に並べられるようになっている。
【０２４５】
　具体的には、上記総合インデックスファイルは、図２８（ａ）に示すようにそれぞれ４０９６バイトのインデックス画像データ０〜Ｎのデータ本体のみから構成されている。上記各インデックス画像データは、図２８（ｂ）に示すようにヘッダ及びデータ本体で構成されている。上記ヘッダには、フォーマットテーブルが記録されるようになっている。なお、このヘッダには、フォーマットテーブルに続いて空き領域が設けられており、ユーザの任意の情報が記録可能となっている。上記データ本体は、固定長符号化されたインデックス画像データ（低解像度画像データ）が記録されるようになっている。なお、このデータ本体には、上記インデックス画像データに続いて空き領域が設けられている。
【０２４６】
　５−９［画像インデックスファイル］
この画像インデックスファイルには、この画像ディレクトリに含まれる全ての画像ファイルを示すためのインデックス画像が、表示順に記録されている。従って、この画像インデックスファイルには、画像ディレクトリの中の総画像枚数と同じ数のＮ個のインデックス画像が記録されることとなる。
【０２４７】
　上記画像インデックスファイルは、インデックス画像データ（低解像度画像データ）の集合であり、図２９（ａ）に示すように当該ファイル自体のヘッダは有しておらず、その代わりに各インデックス画像データ毎にヘッダを有する構成となっている。インデックス画像数は、上記総合情報管理ファイルでディレクトリ総数として記録されるようになっている。また、各インデックスは、管理ファイルの順番と同じ順番に並べられている。
【０２４８】
　具体的には、上記各インデックス画像データは、図２９（ｂ）に示すようにフォーマットテーブル及び空き領域を有するヘッダと、固定長符号化された低解像度画像データ及び空き領域を有するデータ本体で構成されている。上記ヘッダと低解像度画像データの総量は、例えば４０９６バイトとなっている。また、上記ヘッダは空き領域を含めて２５６バイトの固定となっている。
【０２４９】
　５−１０［プリントデータファイル］
　上記プリントデータファイルは、図３０に示すようにヘッダ及びデータ本体で構成されている。上記ヘッダには、フォーマットテーブル，名称テーブル，コメントテーブル，オプションテーブルがそれぞれ記録されるようになっている。また、上記データ本体には、２バイトのプリント総数，２バイトの空き領域（予約），４０バイトのプリント情報ユニットがＮ個（画像の数分）記録されるようになっている。
【０２５０】
　上記「プリント総数」には、プリントを行う画像の総数を示す情報が記録され、「プリント情報ユニット」には、プリントを行う画像データを示すデータを及び上記画像をプリンタ部２によってプリントアウトする際に、該プリンタ部２を制御するためのプリント制御データ等が記録されるようになっている。
【０２５１】
　なお、これらの各情報は、それぞれバイナリのデータ形式で記録されるようになっている。
【０２５２】
　上記「プリント情報ユニット」には、図３１に示すように画像データを示すデータとして２バイトの画像ディレクトリ番号，２バイトの画像番号，１バイトの画像種別を示すデータがそれぞれ記録されている。
【０２５３】
　また、上記「プリント情報ユニット」には、プリント制御データとして１バイトの印刷枚数（プリント枚数），１バイトの予約（リザーブ），１バイトの切り出しＩＤ，２バイトの切り出し開始位置（画面横方向＝Ｘ方向），２バイトの切り出し開始位置（画面縦方向＝Ｙ方向），２バイトの切り出しサイズ（縦方向＝Ｘ方向），２バイトの切り出しサイズ（横方向＝Ｙ方向）を示すデータがそれぞれ記録されるようになっている。また、１バイトの回転ＩＤ，１バイトのミラーＩＤ，１バイトの印刷サイズＩＤ，１バイトの定型指定，２バイトの不定型サイズ指定（横方向＝Ｘ方向），２バイトの不定型サイズ指定（縦方向＝Ｙ方向），１バイトの多重ＩＤ，１バイトの多重モード，１バイトのキャプションＩＤ，１バイトのキャプション種別，１バイトの色加工ＩＤを示すデータがそれぞれ記録されるようになっている。また、１バイトの赤色（Ｒ）ゲイン，１バイトの緑色（Ｇ）ゲイン，１バイトの青色（Ｂ）ゲイン，１バイトのコントラスト，１バイトのブライトネス，１バイトのシャープネス，１バイトのサチュレーション，１バイトのヒュー（色座標の回転角度）を示すデータがそれぞれ記録されるようになっている。
【０２５４】
　上記「印刷枚数」のプリント制御データは、同一画像のプリント枚数を示すデータである。また、「切り出しＩＤ」のプリント制御データは、ディスクに記録された高解像度画像データから所望の部分を切り出してプリントするか否かを示すデータであり、ディスクに記録された高解像度画像データをそのままプリントする場合には該切り出しＩＤとして「００ｈ」が記録され、所望の部分を切り出してプリントする場合には該切り出しＩＤとして「０１ｈ」が記録される。
【０２５５】
　上記「切り出し開始位置」を示すプリント制御データは、上記ディスクに記録された高解像度画像データから所望の部分を切り出してプリントする場合に、画面の横方向（Ｘ方向）及び縦方向（Ｙ方向）の各切り出し開始位置を指定するためのデータであり、それぞれ画素単位で記録される。
【０２５６】
　上記「ミラーＩＤ」は、その高解像度画像データを正転状態でプリントするか、反転状態でプリントするかを指定するためのデータであり、正転状態のプリントが指定された場合は該ミラーＩＤとして「００ｈ」が記録され、反転状態のプリントが指定された場合は該ミラーＩＤとして「０１ｈ」が記録される。
【０２５７】
　上記「印刷サイズＩＤ」は、以下に説明する定型サイズでのプリントを行うか、任意に指定する不定型サイズでのプリントを行うかを指定するためのデータであり、定型サイズでのプリントが指定された場合は該印刷サイズＩＤとして「００ｈ」が記録され、不定型サイズでのプリントが指定された場合は「０１ｈ」が記録される。
【０２５８】
　上記「定型指定」は、現存するプリントサイズの中から所望のプリントサイズを選択するためのデータであり、いわゆるＥ版が選択された場合は「００ｈ」が、Ｌ版が選択された場合は「０１ｈ」が、Ｋ版が選択された場合は「０２ｈ」が、キャビネ（ＬＬ版）が選択された場合は「０３ｈ」が、６つ切りサイズが選択された場合は「０４ｈ」が、４つ切りサイズが選択された場合は「０５ｈ」がそれぞれ記録される。また、Ａ６サイズが選択された場合は「１０ｈ」が、Ａ５サイズが選択された場合は「１１ｈ」が、Ａ４サイズが選択された場合は「１２ｈ」が、Ａ３サイズが選択された場合は「１３ｈ」がそれぞれ記録される。
【０２５９】
　なお、上記「印刷サイズＩＤ」により不定型サイズでのプリントが指定された場合には、この「定型指定」のプリント制御データとしては「ＦＦｈ」が記録されるようになっている。
【０２６０】
　上記「不定型サイズ指定」のプリント制御データは、上述の定型サイズのプリントサイズ以外にユーザが任意にプリントサイズを指定するためのデータであり、縦方向（Ｘ方向）及び横方向（Ｙ方向）にそれぞれｍｍ単位で設定可能となっている。なお、上記「印刷サイズＩＤ」により定型を選択し、上記各サイズの中から所望のプリントサイズを選択した場合には、この「不定型サイズ指定」のプリント制御データとして「ＦＦＦＦｈ」が記録される。
【０２６１】
　上記「多重ＩＤ」のプリント制御データは、１画面を複数分割し、それぞれに同じ画像を表示する、いわゆるマルチ画面のプリント指定の有無を示すデータであり、このマルチ画面のプリントを行わない場合は「多重なし」として「００ｈ」が記録され、マルチ画面のプリントを行う場合は「多重あり」として「０１ｈ」が記録される。
【０２６２】
　上記「多重モード」のプリント制御データは、上記マルチ画面のプリントを行う場合に、１画面を何分割するかを指定するためのデータであり、１画面を２分割する場合は「００ｈ」が、１画面を４分割する場合は「０１ｈ」が、１画面を６分割する場合は「０２ｈ」が、１画面を８分割する場合は「０３ｈ」が、１画面を１６分割する場合は「０４ｈ」がそれぞれ記録される。
【０２６３】
　上記「キャプションＩＤ」のプリント制御データは、プリントされる画像の下（或いは上）に、例えばその画像に付された表題，記録日時等の文字も一緒にプリントするか否かを指定するためのデータである。この表題，記録日時等の文字は、上述のように２４４バイトのアスキーコードで記録されるようになっており、２４４文字分（漢字であれば１２２文字分）が記録可能となっている。そして、上記表題，記録日時等と共に画像のプリントを行う場合は、このキャプションＩＤとして「０１ｈ」が記録され、該表題，記録日時等と共に画像のプリントを行わない場合は「００ｈ」が記録される。
【０２６４】
　上記「キャプション種別」のプリント制御データは、図２７を用いて説明した画像データファイルのヘッダを構成する各データをプリントするか否かを指定するためのデータである。このキャプション種別には、「名称テーブル」に含まれる名称データが画像データと共にプリントアウトされるように指定された場合、該名称テーブルのテーブルＩＤとして「１１ｈ」が記録され、「コメントテーブル」に含まれるコメントデータが画像データと共にプリントアウトされるように指定された場合、該コメントテーブルのテーブルＩＤとして「１２ｈ」が記録され、「記録日時テーブル」に含まれる記録日時データが画像データと共にプリントアウトされるように指定された場合、記録日時テーブルのテーブルＩＤとして「１４ｈ」が記録されるようになっている。
【０２６５】
　上記「色加工ＩＤ」のプリント制御データは、その画像に対してユーザが所望の部分に対して赤色を強調する等の色加工を施したか否かを示すデータであり、該色加工が施されなかった場合は「００ｈ」が記録され、該色加工が施された場合は「０１ｈ」が記録される。
【０２６６】
　上記「Ｒ，Ｇ，Ｂの各ゲイン」のプリント制御データは、各色データのゲインを示すデータである。上記各色データは、それぞれ０倍〜５倍までのゲインを、１／２５６（８ビット）間隔で調整可能となっており、上記各ゲインのプリント制御データとしては、この調整されたゲインを示すデータが記録されるようになっている。
【０２６７】
　上記「コントラスト」のプリント制御データは、プリントする画像のコントラストを示すデータであり、上記ゲインと同様に１／２５６間隔で調整可能となっている。そして、このように調整されたコントラストを示す値が、当該プリント制御データとして記録される。
【０２６８】
　上記「ブライトネス」及び「ヒュー」のプリント制御データは、プリントする画像の明るさを示すデータであり、８ビットで示される１２８を±０として＋方向及び−方向のパーセンテージで記録されるようになっている。
【０２６９】
　上記「シャープネス」のプリント制御データは、０倍〜５倍までの間で調整された画像のエッジ強調度を示すデータであり、１／２５６（８ビット）間隔で調整された値が記録されるようになっている。
【０２７０】
　また、上記「サチュレーション」のプリント制御データも０倍〜５倍までの間を、１／２５６（８ビット）間隔で調整された値が記録されるようになっている。
【０２７１】
　６．［記録動作］
　次に、以上の階層ディレクトリ構造及び各ファイル構成を踏まえたうえで、図３２及び図３３のフローチャートを用いて当該静止画像システムの記録動作を説明する。
【０２７２】
　まず、図３２に示すフローチャートにおいて、ユーザが図８に示す電源キー３１をオン操作することによりストレージ部５がスタンバイ状態となる。そして、このフローチャートがスタートとなりステップＳ１に進む。
【０２７３】
　上記ステップＳ１では、ユーザが図８に示すディスク挿入口３０に光ディスク２０を挿入してステップＳ２に進む。これにより、上記ディスク挿入口３０を介して挿入された光ディスク２０がストレージ部５内に装着されて画像データの記録可能な状態となる。
【０２７４】
　上記ステップＳ２では、システムコントローラ６が、図６に示すストレージ部コントローラ５ｄを介して、図９（ａ）に示す光ディスク２０上のＰ−ＴＯＣ及びＵ−ＴＯＣを読み込むようにディスク記録再生部５ｃを制御する。そして、この読み込んだＰ−ＴＯＣ及びＵ−ＴＯＣの各データを図１に示すシステムコントローラ６に転送する。上記システムコントローラ６は、この転送されるＰ−ＴＯＣ及びＵ−ＴＯＣの各データを検出することにより、データＵ−ＴＯＣが存在するか否かを確認すると共に、該データＵ−ＴＯＣの記録位置を確認する。
【０２７５】
　具体的には、上記データＵ−ＴＯＣでは、データファイルが形成されている領域は管理することができない。このため、上記システムコントローラ６は、上記データファイルが存在する場合は、データファイルの先頭にデータＵ−ＴＯＣが存在すると判断してステップＳ３に進む。
【０２７６】
　上記ステップＳ３では、システムコントローラ６は、上記ストレージ部コントローラ５ｄを介して、図９（ａ）に示す光ディスク２０上のデータＵ−ＴＯＣを読み込むようにディスク記録再生部５ｃを制御する。そして、データＵ−ＴＯＣのデータを上記システムコントローラ６のＲＡＭ６ａに転送する。上記システムコントローラ６は、上記転送されたデータＵ−ＴＯＣのデータをＲＡＭ６ａに一旦記憶し読み出すことにより、各画像ディレクトリ及び各ファイルの位置を把握してステップＳ４に進む。なお、ファイルの記憶位置の検索は、後の［検索時の動作説明］の項において詳しく説明する。
【０２７７】
　次に、上記ステップＳ４では、上記システムコントローラ６が、ＲＡＭ６ａに記憶されたデータＵ−ＴＯＣのデータに基づいて、ディレクトリ（ＰＩＣ  ＭＤ）及び総合情報管理ファイルが存在するか否かを判別することにより、上記光ディスク２０が画像データの記録用にフォーマットされているか否かを判別する。そして、Ｙｅｓの場合はステップＳ５に進み、Ｎｏの場合はステップＳ１１に進む。
【０２７８】
　ステップＳ１１では、上記光ディスク２０が画像データ用にフォーマット化されていないため、システムコントローラ６が、該光ディスク２０を画像データの記録用にフォーマット化する。そして、一旦、この図３２及び図３３に示す全ルーチンを終了し、再度記録指定がなされるまでスタンバイ状態となる。
【０２７９】
　一方、上記ステップＳ５では、上記システムコントローラ６が、上記ストレージ部コントローラ５ｄを介して全ての管理ファイルを読み出すようにディスク記録再生部５ｃを制御すると共に、この読み出された全ての管理ファイルをＲＡＭ６ａに一旦記憶してステップＳ６に進む。
【０２８０】
　ステップＳ６では、上記システムコントローラ６が、これから記録する画像の記録モードを選択する画面を表示するようにモニタ装置９を表示制御する。具体的には、上記モニタ装置９には、１０２４画素×１５３６画素の高解像度の画像を記録するためのＨＤ記録モードの選択画面と、２０４８画素×３０７２画素の超高解像度の画像を記録するためのＵＤ記録モードの選択画面とが表示される。
【０２８１】
　なお、上記中間解像度の画像は、上述のように２クラスタの固定データ長で記録されるが、該中間解像度の画像を１クラスタの固定データ長で記録する記録モードを設け、上記２クラスタのデータ長での固定長符号化及び１クラスタのデータ長での固定長符号化をユーザの意思で選択可能としてもよい。これにより、２クラスタの固定データ長の記録モードが選択されたときは、解像度の高い中間解像度画像データを記録することができ、また、１クラスタの固定データ長の記録モードが選択されたときは、多少解像度は劣るが記録枚数を増やした記録を可能とすることができる。
【０２８２】
　次に、上記ステップＳ７では、上記システムコントローラ６が操作部１０の操作状態を検出することにより、上記ＨＤ記録モード及びＵＤ記録モードのうち、いずれかの記録モードが選択されたか否かを判別し、Ｎｏの場合は上記選択がなされるまで当該ステップＳ７を繰り返し、Ｙｅｓの場合はステップＳ８に進む。
【０２８３】
　ステップＳ８では、システムコントローラ６が、ＲＡＭ６ａに記憶された総合情報管理ファイルの中の記録済みの総画像枚数（中間解像度画像データの画像の総枚数）と、画像データ管理ファイルの中の画像枚数及び画像情報の画像種別情報とに基づいて、ユーザにより指定されたＨＤ記録モード或いはＵＤ記録モードにおける、記録可能な画像の枚数を演算する。
【０２８４】
　具体的には、上記光ディスク２０には、２クラスタの中間解像度画像データ及び８クラスタの高解像度画像データのみの組み合わせで約２００枚分の画像の記録が可能であり、２クラスタの中間解像度画像データ及び１８クラスタの超高解像度画像データのみの組み合わせで約１００枚分の画像の記録が可能となっている。このため、光ディスク２０全体の記録可能容量から記録済みの容量を差し引くと、ＨＤ記録モードが選択された場合の記録可能枚数及びＵＤ記録モードが選択された場合の記録可能枚数をそれぞれ演算することができる。
【０２８５】
　次に、ステップＳ９では、システムコントローラ６が、ＲＡＭ６ａから総合管理ファイルの中の画像ディレクトリ情報ユニットを読み出し、ディレクトリ名称，ディレクトリ番号及び画像ディレクトリ内の画像枚数等のデータを上記モニタ装置９に表示制御してステップＳ１０に進む。
【０２８６】
　上記ステップＳ１０では、システムコントローラ６が操作部１０の操作状態を検出することにより、ユーザからその画像データを記録する画像ディレクトリの指定があったか否かを判別し、Ｎｏの場合はステップＳ１２に進み、Ｙｅｓの場合は、図３３に示すステップＳ１４に進む。
【０２８７】
　上記ステップＳ１２では、ユーザから画像ディレクトリの指定がなされないため、システムコントローラ６が、操作部１０の操作状態を検出することにより、既存の画像ディレクトリ以外の新たな画像ディレクトリの形成が指定されたか否かを判別し、Ｎｏの場合は該新たな画像ディレクトリの形成が指定されるまで、上記ステップＳ１０及び当該ステップＳ１２を繰り返し、Ｙｅｓの場合はステップＳ１３に進む。
【０２８８】
　ステップＳ１３では、新たな画像ディレクトリの形成が指定されたため、システムコントローラ６が、総合情報管理ファイルによって既存の画像ディレクトリの個数を判断して、新たな画像ディレクトリのディレクトリ番号を付すと共に、この画像ディレクトリの中に画像データ管理ファイル及び画像インデックスファイルを形成して、上記図３３に示すステップＳ１４に進む。
【０２８９】
　次に、この図３３に示すステップＳ１４では、システムコントローラ６が、指定された画像ディレクトリのインデックスファイルに記録されている全ての画像データを読み出すように、上記ストレージ部コントローラ５ｄを介してディスク記録再生部５ｃを制御すると共に、このインデックスファイルの画像データを図４に示すメインメモリ１１ａに転送制御してステップＳ１５に進む。なお、上記インデックスファイルからは、ヘッダと共に固定長符号化されて記録されている画像データを伸張復号化処理することなく、そのまま読み出し上記メインメモリ１１ａに転送する。また、インデックスファイルの中に画像データが記録されていないときは、上記メインメモリに画像データが読み出されることはない。
【０２９０】
　ステップＳ１５では、システムコントローラ６が操作部１０の操作状態を検出することにより、ユーザから記録開始の指定があったか否かを判別し、Ｎｏの場合は該記録開始の指定があるまでこのステップＳ１５を繰り返し、Ｙｅｓの場合はステップＳ１６に進む。
【０２９１】
　ステップＳ１６では、上記システムコントローラ６が、これから記録しようとする画像はインデックス画像であるか否かを判別し、Ｎｏの場合はステップＳ１７に進み、Ｙｅｓの場合はステップＳ２６に進む。
【０２９２】
　ステップＳ２６では、システムコントローラ６が、これから記録しようとしている画像がインデックス画像であることを示すデータを図５に示す間引き，圧縮伸張コントローラ４ｉに供給する。間引き，圧縮伸張コントローラ４ｉは、上記データが供給されると、圧縮伸張回路４ｈにインデックス画像用の固定長化係数を設定してステップＳ２７に進む。
【０２９３】
　ステップＳ２７では、上記システムコントローラ６が、上記間引き，圧縮伸張コントローラ４ｉを介して、上記設定された固定長化係数に基づいて、１／４に間引き処理された画像データに圧縮符号化処理を施すように圧縮伸張回路４ｈを制御することにより、１／１５クラスタの固定データ長に固定長符号化されたインデックス画像を形成してステップＳ２８に進む。
【０２９４】
　ステップＳ２８では、システムコントローラ６が、図４に示すメインメモリ１１ａに記憶されているインデックスファイルの中にヘッダを付加した計４０９６バイトのインデックス画像を記録するようにメモリコントローラ１３を制御してステップＳ２９に進む。
【０２９５】
　ステップＳ２９では、システムコントローラ６が、上記メインメモリ１１ａに全部のインデックス画像を記録したか否かを判別し、Ｎｏの場合は上記ステップＳ１６に戻り、Ｙｅｓの場合はステップＳ３０に進む。
【０２９６】
　ステップＳ３０では、上記システムコントローラ６が、ＲＡＭ６ａに記憶されているデータＵ−ＴＯＣの中のボリュームスペースビットマップＶＳＢのアロケーションブロック番号の２ビットのエントリが「００」（使用可能アロケーションブロックを示すコード）となっている箇所を検索することにより、空きエリアを検出してステップＳ３１に進む。
【０２９７】
　ステップＳ３１では、上記システムコントローラ６が、ストレージ部コントローラ５ｄを介して上記光ディスク２０上の検出された空きエリアにアクセスするようにディスク記録再生部５ｃを制御してステップＳ３２に進む。
【０２９８】
　ステップＳ３２では、上記システムコントローラ６が、ストレージ部コントローラ５ｄを介して上記光ディスク２０上の空きエリアに上記インデックス画像を有するインデックスファイルを記録するようにディスク記録再生部５ｃを制御してステップＳ２３に進む。
【０２９９】
　すなわち、当該静止画像システムでは、上記インデックス画像を固定長符号化して光ディスク２０に記録する場合、該固定長符号化した所定数のインデックス画像を光ディスク２０に記録する前に、一旦、順にメインメモリ１１ａ上に記録することにより、該メインメモリ１１ａ上で所定数のインデックス画像から１つのインデックスファイルを形成し、この後、光ディスク２０上の物理的に連続するエリアに記録するようになっている。
【０３００】
　一方、上述のように１つのインデックス画像は、１／１５クラスタのデータ長に固定長符号化される。このため、この１／１５クラスタのデータ長の画像データを光ディスク２０上に記録するためには、該１／１５クラスタ分の画像データに対して１４／１５クラスタ分のダミーデータを付加して１クラスタのデータ長とする必要がある。従って、上記１／１５クラスタの画像データを形成する毎にディスクに記録していたのでは、インデックス用の画像データの記録領域よりも上記ダミーデータの記録領域の方が多くなってしまい、ディスク上の記録領域を有効に利用することができない。
【０３０１】
　このため、当該静止画像システムでは、所定数のインデックス用の画像データを、一旦、メインメモリ１１ａ上にインデックスファイルとして記録し、全インデックス画像データの取り込みが終了した後に、該メインメモリ１１ａに記録したインデックスファイルをディスク上に記録するようにしている。
【０３０２】
　すなわち、例えば２５個のインデックス画像を有するインデックスファイルを記録する場合、１５個のインデックス画像（１５個×１／１５クラスタ）を１クラスタ分の領域に記録し、残り１０個のインデックス画像（１０個×１／１５クラスタ）と、５／１５クラスタ分のダミーデータを、次の１クラスタ分の領域に記録する。これにより、ディスク上に記録されるダミーデータのデータ量を軽減することができ、該ディスク上の記録領域を有効に使用することができる。また、当該静止画像システムは、複数の固定長符号化したインデックス画像を、一旦、メインメモリ１１ａ上に記録することにより、該メインメモリ１１ａ上の所定数のインデックス画像によって１つのインデックスファイルを形成し、このインデックスファイルをディスク上の物理的に連続するエリアに記録するようにしているため、ディスク上に記録されるインデックスファイルを必ず連続したファイルとすることができる。このため、インデックスファイルを光ディスク２０から読み出す場合には、ディスク上で連続して記録されていることから、高速読み出しを可能とすることができる。
【０３０３】
　なお、このインデックスファイルに新たなインデックス画像を追加する場合は、上述のように記録に先立ってインデックスファイルのデータがメインメモリ１１ａ上に読み出される。記録の際には、新たなインデックス画像は、最後に記録されたインデックス画像の後ろに付加されているダミーデータを削除して、最後に記録されたインデックス画像の直後のエリアに記録するようになっている（ダミーデータがない場合は削除の必要はない。）。
【０３０４】
　一方、上記ステップＳ１６においてＮｏと判別されステップＳ１７に進むと、ステップＳ１７においてシステムコントローラ６が、中間解像度の画像或いは高解像度の画像を記録するための光ディスク２０上の空きエリアを検出してステップＳ１８に進む。
【０３０５】
　具体的には、上記システムコントローラ６は、ＲＡＭ６ａに記憶されているデータＵ−ＴＯＣの中のボリュームスペースビットマップＶＳＢのアロケーションブロック番号の２ビットのエントリが「００」（使用可能アロケーションブロックを示すコード）になっている箇所を検索することにより、上記空きエリアの検出を行う。
【０３０６】
　ステップＳ１８では、上記システムコントローラ６が、上記ステップＳ１７において検索された空きエリアのうち、最適な空きエリアを検出し、ここにアクセスするように上記ストレージ部コントローラ５ｄを介してディスク記録再生部５ｃを制御する。
【０３０７】
　ここで、最適な記録位置としては、同じディレクトリの下で順に記録された記録済みのファイル（最後に記録されたファイル）の後ろのエリアで、かつ、記録されるべき画像（数クラスタ分）のエリアが物理的に連続しているエリアであることが最も望ましい。
【０３０８】
　しかし、高解像度画像データ（８クラスタ）或いは超高解像度画像データ（１８クラスタ）のように大きなデータを記録する場合において、光ディスク２０の未記録エリアが少ない場合には、同じディレクトリの最後に記録したファイルの後ろのエリアで物理的に連続しているエリアが確保できない場合がある。このような場合は、マネジメントブロック内にエクセレントレコードブロックＥＲＢを形成し、このＥＲＢにより連続しない複数の分散エリアをリンクさせて１つのファイルを記録するようにしている。
【０３０９】
　次に、ステップＳ１９では、上記システムコントローラ６が、間引き，圧縮伸張コントローラ４ｉに高解像度画像データ或いは超高解像度画像データに応じた固定長化係数を設定しステップＳ２０に進む。
【０３１０】
　ステップＳ２０では、上記間引き，圧縮伸張コントローラ４ｉが、上記設定された固定長化係数に基づいて、８クラスタ分の高解像度画像データ或いは１８クラスタ分の超高解像度画像データを形成するように圧縮伸張回路４ｈを形成してステップＳ２１に進む。
【０３１１】
　ステップＳ２１では、システムコントローラ６は、ストレージ部コントローラ５ｄを介して、上記固定長化された画像データを上記検出された光ディスク２０上の最適なエリアに記録するようにディスク記録再生部５ｃを制御してステップＳ２２に進む。
【０３１２】
　ステップＳ２２では、システムコントローラ６が、上記画像データの記録制御と共に、指定されたディレクトリの画像データ管理ファイルのデータと、各画像データの解像度に応じたファイル名を順次決定してステップＳ２３に進む。
【０３１３】
　具体的には、例えば画像ディレクトリ「ＰＩＣ００００１」の中にネガフィルムから読み取った１〜６番の画像をＨＤ記録モードで記録する場合は以下のようになっている。
【０３１４】
　すなわち、記録前においては、ＲＡＭ６ａ上の画像データ管理ファイルのデータから、ＨＤ記録モードで記録されている画像は０個であると判断することができるため、１番目の画像の高解像度（ＨＤ）は、ＰＨＰ０００００．ＰＭＰとされ、同時に、中間解像度（ＳＤ）は、ＰＳＮ０００００．ＰＭＰとされる。従って、上記６枚の画像を全て記録し終わると、高解像度としてＰＨＰ０００００．ＰＭＰ〜ＰＨＰ００００５．ＰＭＰ，中間解像度としてＰＳＮ０００００．ＰＭＰ〜ＰＳＮ００００５．ＰＭＰのファイルが形成されることとなる。
【０３１５】
　なお、この６枚の画像のインデックス画像を記録する場合、この６枚のインデックス画像は、メインメモリ１１ａ上に読み込まれたＰＩＤＸ０００．ＰＭＸに順に記録される。このため、新たなインデックスファイルは形成されない。ただし、１つのインデックスファイルの中に記録するインデックス画像の枚数が、予め設定されたインデックス画像枚数（この説明では例えば２５枚）を越える場合は、新たにＰＩＤＸ００１．ＰＭＸ等の２番目のインデックスファイルが形成される。
【０３１６】
　次に、ステップＳ２３では、上記システムコントローラ６が、低解像度画像データ（インデックス画像），中間解像度画像データ及び高解像度画像データ（或いは超高解像度画像データ）の３種類の解像度の画像データが全て記録されたか否かを判別し、Ｎｏの場合は、ステップＳ１６に戻り、未だ記録の終了していない解像度の画像データを記録し、Ｙｅｓの場合はステップＳ２４に進む。
【０３１７】
　ステップＳ２４では、システムコントローラ６が上記操作部１０のイジェクトキー３２がオン操作されたか否かを検出し、Ｎｏの場合はこのステップＳ２４を繰り返し、Ｙｅｓの場合はステップＳ２５に進む。
【０３１８】
　ステップＳ２５では、システムコントローラ６が、ディスク上に記録されている上記データＵ−ＴＯＣ，総合情報管理ファイル，画像データ管理ファイルのデータを、ＲＡＭ６ａ上に記録されているデータＵ−ＴＯＣ，総合情報管理ファイル，画像データ管理ファイルの各データによって更新してこの図３２及び図３３に示す記録動作に係る全ルーチンを終了する。
【０３１９】
　具体的には、上記データＵ−ＴＯＣにおいては、ボリュームディスクリプタ（ＶＤ），ボリュームスペースビットマップ（ＶＳＢ），マネージメントテーブル（ＭＴ），ディレクトリレコードブロック（ＤＲＢ），エクステンツレコードブロック（ＥＲＢ）等の各データが主として書き換えられる。
【０３２０】
　すなわち、上記ＶＤにおいては、アロケーションブロックに関するデータ（記録可能アロケーションブロック等），ディレクトリ数（新たなディレクトリの形成が指定された場合），ファイル数，ディレクトリレコードブロックＤＲＢに関するデータ（新たにディレクトリ又はファイルが形成された場合），エクステントレコードブロックＥＲＢに関するデータ（新たに形成されたファイルが物理的に不連続な位置に記録され、エクステントレコードブロックＥＲＢによってリンクされている場合）等が書き換えられる。また、上記ボリュームスペースビットマップＶＳＢにおいては、各アロケーションブロックの属性を示す２ビットのコード等が書き換えられる。
【０３２１】
　また、上記マネージメントテーブルＭＴにおいては、ディレクトリレコードブロックＤＲＢ及びエクステントレコードブロックＥＲＢが新たに形成された際にエントリされる。ただし、既存のディレクトリレコードブロックＤＲＢの中の１ディレクトリレコードユニットが追加された場合は、マネージメントテーブルＭＴは更新されない。
【０３２２】
　また、上記ディレクトリレコードブロックＤＲＢにおいては、新たにディレクトリが形成された場合には、ディレクトリ用ディレクトリレコードユニットが１ユニット追加される。同様に、ファイルが形成された場合は、１ファイルにつき、ファイル用ディレクトリレコードユニットが１ユニット追加される。
【０３２３】
　また、上記エクステントレコードブロックＥＲＢにおいては、上記ディレクトリレコードブロックＤＲＢによってファイルが指定され、そのファイルが物理的に連続していない場合に形成される。なお、フォーマット時には形成されない。
【０３２４】
　次に、上記総合情報管理ファイルにおいては、総画像枚数，次画像ディレクトリ番号，画像ディレクトリ総数，画像ディレクトリ情報ユニット等のデータが主として書き換えられる。上記画像ディレクトリ情報ユニットは、画像ディレクトリが新しく形成されると、１ユニットが形成される。
【０３２５】
　次に、上記画像データ管理ファイルにおいては、画像ディレクトリが新しく形成されると、この新しく形成された画像ディレクトリの中に画像データ管理ファイルが新たに形成される。そして、画像枚数，画像インデックスファイル数，次画像インデックスファイル番号，インデックスファイル情報，画像情報ユニット等のデータが主として更新される。上記インデックスファイル情報は、インデックスファイルが新たに形成されると更新され、インデックス数は、インデックスファイルの中のインデックス数が追加されると更新される。また、画像情報ユニットは、各インデックス画像に対応して設けられているため、画像の増えた枚数分だけ画像情報ユニット数が増える。通常の記録において、画像情報ユニットの中のデータは更新されないが、インデックス画像の順番の入れ換えが行われると、画像番号の入れ換えが行われて更新される。
【０３２６】
　７．［他の記録動作の説明］
　次に、上記各解像度の画像データの他の記録動作を図３４のフローチャートを用いて説明する。この図３４のフローチャートは、上記図３２で説明したフローチャートのステップＳ１〜ステップＳ１３のルーチンが終了することにより、スタートとなりステップＳ４１に進む。
【０３２７】
　ステップＳ４１では、システムコントローラ６が、指定された画像ディレクトリのインデックスファイルに記録されている全ての画像データを読み出しステップＳ４２に進む。
【０３２８】
　ステップＳ４２では、システムコントローラ６が、操作部１０の操作状態を検出することにより、ユーザからの記録開始の指定があるか否かを検出し、Ｎｏの場合は記録開始の指定があるまでこのステップＳ４２を繰り返し、Ｙｅｓの場合はステップＳ４３に進む。
【０３２９】
　なお、この図３４に示すステップＳ４１及びステップＳ４２は、それぞれ図３３で説明したステップＳ１４及びステップＳ１５に対応するステップである。
【０３３０】
　次に、上記ステップＳ４３では、システムコントローラ６が、記録する画像データが高解像度画像データ（ＨＤ又はＵＤ）であるか、中間解像度画像データ（ＳＤ）であるか、或いは低解像度画像データ（インデックス画像データ）であるかを判別する。そして、低解像度画像データの記録時であると判別したときは、ステップＳ５４に進み、中間解像度画像データの記録時であると判別したときはステップＳ４４に進み、高解像度画像データの記録時であると判別したときはステップＳ５３に進む。
【０３３１】
　上記ステップＳ４３において低解像度画像データの記録時であると判別されて進むステップＳ５４〜ステップＳ６０は、図３３に示すステップＳ２６〜ステップＳ３２に対応するものである。
【０３３２】
　すなわち、上記ステップＳ５４では、システムコントローラ６は、これから記録しようとしている画像がインデックス画像であることを示すデータを図５に示す間引き，圧縮伸張コントローラ４ｉに供給する。間引き，圧縮伸張コントローラ４ｉは、上記データが供給されると、圧縮伸張回路４ｈにインデックス画像用の固定長化係数を設定してステップＳ５５に進む。
【０３３３】
　ステップＳ５５では、システムコントローラ６は、上記間引き，圧縮伸張コントローラ４ｉを介して、上記設定された固定長化係数に基づいて、１／４に間引き処理された画像データに圧縮符号化処理を施すように圧縮伸張回路４ｈを制御することにより、１／１５クラスタの固定データ長に固定長符号化されたインデックス画像を形成してステップＳ５６に進む。
【０３３４】
　ステップＳ５６では、システムコントローラ６が、図４に示すメインメモリ１１ａに記憶されているファイルの中にヘッダを付加した計４０９６バイトのインデックス画像を記録するようにメモリコントローラ１３を制御してステップＳ５７に進む。
【０３３５】
　ステップＳ５７では、システムコントローラ６が、上記メインメモリ１１ａに全部のインデックス画像を記録したか否かを判別し、Ｎｏの場合は上記ステップＳ４３に戻り、Ｙｅｓの場合はステップＳ５８に進む。
【０３３６】
　ステップＳ５８では、上記システムコントローラ６が、ＲＡＭ６ａに記憶されているデータＵ−ＴＯＣの中のボリュームスペースビットマップＶＳＢのアロケーションブロック番号の２ビットのエントリが「００」（使用可能アロケーションブロックを示すコード）になっているところを検索することにより、空きエリアを検出してステップＳ５９に進む。
【０３３７】
　ステップＳ５９では、上記システムコントローラ６が、ストレージ部コントローラ５ｄを介して上記光ディスク２０上の検出された空きエリアにアクセスするようにディスク記録再生部５ｃを制御してステップＳ６０に進む。
【０３３８】
　ステップＳ６０では、上記システムコントローラ６が、ストレージ部コントローラ５ｄを介して上記光ディスク２０上の空きエリアに上記インデックス画像を記録するようにディスク記録再生部５ｃを制御してステップＳ５０に進む。
【０３３９】
　次に、上記ステップＳ５８において低解像度画像データ用の空きエリアが、ステップＳ４４において中間解像度画像データ用の空きエリアが、ステップＳ５３において高解像度画像データ用（或いは超高解像度画像データ用）の空きエリアが、それぞれ検出される。この空きエリアの検出は、上述のようにＲＡＭ６ａに記憶されているデータＵ−ＴＯＣの中のボリュームスペースビットマップＶＳＢのアロケーションブロック番号の２ビットのエントリが「００」（使用可能アロケーションブロックを示すコード）になっている箇所を検索することにより行われるわけであるが、その際、上記各解像度の記録に対応して検索するアドレスの指定が行われる。
【０３４０】
　すなわち、低解像度画像データの記録の場合（ステップＳ５８）を説明すると、通常の用途では、ＨＤ記録モードで最大２００枚までのインデックス画像が記録可能となっている。ＨＤ記録モードが選択された場合或いはＵＤ記録モードが選択された場合でも、いずれの場合もインデックス画像は１／１５クラスタの固定データ長であるため、インデックス画像の領域として必要な領域は、２００×１／１５クラスタ＝１３．３３クラスタとなる。しかし、画像ディレクトリの数が多くなると、１つの画像ディレクトリに１つ又は２つのインデックス画像しか記録しない画像ディレクトリも存在することとなる。上記画像ディレクトリの最大数は２０ディレクトリに設定されているため、このような場合がインデックス画像用として記録する容量が最も必要とされ、少なくとも３２クラスタ必要となる。このため、システムコントローラ６は、インデックス画像の記録時の空きエリアの検出の際には、ディスク内周から１〜３２クラスタに対応するアドレスで指定されているアロケーションブロックのコードの検索を行って空きエリアを検出する。なお、この場合、他の空きエリアは検出しない。
【０３４１】
　次に、中間解像度画像データの記録の場合（ステップＳ４４）を説明すると、ＨＤ記録モードでは最大２００枚の記録が可能であり、中間解像度（ＳＤ）の画像は２クラスタの固定データ長で記録されるようになっているため、中間解像度の画像領域としては２クラスタ×２００枚＝４００クラスタが必要となる。このため、上記システムコントローラ６は、中間解像度の画像記録の空きエリアの検出の際には、ディスク内周からインデックス画像の領域（１〜３２クラスタ）以降の４００クラスタ分のエリア、すなわち、３３〜４３２クラスタに対応するアドレスで指定されるエリアのアロケーションブロックのコードの検索を行って空きエリアを検出してステップＳ４５に進む。
【０３４２】
　同様に、ＵＤ記録モードでは、最大１００枚まで記録可能であり、中間解像度（ＳＤ）の画像は２クラスタの固定データ長で記録されるようになっているため、中間解像度の画像領域としては２クラスタ×１００枚＝２００クラスタが必要となる。このため、上記システムコントローラ６は、中間解像度の画像記録の空きエリアの検出の際には、ディスク内周からインデックス画像の領域（１〜３２クラスタ）以降の２００クラスタ分のエリア、すなわち、３３〜２３２クラスタに対応するアドレスで指定されるエリアのアロケーションブロックのコードの検索を行って空きエリアを検出してステップＳ４５に進む。
【０３４３】
　次に、高解像度画像データ及び超高解像度画像データの記録の場合（ステップＳ５３）を説明すると、まず、ＨＤ記録モードでは、最大２００枚の画像が記録可能であり、高解像度画像データは８クラスタの固定データ長とされている。このため、高解像度画像データの画像領域には、８クラスタ×２００枚＝１６００クラスタが必要となる。このようなことから、システムコントローラ６は、上記ステップＳ５３において、ディスク内周からインデックス画像の領域（１〜３２クラスタ）と中間解像度の画像の領域（３３〜４３２クラスタ）以降の１６００クラスタ分のエリア、すなわち、４３３〜２０３２クラスタに対応するアドレスで指定されるエリアのアロケーションブロックのコードの検索を行って空きエリアを検出しステップＳ４５に進む。
【０３４４】
　同様に、ＵＤ記録モードでは最大で１００枚まで記録可能であり、超高解像度画像データは１８クラスタの固定データ長とされているため、超高解像度の画像領域として１８クラスタ×１００＝１８００クラスタの空き領域が必要となる。このため、システムコントローラ６は、この超高解像度の画像記録の空き領域の検出の際には、ディスク内周からインデックス画像領域（１〜３２クラスタ）と、中間解像度画像領域（３３〜２３２クラスタ）以降の１８００クラスタ分のエリア、すなわち、２３３〜２０３２クラスタに対応するアドレスで指定されるアロケーションブロックのコードの検索を行い空きエリアを検出してステップＳ４５に進む。
【０３４５】
　次に、このような空きエリアの検索が終了するとステップＳ４５において、システムコントローラ６が検索した空き領域の中で最適な領域にアクセスするようにストレージ部コントローラ５ｄを介してディスク記録再生部５ｃを制御してステップＳ４６に進む。この場合の最適な記録位置としては、ディレクトリは関係なく、空きエリア検索をそれぞれ行い、最初に空きエリアが存在する位置に順に各データを記録していけばよい。従って、記録されたデータは、各エリアの先頭から順に記録されることとなる。
【０３４６】
　次にステップＳ４６では、上記システムコントローラ６が、間引き，圧縮伸張コントローラ４ｉに高解像度画像データ或いは超高解像度画像データに応じた固定長化係数を設定しステップＳ４７に進む。
【０３４７】
　ステップＳ４７では、システムコントローラ６は、上記間引き，圧縮伸張コントローラ４ｉを介して、上記設定された固定長化係数に基づいて、８クラスタ分の高解像度画像データ或いは１８クラスタ分の超高解像度画像データを形成するように圧縮伸張回路４ｈを制御してステップＳ４８に進む。
【０３４８】
　ステップＳ４８では、システムコントローラ６は、ストレージ部コントローラ５ｄを介して、上記固定長化された画像データを上記検出された光ディスク２０上の最適なエリアに記録するようにディスク記録再生部５ｃを制御してステップＳ４９に進む。
【０３４９】
　ステップＳ４９では、システムコントローラ６が、上記画像データの記録制御と共に、指定された画像ディレクトリの画像データ管理ファイルのデータと、各画像データの解像度に応じたファイル名を順次決定してステップＳ５０に進む。
【０３５０】
　ステップＳ５０では、上記システムコントローラ６が、低解像度画像データ（インデックス画像），中間解像度画像データ及び高解像度画像データ（或いは超高解像度画像データ）の３種類の解像度の画像データが全て記録されたか否かを判別し、Ｎｏの場合は、ステップＳ４３に戻り未だ記録の終了していない解像度の画像データを記録し、Ｙｅｓの場合はステップＳ５１に進む。
【０３５１】
　ステップＳ５１では、システムコントローラ６が上記操作部１０のイジェクトキー３２がオン操作されたか否かを検出し、Ｎｏの場合はこのステップＳ５１を繰り返し、Ｙｅｓの場合はステップＳ５２に進む。
【０３５２】
　ステップＳ５２では、システムコントローラ６が、ディスク上に記録されている上記データＵ−ＴＯＣ，総合管理情報ファイル，画像データ管理ファイルの関連データを、ＲＡＭ６ａ上に記録されているデータＵ−ＴＯＣ，総合管理情報ファイル，画像データ管理ファイルの各データに更新してこの図３４示す他の記録動作に係る全ルーチンを終了する。
【０３５３】
　なお、このステップＳ４５〜ステップＳ５２は、上述の図３３に示すステップＳ１８〜ステップＳ２５に対応するものである。
【０３５４】
　このような他の記録動作においては、ＲＡＭ６ａに記憶されたＶＳＢの中のアロケーションブロックのアドレス指定によってそれぞれ低解像度，中間解像度，高解像度（或いは超高解像度）の検索領域を指定している。すなわち、ＲＡＭ６ａのＶＳＢのデータを読み出すだけでディスク上の記録エリアをアドレス指定によって分割していることとなるため、空きエリアの検出の高速化を図ることができる。
【０３５５】
　例えば、物理的にディスク上でそれぞれのエリアの記録位置を決定して記録を行うことも考えられる。しかし、この場合はＨＤ記録モードとＵＤ記録モードにおいて使用するエリア量（中間解像度のエリア及び高解像度のエリア）が異なってくるため、予め最も多く必要とされる場合を想定してエリアを確保する必要がある。すなわち、中間解像度エリアではＨＤ記録モード時の４００クラスタ分、高解像度エリアではＵＤモード時の１８００クラスタ分の各エリアを確保する必要があり、記録領域を有効に活用することができない。
【０３５６】
　また、この説明では、ディスク内周側からインデックス用，中間解像度用，高解像度用として空きエリア検索用のアドレスを指定することとしたが、これは逆にディスク外周側からインデックス用，中間解像度用，高解像度用として空きエリア検索用のアドレスを指定するようにしてもよく、設計に応じて適宜変更可能である。
【０３５７】
　このように、上記フレームメモリ１１から読み出された高解像度画像データに基づいて、中間解像度画像データ及び低解像度画像データを形成し、この同じ画像の異なる解像度の画像データを上記光ディスク２０に記録することにより、再生時には、画像データの出力機器或いは用途に応じた解像度の画像データを選択して再生することを可能とすることができる。
【０３５８】
　すなわち、上記光ディスク２０に記録する画像データとして上記高解像度画像データのみ記録すると、モニタ装置に画像を表示する場合、上記高解像度画像データでは画素数が多すぎるため、適当な間引き処理を施してモニタ装置に供給することとなる。しかし、上記３種類の画像データを記録しておくことにより、モニタ用の中間解像度画像データを直接読み出すことができるため、モニタ装置に表示するまでの時間を短縮することができる。
【０３５９】
　また、必要とする解像度の画像データを直接読み出せることから、機器に応じて間引き処理等を行う必要がなく、該間引き処理用の回路等を省略することができる。
【０３６０】
　また、上記フレームメモリ１１からの高解像度画像データに基づいて上記２種類の画像データを形成するようにしているため、上記３種類の画像データを別々に供給される場合よりも画像データを取り込む時間を短縮化することができるうえ、上記フレームメモリ１１を１回のみ読み出し制御すればよいため、該フレームメモリ１１の拘束時間を短縮化することができる。
【０３６１】
　さらに、上記各解像度の画像データをそれぞれ固定長符号化して記録するようにしているため、記録，読み出し時間の固定化，画像記録枚数の固定化を図ることができるうえ、扱うデータサイズが固定化されていることからファイル管理システムの構成を簡略化することができる。
【０３６２】
　ここで、上記各解像度の画像データを適当な空きエリアに記録すると、上記光ディスク２０には、該各解像度の画像データが入り乱れて記録されることとなる。上記ストレージ部５の仕様は、例えば最小記録単位が１クラスタ（６４Ｋｂｙｔｅ）、データ記録速度が１５０Ｋｂｙｔｅ、１クラスタ当たりの記録時間が６４Ｋ／１５０Ｋ≒０．４３ｓｅｃ、最大シーク時間が０．５ｓｅｃとなっており、最大シーク時間が１クラスタ当たりの記録時間を上回っている。このため、上記光ディスク２０に各解像度の画像データが入り乱れて記録されると、所望の画像データを複数回のシークを行って記録再生するようになるため、記録再生に時間を要する。
【０３６３】
　また、上記各解像度の画像データが入り乱れて記録されると、画像データの削除，編集作業等が行われた場合、ディスク上に各解像度に応じたデータサイズの空きエリアが発生するため、空きエリアの検索が困難となる。
【０３６４】
　このため、例えば光ディスク２０の記録領域を内周側から外周側にかけて３２クラスタ分が低解像度画像データの記録領域に、２００クラスタ分が中間解像度画像データの記録領域に、１８００クラスタ分が高解像度画像データの記録領域になるように３分割し、この各記録領域にそれぞれ上記各解像度の画像データを記録することにより、記録再生時にはその解像度の記録領域にシークして記録再生を行えばよいため、記録再生時間を短縮化することができる。
【０３６５】
　また、画像データの削除，編集作業等が行われてディスク上に各解像度に応じたデータサイズの空きエリアが発生しても、その空きエリアには、同じデータサイズの画像データを記録されることとなるため、空きエリアの検索を容易化することができ、記録時間の短縮化に貢献することができる。
【０３６６】
　次に、このように各解像度の記録領域に分割して画像データの記録を行っても、該記録領域内で再生順に記録されていなければ、記録されている画像を１枚１枚連続して自動的に読み出すオートプレイ時や、該オートプレイをさらに高速化したブラウジング時等のような画像を連続的に読み出す必要がある場合、やはりシークに時間を要することとなる。
【０３６７】
　このため、上記光ディスク２０の分割された各記録領域に、各解像度の画像データを記録する際に、再生順となるように連続して記録することにより、上記オートプレイ時やブラウジング時に、シーク無しに連続して画像データを読み出すことができるため、該オートプレイ，ブラウジングの容易化、及び、さらなる高速化を図ることができる。
【０３６８】
　８．［総合インデックスファイルの形成動作］
　次に、システムコントローラ６が、高解像度画像データ及び中間解像度画像データを光ディスク２０に記録すると同時に、総合インデックスファイル（ＯＶ  ＩＮＤＸ．ＰＭＸ）の中にインデックス画像データを記録する動作を説明する。
【０３６９】
　この総合インデックスファイルは、総合情報管理ファイルによって管理され、各画像ディレクトリにどのようなインデックス画像が記録されているかを１つのファイルに編集しているものである。
【０３７０】
　例えば、この例においては、２５枚のインデックス画像を有している画像ディレクトリを５つ形成した場合に、各ディレクトリの頭のインデックス画像の１枚を取り出し、それぞれ順に記録して５枚のインデックス画像からなる総合インデックスファイルを形成するようになっている。また、画像ディレクトリの数が少なく設定される場合であれば、各ディレクトリからインデックス画像の先頭の５枚をそれぞれ取り出し、総合インデックスファイルを形成するようにしてもよい。
【０３７１】
　この総合インデックスファイルは画面データ用のフォーマット時に形成されることになっている。このため、画像を記録する際には既に形成されていることとなる。
【０３７２】
　この総合インデックスファイルの形成動作は、図３５のフローチャートに示すようになっている。この図３５に示すフローチャートのスタートは、図３２のステップＳ１０においてＹｅｓと判別されることによりスタートとなり、ステップＳ６１に進む。なお、上記ステップＳ１０以前のルーチンは全く同様であるため、その説明は省略する。
【０３７３】
　次に、ステップＳ６１では、システムコントローラ６が総合インデックスファイルをメインメモリ１１ａに読み出しステップＳ６２に進む。
【０３７４】
　ステップＳ６２では、システムコントローラ６が、指定された画像ディレクトリの画像インデックスファイルに記録されている全ての画像データを読み出すように、上記ストレージ部コントローラ５ｄを介してディスク記録再生部５ｃを制御すると共に、この画像インデックスファイルの画像データを図４に示すメインメモリ１１ａに転送制御してステップＳ６３に進む。
【０３７５】
　なお、上記画像インデックスファイル及び総合インデックスファイルからは、ヘッダと共に固定長符号化されて記録されている画像データを伸張復号化処理することなく、そのまま読み出し上記メインメモリ１１ａに転送する。また、画像インデックスファイル及び総合インデックスファイルの中に画像データが記録されていないときは、上記メインメモリに画像データが読み出されることはない。
【０３７６】
　ステップＳ６３では、システムコントローラ６が操作部１０の操作状態を検出することにより、ユーザから記録開始の指定があったか否かを判別し、Ｎｏの場合は該記録開始の指定があるまでこのステップＳ６３を繰り返し、Ｙｅｓの場合はステップＳ６４に進む。
【０３７７】
　ステップＳ６４では、上記システムコントローラ６が、これから記録しようとする画像はインデックス画像であるか否かを判別し、Ｎｏの場合はステップＳ６５に進み、Ｙｅｓの場合はステップＳ７２に進む。
【０３７８】
　ステップＳ７２では、システムコントローラ６は、これから記録しようとしている画像がインデックス画像であることを示すデータを図５に示す間引き，圧縮伸張コントローラ４ｉに供給する。間引き，圧縮伸張コントローラ４ｉは、上記データが供給されると、圧縮伸張回路４ｈにインデックス画像用の固定長化係数を設定してステップＳ７３に進む。
【０３７９】
　ステップＳ７３では、システムコントローラ６は、上記間引き，圧縮伸張コントローラ４ｉを介して、上記設定された固定長化係数に基づいて、１／４に間引き処理された画像データに圧縮符号化処理を施すように圧縮伸張回路４ｈを制御することにより、１／１５クラスタの固定データ長に固定長符号化されたインデックス画像を形成してステップＳ７４に進む。
【０３８０】
　ステップＳ７４では、システムコントローラ６は、ＲＡＭ６ａに記憶されている総合情報管理ファイルのデータに基づいて、上記ステップＳ７４で固定長符号化されたインデックス画像が、指定された画像ディレクトリにおいて、最初に記録するインデックス画像であるか否かを判別し、Ｎｏの場合はステップＳ８１に進みインデックスの場合はステップＳ７５に進む。
【０３８１】
　ステップＳ８１では、システムコントローラ６が、上記固定長符号化されたインデックス画像を画像インデックスファイルの中に記録してステップＳ７６に進む。
【０３８２】
　上記ステップＳ７５では、上記システムコントローラ６が最初のインデックス画像を総合インデックスファイル及び画像インデックスの中にそれぞれ記録してステップＳ７６に進む。
【０３８３】
　ステップＳ７６では、システムコントローラ６が、図４に示すメインメモリ１１ａに記憶されている各インデックスファイルの中にヘッダを付加した計４０９６バイトのインデックス画像を記録するようにメモリコントローラ１３を制御してステップＳ７７に進む。
【０３８４】
　ステップＳ７７では、システムコントローラ６が、上記メインメモリ１１ａに全部のインデックス画像を記録したか否かを判別し、Ｎｏの場合は上記ステップＳ６４に戻り、Ｙｅｓの場合はステップＳ７８に進む。
【０３８５】
　ステップＳ７８では、上記システムコントローラ６が、ＲＡＭ６ａに記憶されているデータＵ−ＴＯＣの中のボリュームスペースビットマップＶＳＢのアロケーションブロック番号の２ビットのエントリが「００」（使用可能アロケーションブロックを示すコード）になっているところを検索することにより、空きエリアを検出してステップＳ７９に進む。
【０３８６】
　ステップＳ７９では、上記システムコントローラ６が、ストレージ部コントローラ５ｄを介して上記光ディスク２０上の検出された空きエリアにアクセスするようにディスク記録再生部５ｃを制御してステップＳ８０に進む。
【０３８７】
　ステップＳ８０では、上記システムコントローラ６が、ストレージ部コントローラ５ｄを介して上記光ディスク２０上の空きエリアに上記インデックス画像を記録するようにディスク記録再生部５ｃを制御してステップＳ７１に進む。
【０３８８】
　上述のように、上記インデックス画像を固定長符号化して光ディスク２０に記録する場合、該固定長符号化したインデックス画像を光ディスク２０に記録する前に、一旦、順にメインメモリ１１ａ上に記録することにより、該メインメモリ１１ａ上で全インデックス画像から１つのインデックスファイルを形成し、この後、光ディスク２０上の物理的に連続するエリアに記録する。
【０３８９】
　一方、上記ステップＳ６４においてＮｏと判別されステップＳ６５に進むと、ステップＳ６５では、システムコントローラ６が、中間解像度の画像或いは高解像度の画像を記録するための光ディスク２０上の空きエリアを検出してステップＳ６６に進む。
【０３９０】
　具体的には、上記システムコントローラ６は、ＲＡＭ６ａに記憶されているデータＵ−ＴＯＣの中のボリュームスペースビットマップＶＳＢのアロケーションブロック番号の２ビットのエントリが「００」（使用可能アロケーションブロックを示すコード）になっているところを検索することにより、上記空きエリアの検出を行う。
【０３９１】
　ステップＳ６６では、上記システムコントローラ６が、上述のように上記ステップＳ６５において検索された空きエリアのうち、最適な空きエリアを検出し、ここにアクセスするように上記ストレージ部コントローラ５ｄを介してディスク記録再生部５ｃを制御してステップＳ６７に進む。
【０３９２】
　次に、ステップＳ６７では、上記システムコントローラ６が、間引き，圧縮伸張コントローラ４ｉに高解像度画像データ或いは超高解像度画像データに応じた固定長化係数を設定しステップＳ６８に進む。
【０３９３】
　ステップＳ６８では、上記間引き，圧縮伸張コントローラ４ｉが、上記設定された固定長化係数に基づいて、８クラスタ分の高解像度画像データ或いは１８クラスタ分の超高解像度画像データを形成するように圧縮伸張回路４ｈを形成してステップＳ６９に進む。
【０３９４】
　ステップＳ６９では、システムコントローラ６が、上記固定長化された画像データを上記検出された光ディスク２０上の最適なエリアに記録するようにディスク記録再生部５ｃを制御してステップＳ７０に進む。
【０３９５】
　ステップＳ７０では、上述のようにシステムコントローラ６が、上記画像データの記録制御と共に、指定されたディレクトリの画像データ管理ファイルのデータと、各画像データの解像度に応じたファイル名を順次決定してステップＳ７１に進む。
【０３９６】
　ステップＳ７１では、上記システムコントローラ６が、低解像度画像データ（インデックス画像），中間解像度画像データ及び高解像度画像データ（或いは超高解像度画像データ）の３種類の解像度の画像データが全て記録されたか否かを判別し、Ｎｏの場合は、ステップＳ６４に戻り未だ記録の終了していない解像度の画像データを記録し、Ｙｅｓの場合は図３６に示すステップＳ９１に進む。
【０３９７】
　ここで、このようにして記録すべき画像の記録が終わると、ユーザによって、総合インデックス画像のデータの入れ換えを行うことができる。例えば、高解像度，中間解像度及びインデックスの各画像のファイルの形成と同時に形成された総合インデックスファイルには、予め各ディレクトリの最初のインデックス画像を記録するように設定されているため、各ディレクトリの１番目のインデックス画像しか記録されていない。しかし、ユーザが希望する場合には、総合管理ファイルに登録されている１番目のインデックス画像と他のインデックス画像とを入れ換えることができる。
【０３９８】
　この希望するインデックス画像の入れ換え動作は、図３６のステップＳ９１以降のルーチンに示すようになっている。
【０３９９】
　すなわち、この図３６のステップＳ９１では、システムコントローラ６が、総合インデックス画像を表示制御してステップＳ９２に進む。
【０４００】
　ステップＳ９２では、システムコントローラ６が操作部１０の操作状況を検出することにより、ユーザが希望するインデックス画像の指定がなされたか否かを判別し、Ｎｏの場合はこのステップＳ９２を繰り返し、インデックスの場合はステップＳ９３に進む。
【０４０１】
　すなわち、このステップＳ９２では、総合インデックスファイルの中から所望のインデックス画像を指定している。これは、指定したインデックス画像に対応する画像ディレクトリを指定していることを示すものである。なお、以下の説明において、この指定された画像ディレクトリは、ｎ番目に記録されている画像ディレクトリとする。
【０４０２】
　次に、ステップＳ９３では、システムコントローラ６は、ステップＳ９２で指定されたｎ番目の画像ディレクトリの画像インデックスファイルを再生して、モニタ装置に表示するように制御して、ステップＳ９４に進む。
【０４０３】
　ステップＳ９４では、システムコントローラ６は、操作部１０の操作状況を検出することにより、上記モニタ装置に表示された画像インデックスファイルの所定数のインデックス画像から、所望のインデックス画像が指定されたか否かを判別し、Ｎｏの場合には、このステップＳ９４を繰り返し、Ｙｅｓの場合にはステップＳ９５に進む。
【０４０４】
　すなわち、このステップＳ９４では、ｎ番目の画像インデックスファイルの中から所望のインデックス画像を指定しており、すなわちこれは、１番目のインデックス画像に換えて記録するインデックス画像を指定しているということである。なお、以下の説明において、この指定されたインデックス画像は、画像インデックスファイルのｍ番目に記録されているインデックス画像とする。
【０４０５】
　ステップＳ９５では、システムコントローラ６は、メインメモリ上において、ｎ番目の画像ディレクトリの画像インデックスファイルの中に記録されているｍ番目のインデックス画像データを、総合インデックスファイルの中に記録されているｎ番目のインデックス画像データが記録されている位置にオーバーライトするように、メモリコントローラ１３を制御する。同時に、ＲＡＭ６ａにおいて、ｎ番目の画像ディレクトリに対応する画像ディレクトリ情報ユニット、すなわち、ｎ番目の画像ディレクトリ情報ユニットの中に記録されているインデックス画像番号「００００１」を、新しく入れ換えたインデックス画像に対応する画像番号「００００ｍ」で置き換えて、ステップＳ９６に進む。
【０４０６】
　ステップＳ９６では、システムコントローラ６が、総合情報管理ファイルを光ディスク２０に記録するようにディスク記録再生部５ｃを制御してステップＳ９７に進む。
【０４０７】
　ステップＳ９７では、システムコントローラ６が上記操作部１０のイジェクトキー３２がオン操作されたか否かを検出し、Ｎｏの場合はこのステップＳ９７を繰り返し、Ｙｅｓの場合はステップＳ９８に進む。
【０４０８】
　ステップＳ９８では、システムコントローラ６が、ディスク上に記録されている上記データＵ−ＴＯＣ，総合管理情報ファイル，画像データ管理ファイルの関連データを、ＲＡＭ６ａ上に記録されているデータＵ−ＴＯＣ，総合管理情報ファイル，画像データ管理ファイルの各データに更新して全ルーチンを終了する。
【０４０９】
　なお、上述の総合インデックスファイルは、データ記録時に、各画像ディレクトリの最初のインデックス画像１つを記録するようにしたが、画像ディレクトリ数を少なくする場合には、各画像ディレクトリの最初の５枚のインデックス画像を登録できるようにしても良い。例えば、４つの画像ディレクトリを形成し、その中の５枚のインデックス画像を登録するようにした一例を説明すると、以下に示すように画像ディレクトリ情報のユニットが、総合インデックスファイル内のインデックス画像数の５枚×４ディレクトリ＝２０枚に対応するように２０個の以下のようなユニットを形成すれば良い。
【０４１０】
　　　　　　　　　　　　　　　　　ディレクトリ番号　インデックス画像番号
　１番目の画像ディレクトリ情報         ００       　　    ００
　２番目の画像ディレクトリ情報         ００           　　０１
　３番目の画像ディレクトリ情報         ００           　　０２
　４番目の画像ディレクトリ情報         ００           　　０３
　５番目の画像ディレクトリ情報         ００           　　０４
　６番目の画像ディレクトリ情報         ０１           　　００
　７番目の画像ディレクトリ情報         ０１           　　０１
　８番目の画像ディレクトリ情報         ０１           　　０２
　９番目の画像ディレクトリ情報         ０１           　　０３
１０番目の画像ディレクトリ情報 　      ０１           　　０４
１１番目の画像ディレクトリ情報   　    ０２           　　００
１２番目の画像ディレクトリ情報     　  ０２           　　０１
１３番目の画像ディレクトリ情報       　０２           　　０２
１４番目の画像ディレクトリ情報      　 ０２           　　０３
１５番目の画像ディレクトリ情報      　 ０２           　　０４
　　　　　　　　　　　　　　　　・
　　　　　　　　　　　　　　　　　・
　　　　　　　　　　　　　　　　　・
【０４１１】
　９．［アルバム名等の記録］
　アルバムとは、ディレクトリの下位に形成された１つの画像ディレクトリを１つのアルバムとしている。当該静止画像システムにおいては、このように各解像度の画像データの記録が終了すると、上記各アルバム毎のアルバム名，各アルバムの画像毎の画像名，所望の画像を検索するためのキーワード，ディスク名が入力できるようになっている。
【０４１２】
　この場合、ユーザは、上記操作部１０に設けられているライトキー５３をオン操作する。上記システムコントローラ６は、上記ライトキー５３がオン操作されるとこれを検出し、文字情報の入力を行うライトモードとなる。
【０４１３】
　次にユーザは、十字キー５４を操作する。上記システムコントローラ６は、上記十字キー５４が一回操作される毎に、例えばアルバム名，画像名，キーワード，ディスク名の文字を順に表示するように表示部２６を表示制御する。ユーザは、上記表示部２６に表示される文字を見て、これからどの情報の入力を行うかを決め、上記操作部１０に設けられているＥＸＥＣキー５５をオン操作する。これにより、上記システムコントローラ６は、これから入力が行われる情報を認識する。
【０４１４】
　次に、ユーザは、上記操作部１０に設けられているテンキーを操作する。これにより、上記システムコントローラ６は、上記テンキーの操作に応じた文字を表示するように上記表示部２６を表示制御する。そして、ユーザは、上記表示部２６に表示されるアルバム名等が所望のアルバム名等となったときに、再度、上記ＥＸＥＣキー５５をオン操作する。
【０４１５】
　上記システムコントローラ６は、上記ＥＸＥＣキー５５が再度オン操作されるとこれを検出し、このライトモードを終了すると共に、上記入力されたアルバム名等の文字情報を、いわゆるアスキーコードとして上記光ディスク２０に記録するようにディスク記録再生部５ｃを制御する。
【０４１６】
　具体的には、所望の画像名の記録を行う場合、ユーザは、上記ライトキー５３をオン操作して上記システムコントローラ６をライトモードとすると共に、上記十字キー５４をオン操作して、これから入力を行う情報である“画像名”を選択する。そして、上記テンキー５０を操作してその画像の画像名を入力する。これにより、上記システムコントローラ６が、上記入力された文字に対応するアスキーコードを形成し、これをディスク記録再生部５ｃに供給する。これにより、上記ディスク記録再生部５ｃは、上記画像名に対応するアスキーコードを光ディスク２０に記録する。
【０４１７】
　なお、上記画像名として入力できる文字数は、例えば１６文字、上記アルバム名として入力できる文字数は３２文字となっており、アルファベット，カタカナ，漢字等で入力できるようになっている。すなわち、１画面分で４３２文字（１６文字×２５枚分の画像＋アルバム名の３２文字）の入力ができるようになっている。
【０４１８】
　１０．［再生動作の説明］
　次に、このように光ディスク２０に記録された画像データを再生して上記モニタ装置９に表示する場合における当該静止画像システムの再生動作の説明をする。
【０４１９】
　この場合、ユーザは、まず、上記操作部１０に設けられているアルバムキー３３を操作する。上記システムコントローラ６は、上記アルバムキー３３が１回オン操作される毎に、これを検出し、そのアルバムのアルバム名を再生して表示するように上記ディスク記録再生部５ｃ及び表示部２６を制御する。上記光ディスク２０には、４つのアルバムが記録されるようになっており、上記アルバムキー３３がオン操作される毎に、上記表示部２６には４つのアルバム名が順に表示されることとなる。
【０４２０】
　次にユーザは、上記４つのアルバムの中から所望のアルバムを選択した後に第１のインデックスキー３８ａをオン操作する。上記システムコントローラ６は、上記第１のインデックスキー３８ａがオン操作されるとこれを検出し、上記選択されたアルバムのインデックス用の低解像度画像データ及びアスキーコード（アルバム名，画像名等）を再生するように上記ディスク記録再生部５ｃを制御する。
【０４２１】
　１つのアルバムは、例えば５０枚分の画像データで構成されており、この５０枚の画像を一度に表示画面に表示してもよいが、必然的に一枚分の表示領域が狭くなり、ユーザによる所望の画像の選択が困難なものとなる虞れがある。このため、上記システムコントローラ６は、一度の指定で２５枚分の低解像度用の画像データを読み出すように上記ディスク記録再生部５ｃを読み出し制御する。これにより、上記ディスク記録再生部５ｃは、まず、上記２５枚分の低解像度用の画像データ及びアルバム名のアスキーコード，各画像名のアスキーコードを上記光ディスク２０の内周側から読み出し、該画像データをＥＦＭ回路２１を介して図５に示す圧縮伸張回路４ｈに供給すると共に、該アスキーコードを直接バッファ回路４ｂに供給する。
【０４２２】
　上記圧縮伸張回路４ｈは、上記画像データに低解像度用の伸張処理を施し、これをラスタ−ブロック変換回路４ｇ及びセレクタ４ｆを介して上記バッファ回路４ｂに供給する。上記バッファ回路４ｂは、上記画像データ及びアスキーコードを一旦記憶する。
【０４２３】
　このように上記バッファ回路４ｂに上記低解像度画像データ及びアスキーコードが記憶されると、上記間引き，圧縮伸張コントローラ４ｉは、該バッファ回路４ｂに記憶されたアスキーコードが上記画像データと共に高速転送されるように該バッファ回路４ｂを読み出し制御する。これにより、上記アスキーコードは画像データと共に、インターフェース４ａを介してシステムコントローラ６の介在なしに図４に示すビデオメモリ１１ｂに高速転送される。
【０４２４】
　上記ビデオメモリ１１ｂの記憶領域は、全体的には縦×横が２０４８画素×２０４８画素となっており、そのうち、１０２４画素×１５３６画素（縦×横）の記憶領域が画像データの記憶領域（画像データエリア）、該画像データの領域以外の余領域の１６画素×３２画素（５１２バイト分）の記憶領域が、上記アスキーコードの記憶領域であるコマンドエリアとなっている。
【０４２５】
　メモリコントローラ１３は、上記バッファ回路４ｂから画像データ及びアスキーコードが高速転送されると、該画像データを上記ビデオメモリ１１ｂの画像データエリアに書き込み制御し、該アスキーコードを上記コマンドエリアに書き込み制御する。
【０４２６】
　このようにして上記ビデオメモリ１１ｂの各記憶領域に画像データ及びアスキーコードが書き込まれると、上記メモリコントローラ１３は、上記コマンドエリアに書き込まれているアスキーコードを読み出し、該アスキーコードの解釈を行う。そして、この解釈したアスキーコードの文字を画像データとして上記ビデオメモリ１１ｂに書き込み制御する。
【０４２７】
　具体的には、上記コマンドエリアから読み出したアスキーコードが“４１Ｈ”の場合、このアスキーコードは、アルファベットの“Ａ”の文字を示しているため、上記メモリコントローラ１３は例えば２４画素×２４画素の“Ａ”の文字の画像データを形成し、この“Ａ”の文字がその画像の下に表示されるように上記ビデオメモリ１１ｂを書き込み制御する。
【０４２８】
　このように、ビデオメモリ１１ｂに画像データ及びアスキーコードの文字を示す画像データ（以下、この２つの画像データをまとめて単に画像データという。）の書き込みが終了すると、上記メモリコントローラ１３は、該ビデオメモリ１１ｂに書き込まれた画像データを読み出し制御する。この画像データは、Ｄ／Ａ変換器を介してアナログの画像信号とされモニタ装置９に供給される。
【０４２９】
　これにより、図４１に示すように上記モニタ装置９の表示画面に、上記選択したアルバムのアルバム名と共に、２５枚分のインデックス用の画像及び各画像の画像名が表示される。
【０４３０】
　また、ユーザは、上記選択したアルバムの残る２５枚の画像を表示したい場合、上記操作部１０を操作して該残る２５枚の画像の表示を指定する。これにより、システムコントローラ６は、上記残る２５枚の低解像度用の画像データ及び該各画像データのアスキーコードを再生するようにディスク記録再生部５ｃを制御する。これにより、上記残る２５枚の低解像度用の画像データ及びアスキーコードが上述のように高速転送され、上記モニタ装置９に該残る２５枚の画像が表示される。
【０４３１】
　次に、上記モニタ装置９にインデックス用として２５枚の画像が表示されると、ユーザは、この画像の中から所望の画像を選択するように上記操作部１０を操作する。
【０４３２】
　上記システムコントローラ６は、上記操作部１０が操作され所望の画像が指定されるとこれを検出し、該選択された画像に対応する中間解像度画像データを上記光ディスク２０から読み出すように上記ディスク記録再生部５ｃを制御する。これにより、上記ディスク記録再生部５ｃは、光ディスク２０に記録されている表示用の中間解像度を有する画像データを読み出す。この中間解像度画像データは、上述のようにビデオメモリ１１ｂに供給される。
【０４３３】
　上記メモリコントローラ１３は、上記中間解像度画像データがビデオメモリ１１ｂに供給されると、これを一旦記憶し読み出してＤ／Ａ変換器を介してモニタ装置９に供給する。これにより、上記モニタ装置９の表示画面に、ユーザにより選択された画像が画面一杯に表示される。
【０４３４】
　ここで、当該静止画像システムは、上記インデックス用の画像を表示することなく所望の画像を選択して上記モニタ装置９に表示することができる。
【０４３５】
　すなわち、ユーザは、所望の画像が記録されているアルバム及び画像番号が解っている場合、上述のように上記操作部１０に設けられているテンキー５０を操作してそのアルバムを指定すると共にその画像番号を指定する。
【０４３６】
　上述のように、１つのアルバムには、５０枚の画像が記録できるようになっているため、ユーザは、上記テンキー５０により所望の画像番号を入力することにより所望の画像を選択する。そして、上記所望の画像番号を選択した後に再生キー４１をオン操作する。
【０４３７】
　上記システムコントローラ６は、上記再生キー４１がオン操作されたことを検出すると、上記指定されたアルバムの画像番号の中間解像度画像データを読み出すように上記ディスク記録再生部５ｃを制御する。これにより、上記光ディスク２０から指定された画像番号の中間解像度画像データが読み出され、該中間解像度画像データに応じた画像が上記モニタ装置９に表示される。
【０４３８】
　また、このような所望の画像の選択は、上記操作部１０に設けられている検索キー５２を用いても行うことができる。すなわち、上記検索キー５２がオン操作されると、上記システムコントローラ６は検索モードとなる。上記システムコントローラ６は、上記検索モードとなると、十字キー５４が１回操作される毎に、画像名，キーワード，記録日，記録時間の文字を順に表示するように表示部２６を表示制御する。ユーザは、上記画像名，キーワード，記録日，記録時間の中から入力する情報を選択すると、上記テンキー５０を用いて検索を行う画像の画像名，キーワード，記録日、或いは、記録時間を入力しＥＸＥＣキー５５をオン操作する。
【０４３９】
　これにより、上記システムコントローラ６は、上記ＥＸＥＣキー５５がオン操作されたことを検出して検索を開始する。そして、上記画像名，キーワード等に該当する画像を検索し、この検索した画像のアルバム番号，アルバム名，画像名，画像番号等を表示するように表示部２６を表示制御する。なお、該当する画像が複数ある場合は、該アルバム番号，アルバム名等を複数表示するように上記表示部２６を表示制御する。
【０４４０】
　次にユーザは、上記表示部２６に表示された画像名等の中から所望とする画像を上記十字キー５４を用いて選択し、上記再生キー４１をオン操作する。
【０４４１】
　上記システムコントローラ６は、上記再生キー４１がオン操作されるとこれを検出し、上記選択された画像の画像データを再生するように上記ディスク記録再生部５ｃを制御する。
【０４４２】
　これにより、上記光ディスク２０から指定された画像データが読み出され上記モニタ装置９に供給され表示される。
【０４４３】
　次に、ディスク内にどのようなアルバムが形成されているか分からず、その中から所望の画像の再生を行いたいような場合、ユーザは、上記操作部１０の第２のインデックスキー３８ｂをオン操作する。
【０４４４】
　光ディスク２０に低解像度画像データを記録する際に、予め、各アルバムの最初に記録されている低解像度画像データを１つのインデックスファイルとして、光ディスク上に記録しておく。
【０４４５】
　上記システムコントローラ６は、上記第２のインデックスキー３８ｂがオン操作されるとこれを検出して上記インデックスファイルを再生するように上記ディスク記録再生部５ｃを制御する。これにより、上記光ディスク２０から上記各アルバムの最初に記録されている画像の低解像度画像データを有するインデックスファイルが再生され、上述のようにビデオメモリ１１ｂを介して上記モニタ装置９に供給される。
【０４４６】
　これにより、上記モニタ装置９には、各アルバムの先頭の画像のみを表示することができ、ユーザは、所望の画像が記録されているアルバムを検索することができる。
【０４４７】
　次に、このように各アルバムの先頭の画像のみ表示するよりも該先頭の画像を含めて数枚の画像を同時に表示したほうが、より所望のアルバムを選択し易くなる。このため、上記操作部１０には、第３のインデックスキー３８ｃが設けられている。
【０４４８】
　同様に、光ディスク２０に低解像度画像データを記録する際に、予め、各アルバムの最初に記録されている低解像度画像データ及びこの先頭の画像から５枚目までの低解像度を１つのインデックスファイルとして、光ディスク上に記録しておく。
【０４４９】
　上記第３のインデックスキー３８ｃがオン操作されると、上記システムコントローラ６はこれを検出し再生するように上記ディスク記録再生部５ｃを制御する。
【０４５０】
　これにより、上記ディスク記録再生部５ｃにより光ディスク２０から上記各アルバムの最初に記録されている画像の低解像度画像データ及び該先頭の画像から５枚目までの低解像度画像データが再生され、上述のようにビデオメモリ１１ｂを介して上記モニタ装置９に供給される。従って、上記モニタ装置９に各アルバムの先頭の画像から５枚目までの画像を表示することができ、ユーザは、所望の画像が記録されているアルバムを簡単に検索することができる。
【０４５１】
　次に、各アルバムの画像を連続して表示するのではなく、所定枚数おきに表示したほうが、各アルバムの内容が分かり易い場合がある。このような場合のために、上記操作部１０には第４のインデックスキー３８ｄが設けられている。
【０４５２】
　同様に、光ディスク２０に低解像度画像データを記録する時に、予め、各アルバムの最初に記録されている低解像度画像データ、先頭の画像から１０枚分先に記録された低解像度画像データ、先頭の画像から２０枚分先に記録された低解像度画像データを１つのインデックスファイルとして、光ディスク上に記録しておく。
【０４５３】
　すなわち、上記第４のインデックスキー３８ｄがオン操作されると、上記システムコントローラ６はこれを検出し、上記インデックスファイルを再生するように上記ディスク記録再生部５ｃを制御する。
【０４５４】
　これにより、上記光ディスク２０から１０枚おきに再生された各アルバムの低解像度画像データが再生され、上述のようにビデオメモリ１１ｂを介して上記モニタ装置９に供給される。従って、上記モニタ装置９に各アルバムの１０枚置きに再生された画像を表示することができ、ユーザは、所望の画像が記録されているアルバムをより簡単に検索することができる。
【０４５５】
　次に、上記各アルバムの画像を１画面に複数表示するのでは、１枚１枚の画像が見難く検索し難い場合がある。このような場合のために、上記操作部１０には、第１のアルバムサーチキー５６が設けられている。
【０４５６】
　すなわち、上記第１のアルバムサーチキー５６がオン操作されると、上記システムコントローラ６はこれを検出し、各アルバムの先頭に記録されている画像の中間解像度画像データを連続的に再生するように上記ディスク記録再生部５ｃを制御する。
【０４５７】
　これにより、上記ディスク記録再生部５ｃにより光ディスク２０から上記各アルバムの先頭に記録されている各画像の中間解像度画像データが再生され、上述のようにビデオメモリ１１ｂに転送される。上記メモリコントローラ１３は、上記ビデオメモリ１１ｂに上記各中間解像度画像データが記憶されると、これを即座に読み出し上記モニタ装置９に供給する。
【０４５８】
　これにより、上記モニタ装置９に各アルバムの先頭に記録されている画像を連続的に表示することができ、ユーザは、所望のアルバムを高速に検索することができる。
【０４５９】
　なお、このように連続的に表示されるアルバム（画像）から所望のアルバムを選択する場合、ユーザは、所望の画像が表示されたときに、上記停止キー４２をオン操作する。上記システムコントローラ６は、このような状態で上記停止キー４２がオン操作されると、該停止キー４２がオン操作された時点で表示していた画像が属するアルバムが指定されたことを認識し、以後、このアルバムに基づいて再生，編集等を行うようになる。
【０４６０】
　次に、上記各アルバムの先頭の画像のみを連続的に表示したのでは、そのアルバムの内容が分からず、所望のアルバムを検索しにくい場合がある。このような場合のために、上記操作部１０には、第２のアルバムサーチキー５７が設けられている。
【０４６１】
　すなわち、上記第２のアルバムサーチキー５７がオン操作されると、上記システムコントローラ６はこれを検出し、各アルバムの先頭に記録されている画像の中間解像度画像データ及び例えば３枚目までの中間解像度画像データを連続的に再生するように上記ディスク記録再生部５ｃを制御する。
【０４６２】
　これにより、上記ディスク記録再生部５ｃにより光ディスク２０から上記各アルバムの先頭に記録されている各画像の中間解像度画像データ及び３枚目までの中間解像度画像データが再生され、上述のようにビデオメモリ１１ｂに転送される。上記メモリコントローラ１３は、上記ビデオメモリ１１ｂに上記各中間解像度画像データが記憶されると、これを即座に読み出し上記モニタ装置９に供給する。
【０４６３】
　これにより、上記モニタ装置９に各アルバムの先頭から３枚目までに記録されている画像を連続的に表示することができ、ユーザは、所望のアルバムをより高速に検索することができる。
【０４６４】
　なお、このように連続的に表示されるアルバム（画像）から所望のアルバムを選択する場合、ユーザは、所望の画像が表示されたときに、上記停止キー４２をオン操作する。上記システムコントローラ６は、このような状態で上記停止キー４２がオン操作されると、該停止キー４２がオン操作された時点で表示していた画像が属するアルバムが指定されたことを認識し、以後、このアルバムに基づいて再生，編集等を行うようになる。
【０４６５】
　このように、光ディスク２０に所定数の低解像度画像データをインデックスファイルとして記録しておき、上記各インデックスキー３８ａ〜３８ｄがオン操作されたときに、上記インデックスファイルを読み出し、１画面に各アルバム（画像ディレクトリ）の内容を示す所定数の低解像度画像データを表示することにより、所望の画像或いは所望のアルバム（画像ディレクトリ）の検索を高速に行うことができる。
【０４６６】
　また、上記光ディスク２０には、所定数の低解像度画像データがインデックスファイルとして記録されているため、インデックス表示時には、１つのインデックスファイルをディスクから検索して読み出すことによって、所定数の所定数の低解像度画像データを表示できるため、インデックス表示を高速に行える。
【０４６７】
　次に、当該静止画像システムは、上記インデックス用の画像を表示することなく直接所望の画像を指定して上記モニタ装置９に表示することができる。
【０４６８】
　すなわち、ユーザは、所望の画像が記録されているアルバム及び画像番号が分かっている場合、上述のように上記操作部１０に設けられているアルバムキー３３，テンキー５０，戻しキー３９及び送りキー４０を操作して所望のアルバム及び所望の画像番号を入力する。そして、上記所望の画像番号を選択した後に再生キー４１をオン操作する。
【０４６９】
　上記システムコントローラ６は、上記再生キー４１がオン操作されたことを検出すると、上記指定されたアルバムの画像番号の中間解像度画像データを読み出すように上記ディスク記録再生部５ｃを制御する。これにより、上記光ディスク２０から指定された画像番号の中間解像度画像データが読み出され、該中間解像度画像データに応じた画像が上記モニタ装置９に表示される。
【０４７０】
　また、当該静止画像システムは、上記操作部１０に設けられている検索キー５２を用いて所望の画像の検索を行うこともできる。
【０４７１】
　すなわち、上記検索キー５２がオン操作されると、上記システムコントローラ６は検索モードとなる。上記システムコントローラ６は、上記検索モードとなると、十字キー５４が１回操作される毎に、画像名，キーワード，記録日，記録時間の文字を順に表示するように表示部２６を表示制御する。ユーザは、上記画像名，キーワード，記録日，記録時間の中から入力する情報を選択すると、上記テンキー５０を用いて検索を行う画像の画像名，キーワード，記録日、或いは、記録時間を入力しＥＸＥＣキー５５をオン操作する。
【０４７２】
　これにより、上記システムコントローラ６は、上記ＥＸＥＣキー５５がオン操作されたことを検出して検索を開始する。そして、上記画像名，キーワード等に該当する画像を検索し、この検索した画像の低解像度画像データを読み出すようにディスク記録再生部５ｃを制御する。なお、この検索により複数の画像が検索された場合、上記システムコントローラ６は、その複数の画像の低解像度画像データを読み出すように上記ディスク記録再生部５ｃを制御する。
【０４７３】
　これにより、上記検索された画像の低解像度画像データが、上記ビデオメモリ１１ｂに供給される。上記メモリコントローラ１３は、上記低解像度画像データがビデオメモリ１１ｂに記憶されるとこれを読み出して上記モニタ装置９に供給する。
【０４７４】
　次にユーザは、上記モニタ装置９に表示された画像を見て所望の画像を認識し、上記テンキー５０を用いてこの画像のアルバム番号及び画像番号を入力し、上記再生キー４１をオン操作する。上記システムコントローラ６は、上記指定されたアルバムから指定された画像番号の中間解像度画像データを再生するように上記ディスク記録再生部５ｃを読み出し制御する。
【０４７５】
　これにより、上記所望の画像の中間解像度画像データは、ビデオメモリ１１ｂを介してモニタ装置９に供給され、該モニタ装置９に上記検索した所望の画像が表示されることとなる。
【０４７６】
　１１．［インデックス画像の再生及び表示］
　次に、当該静止画像システムにおけるインデックス画像の再生及び表示動作を図３７のフローチャートを用いてさらに詳細に説明する。
【０４７７】
　この図３７に示すフローチャートは、ユーザが図８に示す電源キー３１をオン操作することによりストレージ部５がスタンバイ状態となりスタートとなり、ステップＳ１２０に進む。
【０４７８】
　上記ステップＳ１２０では、ユーザが図８に示すディスク挿入口３０に光ディスク２０を挿入してステップＳ１２１に進む。これにより、上記ディスク挿入口３０を介して挿入された光ディスク２０がストレージ部５内に装着されて画像データの再生可能な状態となる。
【０４７９】
　上記ステップＳ１２１では、上記システムコントローラ６が、光ディスク２０上に記録されているＰ−ＴＯＣ及びＵ−ＴＯＣを読み込むようにディスク記録再生部５ｃを制御し、該光ディスク２０上にＰ−ＴＯＣ及びＵ−ＴＯＣが存在するか否かを判別する。そして、該各ＴＯＣが存在しない場合はステップＳ１３９に進み、「ディスクエラー」を表示するように表示部２６を表示制御し、該各ＴＯＣが存在する場合はステップＳ１２２に進む。
【０４８０】
　上記ステップＳ１２２では、上記システムコントローラ６が、上記Ｐ−ＴＯＣ及びＵ−ＴＯＣを読み込むようにディスク記録再生部５ｃを制御してデータＵ−ＴＯＣの位置を確認しステップＳ１２３に進む。上記Ｕ−ＴＯＣでは、データファイルが形成されている領域を管理することができないため、データファイルが存在する場合にはその先頭にデータＵ−ＴＯＣが存在するものと判断される。
【０４８１】
　上記ステップＳ１２３では、システムコントローラ６が、データＵ−ＴＯＣのデータをＲＡＭ６ａに記憶し各ディレクトリ及びファイルの位置を把握してステップＳ１２４に進む。
【０４８２】
　ステップＳ１２４では、上記システムコントローラ６が上記光ディスク２０が画像記録用にフォーマットされているか否かを判別する。具体的には、上記システムコントローラ６は、ＲＡＭ６ａに記憶されたデータＵ−ＴＯＣのデータに基づいて、ディレクトリ（ＰＩＣ  ＭＤ），総合情報管理ファイル，画像ディレクトリ（少なくとも１つ），画像データ管理ファイル，画像インデックスファイルが存在するか否かを判別することにより、光ディスク２０が画像記録用にフォーマットされているか否かを判別する。そして、Ｎｏの場合はステップＳ１４０に進み「ディスクエラー」を表示するように表示部２６を表示制御してそのまま終了し、Ｙｅｓの場合はステップＳ１２５に進む。
【０４８３】
　ステップＳ１２５では、上記システムコントローラ６が、上記ストレージ部コントローラ５ｄを介して全ての管理ファイル（総合情報管理ファイル，各ディレクトリの画像データ管理ファイル，プリント制御データ管理ファイル，再生制御管理ファイル）を読み出すようにディスク記録再生部５ｃを制御すると共に、この読み出された全ての管理ファイルをＲＡＭ６ａに一旦記憶してステップＳ１２６に進む。
【０４８４】
　ステップＳ１２６では、システムコントローラ６が、表示する画像の指定がされているか否かを判別しＹｅｓの場合はステップＳ１３０に進み、Ｎｏの場合はステップＳ１２７に進む。
【０４８５】
　上記ステップＳ１２７では、システムコントローラ６が光ディスク２０に記録されている総合インデックスファイルを検索してステップＳ１２８に進む。
【０４８６】
　特に画像ディレクトリの指定がされていない場合は、各画像ディレクトリにどのような画像データが記録されているのかを表示させてユーザに所望の画像を指定させる必要がある。このため、上記ステップＳ１２８では、システムコントローラ６が、光ディスク２０に記録されている総合インデックスファイルを表示するようにディスク記録再生部５ｃを制御してステップＳ１２９に進む。上記総合インデックスファイルは、各画像ディレクトリの中の画像インデックスファイルに記憶されているインデックス画像データのうち、任意の１枚のインデックス画像と同じインデックス画像データが、モニタの表示順に登録されているものである。この総合インデックスファイルをモニタ表示することにより、ユーザは所望の画像ディレクトリの指定が可能となる。
【０４８７】
　次に、ステップＳ１２９では、システムコントローラ６が上記操作部１０の操作状態を検出することにより、上記モニタ表示されているインデックス画像からユーザが所望するインデックス画像が指定されたか否かを判別し、Ｎｏの場合は該指定がなされるまでこのステップＳ１２９を繰り返し、Ｙｅｓの場合はステップＳ１３０に進む。
【０４８８】
　ステップＳ１３０では、システムコントローラ６が指定されたインデックス画像と対応する画像ディレクトリを検索してステップＳ１３１に進む。
【０４８９】
　すなわち、上記ＲＡＭ６ａに記憶されている総合情報管理ファイルの中の画像ディレクトリ情報ユニット（４８バイトのデータ）は、表示されているインデックス画像の数（＝画像ディレクトリの数）と同じ数だけ登録されており、かつ、インデックス画像の表示順と対応するように順に記録されている。例えば、総合情報管理ファイルによって表示されている２番目のインデックス画像を指定したときを一例に掲げて説明すると、まず、指定された２番目のインデックス画像に対応する４８バイトの画像ディレクトリ情報ユニットは、先頭から２番目に記録されている。この２番目の画像ディレクトリ情報ユニットのディレクトリ番号には「００００１」のデータが記録されており、このデータによってこのインデックス画像が記録されているディレクトリは２番目のＰＩＣ０００１の画像ディレクトリであることが解る。
【０４９０】
　次に、上記ステップＳ１３１では、上記システムコントローラ６が、上記ステップＳ１３０において検索されたディレクトリ内の画像インデックスファイルを検索してステップＳ１３２に進む。
【０４９１】
　ステップＳ１３２では、上記システムコントローラ６が、検索されたディレクトリ内の最初の画像インデックスファイル（２５枚分のインデックス画像を含む）を上記モニタ装置９に表示制御してステップＳ１３３に進む。
【０４９２】
　ステップＳ１３３では、上記システムコントローラ６が、上記操作部１０の操作状態を検出することにより、上記モニタ装置９に表示されたインデックス画像の中からユーザ所望の画像の指定がなされたか否かを判別し、Ｎｏの場合はステップＳ１３４に進み、Ｙｅｓの場合はステップＳ１３６に進む。
【０４９３】
　上記ステップＳ１３４では、上記システムコントローラ６が操作部１０の操作状態を検出することにより、次の画像インデックスファイル（残り２５枚分のインデックス画像を含む）の表示の指定がなされたか否かを判別し、Ｎｏの場合は上述のステップＳ１３３に戻り、Ｙｅｓの場合はステップＳ１３５に進む。
【０４９４】
　上記ステップＳ１３５では、上記システムコントローラ６が残り２５枚分のインデックス画像をモニタ装置９に表示制御して上述のステップＳ１３３に戻る。
【０４９５】
　一方、上記ステップＳ１３３において、インデックス画像の指定があると判別された場合はステップＳ１３６に進み、上記システムコントローラ６が、指定されたインデックス画像に対応する高解像度画像ファイル又は中間解像度画像ファイルを検索してステップＳ１３７に進む。
【０４９６】
　具体的には、上記システムコントローラ６は、上記ＲＡＭ６ａに記憶されている各画像ディレクトリの各画像データ管理ファイルの中から、表示されているインデックスファイルの存在する画像ディレクトリに対応する画像データ管理ファイルを選択する。その選択された画像データ管理ファイルの画像情報ユニット（１６バイト）には、画像インデックスファイルの中に登録されているインデックスの数（Ｎ）と同じ数分の画像情報ユニットが登録されている。また、表示されているインデックスの順番と対応するように、この画像情報ユニットが順に記録されている。
【０４９７】
　例えば、この画像インデックスファイルによって表示されている２５枚のインデックス画像が、１番目の画像ディレクトリのインデックスファイルでそのインデックスファイルの中から４番目のインデックス画像が指定された場合を説明する。まず、表示されているインデックスファイルは、１番目の画像ディレクトリのインデックスファイルであるため、上記システムコントローラ６は、ＲＡＭ６ａ上の１番目の画像データ管理ファイルのデータを参照する。そして、４番目のインデックス画像がユーザによって指定されると、参照している画像データ管理ファイルの４番目の画像情報ユニットの検索を行う。この検索された画像情報ユニットの中のデータには、ディレクトリ番号として「０００００」，画像情報として「００００３」のデータが記録されている。従って、指定されたインデックス画像に対応する高解像度の画像ファイルは、画像ディレクトリ「ＰＩＣ０００００」の中のファイル名が「ＰＨＰ０００００３」と判断され、中間解像度の画像ファイルは画像ディレクトリ「ＰＩＣ０００００」の中のファイル名が「ＰＳＮ００００３」と判断されることとなる。
【０４９８】
　なお、上述のようにインデックス画像が選択され、それに対応する高解像度及び中間解像度の画像ファイルを検索する際には、必ず画像データ管理ファイルの画像情報ユニットの中のデータに基づいて、これに対応する画像ファイルが検索されることとなる。
【０４９９】
　例えば後に説明する編集等によりインデックス画像の位置が変更されると、インデックス画像の表示順と画像ファイルの画像番号とにずれを生ずる。しかし、当該静止画像システムにおいては、インデックス画像の表示順と画像ファイルの画像番号とは一致しているため、インデックス画像の表示順が変更された場合でも、画像データ管理ファイルの画像情報ユニットによってインデックス画像と高解像度及び中間解像度の画像ファイルの対応がとれるようになっている。詳しくは後の「画像の編集」の項で詳細に説明する。
【０５００】
　次に、上記ステップＳ１３７では、システムコントローラ６が操作部１０の操作状態を検出することにより、上記検索された中間解像度の画像ファイルのモニタ表示が指定されたか否かを判別し、Ｙｅｓの場合はステップＳ１３８に進み、Ｎｏの場合はこのステップＳ１３７を繰り返す。
【０５０１】
　上記ステップＳ１３８では、システムコントローラ６が、上記検索された中間解像度の画像ファイルのデータを読み出すようにディスク記録再生部５ｃを制御し、これにより再生された中間解像度の画像ファイルを表示するようにモニタ装置９を表示制御すると共に、上記検索された高解像度の画像ファイルのプリントアウトが指定されたか否かを判別する。そして、Ｎｏの場合は当該ステップＳ１３８を繰り返す。また、Ｙｅｓの場合は、システムコントローラ６が、検索された高解像度の画像ファイルを読み出すようにディスク記録再生部５ｃを制御し、これをメインメモリ１１ａを介してプリンタ部２に供給して、この図３７に示すインデックス画像の再生及び表示の全ルーチンを終了する。
【０５０２】
　なお、上記高解像度の画像ファイルが供給されたプリンタ部２では、ＲＧＢの各データとして供給された高解像度画像データをイエロー（Ｙ），マゼンタ（Ｍ），シアン（Ｃ）の各データに変換し、これをＹデータから順にサーマルヘッドによりプリント用紙に印刷する。
【０５０３】
　１２．［ファイル及び画像ディレクトリの検索］
　次に上記図１９等を用いて説明したファイルの階層構造を参照して、例えば画像ファイルｆ５（ＰＳＮ０００００．ＰＭＰ）を検索する場合を説明する。この検索動作は図３８のフローチャートに示すようになっている。この図３８に示すフローチャートは、上記ＲＡＭ６ａにデータＵ−ＴＯＣのデータが記憶され、ユーザにより所望の画像ディレクトリ及びファイル名が指定されることによりスタートとなりステップＳ１４１に進む。
【０５０４】
　上記ステップＳ１４１では、システムコントローラ６が、ボリュームマネジメントエリアのボリュームディスクリプタ（ＶＤ）に基づいて、ディレクトリ（ＰＩＣ＿ＭＤ）を示す最初のディレクトリレコードブロック（ＤＲＢ）のブロック番号を検索してステップＳ１４２に進む。
【０５０５】
　具体的には、上記ＶＤの最初のディレクトリレコードブロックの位置を示すデータにより、マネジメントブロック内でのＤＲＢの位置がブロック番号で記録されている。当該静止画像システムにおいては、この最初のＤＲＢのブロック番号は上述のように「０００４」となっている。従って、システムコントローラ６は、ディレクトリＤ１（ＰＩＣ＿ＭＤ）を示すためのＤＲＢは、マネジメントブロック番号「０００４」で示されるＤＲＢであると判断される。
【０５０６】
　次にステップＳ１４２では、システムコントローラ６が、上記指定されたＤＲＢが単独のＤＲＢであるか、連続するＤＲＢであるかを、ＭＴに記録されているマネジメントブロックのエントリを参照することによって判別し、単独の場合はステップＳ１４３に進み、単独ではない場合はステップＳ１４７に進む。
【０５０７】
　なお、図２０で示されるファイル階層構造においては、マネジメントブロック番号「０００４」のＤＲＢは単独ＤＲＢであるため、ステップＳ１４３に進む。
【０５０８】
　上記ステップＳ１４３では、システムコントローラ６は、ディレクトリＤ１を表すＤＲＢに設けられた複数のＤＲユニットの中から、画像ファイルｆ５の存在する画像ディレクトリＤ２（ＰＩＣ０００００）の記録位置を示すためのディレクトリ用ＤＲユニットを検索する。
【０５０９】
　この図１９で示されるファイル階層構造においては、ディレクトリＤ１を表すＤＲＢの３番目のＤＲユニットが、画像ディレクトリＤ２の記録位置を示すためのディレクトリ用ＤＲユニットであるため３番目のＤＲユニットであるディレクトリ用ＤＲユニットが検索される。この３番目のＤＲユニットであるディレクトリ用ＤＲユニットには、「インデックストゥＤＲＢ」が記録されており、この「インデックストゥＤＲＢ」として記録されているマネジメントブロック番号によって、画像ディレクトリＤ２を表すＤＲＢのブロック位置が指定される。すなわち、この図１９で示されているファイル階層構造においては、「インデックストゥＤＲＢ」のデータとして「０００５」が記録されているため、画像ディレクトリＤ２を表すためのＤＲＢは、マネジメントブロック番号「０００５」で示されるＤＲＢであると判断される。
【０５１０】
　一方、上記ステップＳ１４７では、システムコントローラ６は、上記ＤＲＢの中のＤＲユニットを順次検索し、指定された画像ディレクトリを示すためのディレクトリ用ＤＲユニットがあるかを判断する。Ｎｏの場合（すなわち、リンクしている最初のＤＲＢの中に指定された画像ディレクトリを示すＤＲユニットが存在してない場合）は、ステップＳ１４８に進み、Ｙｅｓの場合（すなわち、リンクしている最初のＤＲＢの中に指定された画像ディレクトリを示すＤＲユニットが存在する場合）は、ステップＳ１４４に進む。なお、図２０のファイル階層構造において、画像ファイルｆ５を検索する場合には、ディレクトリＤ１（ＰＩＣ＿ＭＤ）を表すＤＲＢ及び画像ディレクトリＤ２（ＰＩＣ０００００）を表すＤＲＢは、共に、単独のＤＲＢであるため、このステップＳ１４７及びステップＳ１４８は使用されない。
【０５１１】
　ステップＳ１４４では、ステップＳ１４３で検索されたディレクトリ用ＤＲユニットガ、指定されたディレクトリを示すディレクトリ用ＤＲユニットであるか否かを判断する。当該静止画像システムで使用されるファイル構造は、図１９に示すようにツリー構造となっているため、このステップＳ１４４では、検索されたディレクトリが、指定されたディレクトリにたどりつく過程での最後のディレクトリ（最下位層のディレクトリ）であるか否かを判断している。なお、図１９のファイル階層構造において画像ファイルｆ５を検索する際には、ステップＳ１４３において示された画像ディレクトリＤ２が最下位層ディレクトリとなっているため、このステップＳ１４４での判断結果は、ＹＥＳとなって、ステップＳ１４５に進む。
【０５１２】
　ステップＳ１４５では、システムコントローラ６は、ステップＳ１４３で検索された画像ディレクトリＤ２を表すためのＤＲＢに設けられた複数のＤＲユニットの中から、画像ファイルｆ５の記録位置を示すためのファイル用ＤＲユニットを検索する。
【０５１３】
　すなわち、この図１９で示されるファイル階層構造においては、画像ディレクトリＤ２を表すＤＲＢの３番目のＤＲユニットが、画像ファイルｆ５を示すためのファイル用ＤＲユニットであるため、このステップＳ１４５によって３番目のＤＲユニットであるファイル用ＤＲユニットが検索される。このファイル用ＤＲユニットには「エクステントスタートロケーション」が記録されており、この「エクステントスタートロケーション」として記録されているアロケーションブック番号によって、画像ファイルｆ５の記録位置が指定され、ステップＳ１４６に進む。
【０５１４】
　ステップＳ１４６では、上記システムコントローラ６は、ファイルエクステンツエリア内において、ステップＳ１４５で検索されたアロケーションブック位置にアクセスして、画像ファイルｆ５がこのアクセスした位置に存在することを確認する。そのアクセス位置を先頭として、画像ファイルｆ５を再生することができる。
【０５１５】
　当該静止画像システムでは、上述のように画像ファイルを検索しているため、ファイル検索のための物理的な読み込みの回数を低減し、階層ディレクトリ構造になっている画像ディレクトリの中の画像ファイルを簡単にかつ高速に検索することができる。
【０５１６】
　また、階層ディレクトリ構造に関する情報を、第２の領域（ボリュームマネジメントエリア）に集中させているため、ファイル検索のために必要な情報を読み出す場合には、このボリュームマネジメントエリアのみにアクセスすれば良いため、ファイルの記録位置が把握できるため、アクセス回数を低減して、画像ファイルの読み出しを高速化することができる。
【０５１７】
　また、ボリュームマネジメントエリアには、画像データ等の大容量のデータが一切記録されておらず、管理データのみが記録されているため、ＲＡＭに記憶させる際には非常に適している。よって、一旦この管理データをこのＲＡＭに記憶させると、ファイルを検索するために光ディスクにアクセスする回数をさらに低減することができる。
【０５１８】
　１３．［画像の編集］
　画像の記録が終了すると、ユーザの選択によってインデックス画像の編集を行うことが可能となる。この画像の編集は、例えばある画像ディレクトリの画像データを他の画像ディレクトリに移動させる作業や、同じ画像ディレクトリ内でインデックス画像の入れ換えを行ってインデックス画像の表示順を変更する作業等を指すものである。
【０５１９】
　以下に、一例として１番目の画像ディレクトリの５番目に表示されているインデックス画像を、２番目のディレクトリの１０番目の表示位置に移動させる例を、図３９のフローチャートを用いて説明する。
【０５２０】
　この図３９に示すフローチャートは、所望の画像の記録が終了し、ユーザが編集指定キーをオン操作することでスタートとなりステップＳ１５１に進む。
【０５２１】
　ステップＳ１５１では、上記システムコントローラ６が、移動元の画像ディレクトリ（１番目）のインデックスファイルを読み出し、２５枚のインデックス画像を表示するようにディスク記録再生部５ｃを制御してステップＳ１５２に進む（再生動作の項を参照）。
【０５２２】
　ステップＳ１５２では、システムコントローラ６が、移動元の画像ディレクトリ内の移動するインデックス画像が指定されたか否か（１番目のディレクトリの５番目に表示されているインデックス画像が指定されたか否か）を判別し、Ｎｏの場合はこのステップＳ１５２を繰り返し、Ｙｅｓの場合はステップＳ１５３に進む。
【０５２３】
　ステップＳ１５３では、システムコントローラ６が、操作部１０の操作状態を検出することにより、移動先の画像ディレクトリ及び移動位置が指定されたか否か（この例の場合は、２番目のディレクトリの１０番目のインデックス画像に元画像を移動させる）を判別し、Ｎｏの場合はこのステップＳ１５３を繰り返し、Ｙｅｓの場合はステップＳ１５４に進む。
【０５２４】
　ステップＳ１５４では、上記システムコントローラ６が、移動元の画像ディレクトリのインデックスファイルの全インデックス画像と、移動先の画像ディレクトリのインデックスファイルの全インデックス画像とをメインメモリ１１ａ上に読み出すようにディスク記録再生部５ｃ等を制御してステップＳ１５５に進む。
【０５２５】
　ステップＳ１５５では、上記システムコントローラ６が、移動元（１番目の画像ディレクトリ）のインデックスファイルから移動先（２番目の画像ディレクトリ）のインデックスファイルに、指定されたインデックス画像（ヘッダも含む）のみを移動させるようにメモリコントローラ１３を制御し、ステップＳ１５６に進む。
【０５２６】
　すなわち、上記画像インデックスファイルは、上述のように各インデックス画像が、ヘッダ及びデータ本体も併せて４０９６バイトで一定になっている。従って、この例においては、インデックスファイルの先頭から４０９６×３バイト以降の４０９６バイトが４番目のインデックス画像（ヘッダも含む）のデータと決まっているため、画像インデックスファイル内でのインデックス画像の位置が容易に把握できる。同様に、移動されるインデックス画像（４０９６バイト）のデータの移動先は、移動先のディレクトリ（２番目）のインデックスファイルの４０９６×９バイト以降のエリアに指定されるため、そのエリアに挿入される。ここで述べた挿入とは、８番目のインデックス画像と９番目のインデックス画像の間に挿入することであって、９番目のインデックス画像にオーバーライトすることではない。
【０５２７】
　次にステップＳ１５６では、システムコントローラ６が、移動元のインデックスファイルの上記移動されたインデックス画像を削除してファイルを更新し、移動先のインデックスファイルの上記移動されたインデックス画像を追加するようにメモリコントローラ１３を制御する。そして、この移動先のファイルを更新してステップＳ１５７に進む。
【０５２８】
　上記ステップＳ１５７では、システムコントローラ６が、それぞれ編集した移動元のインデックスファイルと、移動先インデックスファイルとをディスク上の同じ場所に再記録してステップＳ１５８に進む。なお、同じ場所でなくても、他にエリアを確保できるところがあるのであれば、その場所でも良い。
【０５２９】
　ステップＳ１５８では、システムコントローラ６が、ＲＡＭ６ａ上において、移動元（１番目のディレクトリ）の画像データ管理ファイル内に記録されていた複数の画像情報ユニット（１６バイト）のうちの５番目に記録されている画像情報ユニットを、データを変更せずに移動先（２番目のディレクトリ）の画像データ管理ファイル内の１０番目の画像ユニットに移動させステップＳ１５９に進む。なお、ディスク上に記録されている、高解像度及び中間解像度画像データのファイルに対しては、何らデータの更新は無い。
【０５３０】
　次に、ステップＳ１５９では、システムコントローラ６が操作部１０のイジェクトキー３２がオン操作された否かを判別することにより、ディスクイジェクトが指定されたか否かを判別し、Ｎｏの場合はこのステップＳ１５９を繰り返し、Ｙｅｓの場合はステップＳ１６０に進む。
【０５３１】
　ステップＳ１６０では、システムコントローラ６が、ＲＡＭ６ａ上のデータＵ−ＴＯＣ，総合情報管理ファイル，画像データ管理ファイルを読み出し、これをディスク上に書き込むようにディスク記録再生部５ｃを制御することにより、該各データを更新してこの画像の編集動作に係る全ルーチンを終了する。
【０５３２】
　ここで、例えば、高解像度又は中間解像度画像データのファイルの先頭に、インデックス画像の表示順と一致させるためのデータが記録されたヘッダを備えるようにした記録媒体を例に挙げる。このような記録媒体において、上述するような編集を行おうとすると、ヘッダのデータを書き換えることによって、インデックス画像の表示順と一致させることができる。しかし、ヘッダのデータを書き換えるためには、一旦、画像ファイルの全データ（画像データも含めて）を読み出す必要があり、ディスクからの再生に時間を要することとなる。
【０５３３】
　しかし、当該静止画像システムにおける上述の編集動作においては、インデックスファイルは、実際に表示される順に従ってディスク上での物理的な位置を入れ換えるが、高解像度及び中間解像度画像データは、ディスク上での位置は何ら変更せず、ＲＡＭ６ａに読み込まれた画像データ管理ファイルの中の画像情報ユニットのデータを入れ換える。そして、このような各データの入れ換えのみで、インデックス画像の表示順と高解像度画像ファイル及び中間解像度画像ファイルとの対応が取れるようになっている。このため、書き換えが必要とされるのは、インデックスファイル内でのインデックス画像の入れ換えと、ＲＡＭ６ａ上の画像データ管理ファイルの書き換えのみだけである。従って、書き換えデータを非常に少なくすることができ、書き換え作業を高速化することができる。
【０５３４】
　また、インデックスファイルを表示順と同じ順になるように、インデックス画像のディスク上での物理的位置を変更しているため、インデックスファイルの高速読み出しを実現することができる。
【０５３５】
　また、同じ画像ディレクトリ内の、同じインデックスファイル内で、インデックス画像の表示を順番を変更する時も、同じような制御で行うことができる。例えば、同じインデックスファイルの中の７番目のインデックス画像を２番目に表示させるように表示順を変更する場合は、まず、インデックスファイルの全データをディスクから一旦メインメモリ１１ａ上に読み出し、７番目のインデックス画像を２番目に移動してインデックスファイルをメインメモリ上で編集した後、ディスク上に再記録する。一方、ＲＡＭ６ａ上では、画像データ管理ファイル内において、７番目の１６バイトの画像情報ユニットを、データを変更せずに２番目に挿入する。すなわち、同一の画像ディレクトリ内で、インデックス画像の表示の順番を変える場合においても、インデックスファイルとＲＡＭ上の画像情報ユニットのみが書き換えが行われ、実際の画像データの書き換えは行われていないことになる。
【０５３６】
　１４．［プリント動作］
　次に、上記スキャナ部１，ビデオ入力部８を介して取り込んだ画像をプリントする場合における当該静止画像システムの動作説明をする。
【０５３７】
　上記スキャナ部１，ビデオ入力部８を介して取り込んだ画像をプリントする場合、ユーザは、操作部１０を操作して上述と同様にして該スキャナ部１，ビデオ入力部８を介して取り込んだ画像をモニタ装置９に表示する。そして、上記モニタ装置９に表示される画像が所望の画像であった場合、上記操作部１０を操作して印刷枚数を指定すると共に、その画像のプリントを指定する。
【０５３８】
　上記スキャナ部１，ビデオ入力部８或いは光ディスク２０からの画像データは、上記メインメモリ１１ａに記憶されている。このため、上記システムコントローラ６は、上記プリントが指定されると、上記メインメモリ１１ａに記憶されている画像データが読み出されるように、上記メモリコントローラ１３を介して該メインメモリ１１ａを読み出し制御する。上記メインメモリ１１ａから読み出された画像データは、プリンタ部２のデータ変換回路２ｂに供給される。
【０５３９】
　上記データ変換回路２ｂは、上記メインメモリ１１ａから読み出された画像データに対してプリントに適したデータ変換処理を施す。すなわち、上記画像データが、Ｒ，Ｇ，Ｂ或いはＹ，Ｃｒ，Ｃｂのかたちで供給されると、これをＹ（イエロー），Ｍ（マゼンタ），Ｃ（シアン）のかたちに色座標変換することによりプリント用の画像データを形成し、これをサーマルヘッド２ｃに供給する。
【０５４０】
　上記サーマルヘッド２ｃは、上記画像データに応じた画像を、例えばＡ６サイズのプリント用紙２ｄに、約３００ＤＰＩでプリントする。これにより、上記スキャナ部１或いはビデオ入力部８を介して取り込んだ画像データに応じた画像を、指定した枚数分プリントすることができる。
【０５４１】
　ここで、このように上記モニタ装置９に表示された画像は、そのままプリントされる画像となるのであるが、当該静止画像システムにおいては、このモニタ装置９に表示された画像に対して、拡大，縮小，回転，色指定等の画像処理を施し、この画像処理の施された画像をプリントすることができるようになっている。
【０５４２】
　すなわち、このような画像処理は、操作部１０に設けられた各キーを用いて指定するようになっている。
【０５４３】
　例えば、モニタ装置に表示された画像の所望の部分を拡大してプリントしたい場合、ユーザは、操作部１０に設けられている拡大キーを操作する。この拡大キーが操作されると、システムコントローラ６は、該拡大キーが操作された時間分、表示画像の中心点を中心として拡大処理を行うように図４に示す画像処理回路１２を制御する。画像処理回路１２は、補間処理により拡大した画像データを形成する。メモリコントローラ１３は、上記画像処理回路１２により拡大処理がなされた画像データをビデオメモリ１１ｂに一旦書き込み、これを読み出して上記モニタ装置９に供給する。これにより、上記モニタ装置９に中心近辺が拡大された画像（元画像の中心近辺部分の画像）が表示されることとなる。
【０５４４】
　次に、ユーザは、上記操作部１０に設けられている十字キー５４を操作する。システムコントローラ６は、十字キー５４の操作状態に応じて上記拡大された画像を上下左右にスクロールして表示するようにメモリコントローラ１３を制御する。これにより、モニタ装置９に、元画像のうちユーザが所望する部分を拡大した画像が表示されることとなる。
【０５４５】
　次に、元画像を縮小してプリントしたい場合、ユーザは、操作部１０に設けられている縮小キーを操作する。この縮小キーが操作されると、システムコントローラ６は、該縮小キーが操作された時間分、表示画像の中心点を中心として縮小処理を行うように上記画像処理回路１２を制御する。画像処理回路１２は、間引き処理により縮小した画像データを形成する。メモリコントローラ１３は、上記画像処理回路１２により縮小処理がなされた画像データをビデオメモリ１１ｂに一旦書き込み、これを読み出して上記モニタ装置９に供給する。これにより、上記モニタ装置９に縮小された元画像が表示されることとなる。なお、この縮小処理により元画像の表示サイズが表示サイズ以下となった場合は、例えば周辺部分が黒画面（他に白画面等、他の色画面でも可能。）で取り囲まれたかたちの元画像が表示されるようになっている。
【０５４６】
　次に、例えば横画像を縦画像としてプリントしたい場合、或いはこの逆に縦画像を横画像としてプリントしたい場合等に、ユーザは、操作部１０に設けられている回転キーを操作する。システムコントローラ６は、上記回転キーが１回操作される毎に、モニタ装置９に表示されている画像が時計回り方向に９０度ずつ回転して表示されるように、上記ビデオメモリ１１ｂに記憶されている画像データを読み出し制御する。これにより、モニタ装置９には、横画像が縦画像として、或いは縦画像が横画像として表示されることとなる。
【０５４７】
　次に、モニタ装置９に表示された画像を、いわば鏡に写した状態のように反転してプリントしたい場合、ユーザは、操作部１０に設けられているミラーキーを操作する。システムコントローラ６は、ミラーキーが操作される毎に表示画像を反転して表示するようにメモリコントローラ１３を制御する。これにより、モニタ装置９には、元画像が反転表示されることとなる。
【０５４８】
　次に、例えばモニタ装置９に表示された画像の赤色を強く出したい場合等のように、表示画像に対して色加工処理を行ってプリントしたい場合、ユーザは、操作部１０に設けられているＲ，Ｇ，Ｂの各色用のゲイン操作キーを操作する。上述のように、上記各色のゲインは、それぞれ０倍〜５倍までの間を、１／２５６（８ビット）間隔で調整できるようになっている。このため、システムコントローラ６は、上記各色の操作キーが操作されると該操作時間分、各色の画像データをそれぞれ増幅する可変増幅器のゲインを＋方向或いは−方向に制御する。これにより、モニタ装置９には、上記色画工に応じた画像である、例えば赤色が強調された画像が表示されることとなる。
【０５４９】
　次に、コントラスト，ブライトネス，シャープネス，サチュレーション，ヒューを制御した画像をプリントしたい場合、ユーザは、操作部１０に設けられている各制御キーを操作する。システムコントローラ６は、上記各制御キーが操作されると、これに応じてコントラスト，ブライトネス，シャープネス，サチュレーション，ヒューをそれぞれ制御するように各部を制御する。これにより、上記モニタ装置９には、上記コントラスト，ブライトネス，シャープネス，サチュレーション，ヒューの調整された画像が表示されることとなる。
【０５５０】
　以上の画像調整は、操作部１０に設けられた専用キーにより全て調整可能となっている。従って、ユーザは、実際に表示される画像を見ながら拡大，縮小，色加工等の指定を行うことができる。
【０５５１】
　次に、印刷サイズの選択，多重モードの選択，表題等（キャプション）のプリントの有無の選択，プリントするキャプションの選択は、操作部１０に設けられたプリント指定キーを操作することにより行うことができる。システムコントローラ６は、上記プリント指定キーが操作されると、現在表示されている画像に重畳されたかたちで、上記印刷サイズの選択，多重モードの選択，表題等（キャプション）のプリントの有無の選択，プリントするキャプションの選択を行うための項目を表示する。ユーザは、十字キー５４を操作することにより画面表示されたカーソルを移動してこれらの項目を選択するようになっている。
【０５５２】
　まず、上記「印刷サイズ」の項目が選択されると、システムコントローラ６は、Ｅ版，Ｌ版，Ｋ版，キャビネ（ＬＬ版），６つ切りサイズ，４つ切りサイズ，Ａ６サイズ，Ａ５サイズ，Ａ４サイズ，Ａ３サイズ，不定型の各選択項目を表示する。ユーザは、この中から十字キー５４を操作してプリントサイズを指定する。
【０５５３】
　次に、上記印刷サイズの項目で「不定型」が選択された場合、システムコントローラ６は、横方向（Ｘ方向）のサイズ及び縦方向（Ｙ方向）のサイズの入力画面を表示する。この各サイズはｍｍ単位で設定可能となっており、ユーザは、上記操作部１０に設けられているテンキー５０を用いて所望のプリントサイズを入力して指定する。
【０５５４】
　次に、上記「多重モード」の項目が選択されると、システムコントローラ６は、２枚，４枚，６枚，８枚，１６枚の多重枚数を選択するための選択項目を表示する。これは、同一画像を一枚のプリント用紙に幾つプリントするかを選択するための項目であり、例えば上記４枚の選択項目が選択された場合には、プリント用紙のプリント領域が４等分割され、モニタ装置９に表示された同一画像が、該分割された各プリント領域にそれぞれプリントされる。
【０５５５】
　次に、上記「キャプション」の項目が選択されると、システムコントローラ６は、名称テーブル，コメントテーブル，オプションテーブルを選択するための選択項目を表示する。ユーザは、この選択項目の中からプリントする所望の項目を選択すればよく、例えばこの中から「名称テーブル」が選択された場合には、その画像に付された表題等がモニタ装置９に表示されている画像と共にプリントされることとなる。
【０５５６】
　ユーザは、このようにしてプリントサイズ，色加工等を指定すると、操作部１０に設けられている決定キーを操作する。システムコントローラ６は、上記決定キーが操作されると、図３１に示す画像ディレクトリ番号からヒューまでの各データをプリント制御データとしてＲＡＭ６ａに一旦記憶する。そして、プリント指定キーが操作されたときに、このＲＡＭ６ａに記憶されたプリント制御データを読み出し、これに応じてプリント動作を制御する。これにより、ユーザにより指定されたサイズのプリント用紙に、拡大処理，縮小処理，色加工等が施された画像をプリントすることができる。
【０５５７】
　１５．［携帯用記録再生装置］
　ここで、本発明は、例えば図４０に示すような携帯用記録再生装置に適用される。
【０５５８】
　この携帯用記録再生装置は、ポータブルサイズで持ち運び簡単となっており、いわば一般ユーザが取り扱い簡単なように構成されており、外部機器であるスキャナ装置やビデオテープレコーダ装置等からの画像データを当該携帯用記録再生装置内に取り込むためのビデオ入力部１００と、上記外部機器から取り込んだ画像或いはストレージ部１０５から再生された画像を表示するための小型の液晶表示部である表示部１０１とを有している。また、上記携帯用記録再生装置は、上記外部機器から取り込んだ画像に対してユーザから指定された画像処理を施す画像処理ブロック１０２と、上記画像処理等を指定するための操作部１０３と、画像データに対して記録再生のための間引き，圧縮伸張処理を施す間引き，圧縮伸張処理ブロック１０４と、上記間引き，圧縮伸張処理ブロック１０４により間引き，圧縮処理され固定長符号化された画像データを光ディスクに記録し再生するストレージ部１０５と、当該携帯用記録再生装置全体の動作を制御するシステムコントローラ１０６とを有している。
【０５５９】
　そして、上記ビデオ入力部１００及び表示部１０１を画像処理ブロック１０２に接続し、操作部１０３をシステムコントローラ１０６に接続し、この画像処理ブロック１０２，システムコントローラ１０６，間引き，圧縮伸張処理ブロック１０４及びストレージ部１０５をそれぞれバスライン７を介して相互に接続することにより、当該携帯用記録再生装置が構成されている。
【０５６０】
　このような携帯用記録再生装置のビデオ入力部１００，表示部１０１，画像処理ブロック１０２，操作ブロック１０３，間引き，圧縮伸張処理ブロック１０４，ストレージ部１０５，システムコントローラ１０６及びバスライン１０７は、それぞれ図１に示した静止画像システムのビデオ入力部８，モニタ装置９，操作部１０，間引き，圧縮伸張処理ブロック４，ストレージ部５，システムコントローラ６及びバスライン７に対応するものであり、上述と同様の動作を示すものである。但し、この携帯用記録再生装置は、一般ユーザ側が持つことを意識して安価となるように作製されたものであり、必要最小限の機能のみ設けられ、上述の静止画像システムのようにスキャナ部１，プリンタ部２は設けられていない。そして、画像データと共に、図３１を用いて説明したプリント制御データを光ディスクに記録し、この光ディスクをプリンタ装置の設けられた静止画像システムを持つ、例えば店舗側に持参することにより、プリント枚数等の指定をすることなく、所望の静止画像を入手可能としたものである。
【０５６１】
　次に、このような携帯用記録再生装置における上記プリント制御データの記録動作の説明をする。この携帯用記録再生装置におけるプリント制御データの記録動作は、上述の静止画像システムにおける記録動作と同様であり、図４１のフローチャートに示すようになっている。このフローチャートは、当該携帯用記録再生装置のメイン電源がオン操作されることによりスタートとなりステップＳ２２１に進む。
【０５６２】
　上記ステップＳ２２１では、システムコントローラ１０６が、ストレージ部１０５に光ディスクが装着されていることを検出し、ステップＳ２２２に進む。なお、上記ストレージ部１０５は、上記静止画像システムのストレージ部５と同じく、例えば直径６４ｍｍの光磁気ディスクに対して高解像度画像データ，中間解像度画像データ，低解像度画像データ及びプリント制御データ等の記録再生を行うようになっており、その他光ディスクのフォーマット等も全て光ディスク２０と同様になっている。
【０５６３】
　次に、上記ステップＳ２２２では、システムコントローラ１０６が、光ディスク２０上のＰ−ＴＯＣ及びＵ−ＴＯＣを読み込むようにストレージ部１０５を制御し、これにより転送されるＰ−ＴＯＣ及びＵ−ＴＯＣの各データの有無を検出することにより、ディスク上にＰ−ＴＯＣ及びＵ−ＴＯＣが存在するか否かを判別する。そして、Ｎｏの場合はステップＳ２４６に進みディスクエラーを表示するように表示部１０１を表示制御してこの図４１に示す全ルーチンを終了し、Ｙｅｓの場合はステップＳ２２３に進む。
【０５６４】
　ステップＳ２２３では、システムコントローラ１０６が、Ｐ−ＴＯＣ及びＵ−ＴＯＣを読み込むようにストレージ部１０５を制御すると共に、データＵ−ＴＯＣの記録位置を確認してステップＳ２２４に進む。
【０５６５】
　ステップＳ２２４では、システムコントローラ１０６が、上記光ディスク上のデータＵ−ＴＯＣを読み込むようにストレージ部１０５を制御する。そして、データＵ−ＴＯＣのデータを上記システムコントローラ１０６のＲＡＭ１０６ａに一旦記憶し読み出すことにより、各画像ディレクトリ及び各ファイルの位置を把握してステップＳ２２５に進む。
【０５６６】
　上記ステップＳ２２５では、上記システムコントローラ１０６が、ＲＡＭ１０６ａに記憶されたデータＵ−ＴＯＣのデータに基づいて、ディレクトリ（ＰＩＣ  ＭＤ）及び総合情報管理ファイルが存在するか否かを判別することにより、上記光ディスクが画像データの記録用にフォーマットされているか否かを判別する。そして、Ｙｅｓの場合はステップＳ２２６に進み、Ｎｏの場合はステップＳ２４７に進み表示部１０１にディスクエラーを表示するように表示制御してこの図４１に示す全ルーチンを終了する。
【０５６７】
　ステップＳ２２６では、上記システムコントローラ１０６が、総合情報管理ファイル，画像データ管理ファイル及びプリントデータ管理ファイル等の全ての管理ファイルを読み出すようにストレージ部１０５を制御すると共に、この読み出された全ての管理ファイルをＲＡＭ１０６ａに一旦記憶してステップＳ２２７に進む。
【０５６８】
　ステップＳ２２７では、上記システムコントローラ１０６が、プリント制御データを記録するためのプリントアウト設定モードとなり、ステップＳ２２８に進む。
【０５６９】
　ステップＳ２２８では、システムコントローラ１０６が、操作部１０３の操作状態を検出することにより、ユーザからプリント制御データの記録を行う画像の指定がなされたか否かを判別し、Ｙｅｓの場合はステップＳ２３８に進み、Ｎｏの場合はステップＳ２２９に進む。
【０５７０】
　ステップＳ２２９では、ユーザから画像調整を行う画像の指定がされないため、システムコントローラ１０６が、上記総合インデックスファイルの検索を行うようにストレージ部１０５を制御してステップＳ２３０に進む。
【０５７１】
　ステップＳ２３０では、システムコントローラ１０６が、上記ステップＳ２２９で検索された総合インデックスファイルを表示するように表示部１０１を制御してステップＳ２３１に進む。
【０５７２】
　ステップＳ２３１では、上記システムコントローラ１０６が、上記操作部１０３の操作状態を検出することにより、インデックス画像の指定がなされたか否かを判別し、Ｎｏの場合は該インデックス画像が指定されるまでこのステップＳ２３１を繰り返し、Ｙｅｓの場合はステップＳ２３２に進む。
【０５７３】
　ステップＳ２３２では、システムコントローラ１０６が、上記ステップＳ２３１で指定されたインデックス画像と対応する画像ディレクトリを検索してステップＳ２３３に進む。
【０５７４】
　具体的には、上記ＲＡＭ１０６ａに記憶されている総合情報管理ファイルの中の画像ディレクトリ情報ユニット（４８バイトのデータ）は、表示されているインデックス画像の数（＝画像ディレクトリの数）と同じ数だけ登録されており、かつ、インデックス画像の表示順と対応するように順に記録されている。例えば、総合情報管理ファイルによって表示されている２番目のインデックス画像を指定したときを一例に掲げて説明すると、まず、指定された２番目のインデックス画像に対応する４８バイトの画像ディレクトリ情報ユニットは、先頭から２番目に記録されている。この２番目の画像ディレクトリ情報ユニットのディレクトリ番号には「００００１」のデータが記録されており、このデータによってこのインデックス画像が記録されているディレクトリは２番目のＰＩＣ０００１の画像ディレクトリであることが解る。
【０５７５】
　次に、ステップＳ２３３では、上記システムコントローラ１０６が、ＲＡＭ１０６ａのデータに基づいて上記ステップＳ２３２において検索された画像ディレクトリ内の画像インデックスファイルを検索してステップＳ２３４に進む。
【０５７６】
　ステップＳ２３４では、上記システムコントローラ１０６が、検索された画像ディレクトリ内の最初の画像インデックスファイル（２５枚分のインデックス画像を含む）を表示するように表示部１０１を表示制御してステップＳ２３５に進む。
【０５７７】
　ステップＳ２３５では、上記システムコントローラ１０６が、操作部１０３の操作状態を検出することにより、上記表示したインデックス画像の中からユーザ所望のインデックス画像が指定されたか否かを判別し、Ｙｅｓの場合はステップＳ２３８に進み、Ｎｏの場合はステップＳ２３６に進む。
【０５７８】
　上記ステップＳ２３６では、上記システムコントローラ１０６が操作部１０３の操作状態を検出することにより、次の画像インデックスファイル（残り２５枚分のインデックス画像を含む）の表示の指定がなされたか否かを判別し、Ｎｏの場合は上述のステップＳ２３５に戻り、Ｙｅｓの場合はステップＳ２３７に進む。
【０５７９】
　上記ステップＳ２３７では、上記システムコントローラ１０６が残り２５枚分のインデックス画像を表示部１０１に表示制御して上述のステップＳ２３５に戻る。
【０５８０】
　一方、上記ステップＳ２３５において、インデックス画像の指定があると判別された場合はステップＳ２３８に進み、上記システムコントローラ１０６が、指定されたインデックス画像に対応する高解像度画像ファイル又は中間解像度画像ファイルを検索してステップＳ２３９に進む。
【０５８１】
　具体的には、上記システムコントローラ１０６は、上記ＲＡＭ１０６ａに記憶されている各画像ディレクトリの各画像データ管理ファイルの中から、表示されているインデックスファイルの存在する画像ディレクトリに対応する画像データ管理ファイルを選択する。その選択された画像データ管理ファイルの画像情報ユニット（１６バイト）には、画像インデックスファイルの中に登録されているインデックスの数（Ｎ）と同じ数分の画像情報ユニットが登録されている。また、表示されているインデックスの順番と対応するように、この画像情報ユニットが順に記録されている。
【０５８２】
　例えば、この画像インデックスファイルによって表示されている２５枚のインデックス画像が、１番目の画像ディレクトリのインデックスファイルでそのインデックスファイルの中から４番目のインデックス画像が指定された場合を説明する。まず、表示されているインデックスファイルは、１番目の画像ディレクトリのインデックスファイルであるため、上記システムコントローラ１０６は、ＲＡＭ１０６ａ上の１番目の画像データ管理ファイルのデータを参照する。そして、４番目のインデックス画像がユーザによって指定されると、参照している画像データ管理ファイルの４番目の画像情報ユニットの検索を行う。この検索された画像情報ユニットの中のデータには、ディレクトリ番号として「０００００」，画像情報として「００００３」のデータが記録されている。従って、指定されたインデックス画像に対応する中間解像度の画像ファイルは画像ディレクトリ「ＰＩＣ０００００」の中のファイル名が「ＰＳＮ００００３」と判断されることとなる。
【０５８３】
　なお、上述のようにインデックス画像が選択され、それに対応する中間解像度の画像ファイルを検索する際には、必ず画像データ管理ファイルの画像情報ユニットの中のデータに基づいて、これに対応する画像ファイルが検索されることとなる。
【０５８４】
　次に、ステップＳ２３９では、システムコントローラ１０６が、上記ストレージ部１０５により再生された中間解像度の画像を表示するように上記表示部１０１を表示制御してステップＳ２４０に進む。
【０５８５】
　ステップＳ２４０では、システムコントローラ１０６が、ユーザが操作部１０３を操作することで指定されるプリント制御データを形成してステップＳ２４１に進む。
【０５８６】
　具体的には、例えば表示部１０１に表示された画像の所望の部分を拡大してプリントしたい場合、ユーザは、操作部１０３に設けられている拡大キーを操作する。この拡大キーが操作されると、システムコントローラ１０６は、該拡大キーが操作された時間分、表示画像の中心点を中心として拡大処理を行うように画像処理ブロック１０２を制御する。画像処理ブロック１０２は、補間処理により拡大した画像データを形成する。システムコントローラ１０６は、上記画像処理ブロック１０２により拡大処理がなされた画像データを表示するように上記表示部１０１を表示制御する。これにより、上記表示部１０１に中心近辺が拡大された画像（元画像の中心近辺部分の画像）が表示されることとなる。
【０５８７】
　次に、ユーザは、上記操作部１０３に設けられている十字キーを操作する。システムコントローラ１０６は、十字キーの操作状態に応じて上記拡大された画像を上下左右にスクロールして表示するように表示部１０１を制御する。これにより、表示部１０１に、元画像のうちユーザが所望する部分を拡大した画像が表示されることとなる。
【０５８８】
　次に、元画像を縮小してプリントしたい場合、ユーザは、操作部１０３に設けられている縮小キーを操作する。この縮小キーが操作されると、システムコントローラ１０６は、該縮小キーが操作された時間分、表示画像の中心点を中心として縮小処理を行うように上記画像処理ブロック１０２を制御する。画像処理ブロック１０２は、間引き処理により縮小した画像データを形成する。システムコントローラ１０６は、上記画像処理ブロック１０２により縮小処理がなされた画像データを上記表示部１０１に供給する。これにより、上記表示部１０１に、縮小された元画像が表示されることとなる。なお、この縮小処理により元画像の表示サイズが表示サイズ以下となった場合は、例えば周辺部分が黒画面（他に白画面等、他の色画面でも可能。）で取り囲まれたかたちの元画像が表示されるようになっている。
【０５８９】
　このような画像の拡大処理或いは縮小処理は、元画像の切り出し位置等を指定するものである。上述のように、拡大又は縮小処理が指定された場合には、システムコントローラ１０６は、図３１を用いて説明した画像切り出し開始位置（Ｘ，Ｙ）及び切り出しサイズ（Ｘ，Ｙ）等のトリミングデータをそれぞれ演算するようになっている。すなわち、上記システムコントローラ１０６は、上記表示部１０１に拡大又は縮小処理され表示される画像の画像処理状態を示すデータを演算することとなる。後述するように、これらのデータは、プリントデータファイル中にプリント制御データとして記録されることとなる。
【０５９０】
　次に、例えば横画像を縦画像としてプリントしたい場合、或いはこの逆に縦画像を横画像としてプリントしたい場合等に、ユーザは、操作部１０３に設けられている回転キーを操作する。システムコントローラ１０６は、上記回転キーが１回操作される毎に、表示部１０１に表示されている画像が時計回り方向に９０度ずつ回転して表示されるように、上記画像処理ブロック及び表示部１０１を制御する。これにより、表示部１０１には、横画像が縦画像として、或いは縦画像が横画像として表示されることとなる。
【０５９１】
　このような画像の回転処理が指定された場合には、システムコントローラ１０６は、図３１を用いて説明した回転ＩＤのプリント制御データを演算し、このデータをプリントデータファイル中にプリント制御データとして記録する。
【０５９２】
　次に、表示部１０１に表示された画像を、いわば鏡に写した状態のように反転してプリントしたい場合、ユーザは、操作部１０３に設けられているミラーキーを操作する。システムコントローラ１０６は、ミラーキーが操作される毎に表示画像を反転して表示するように画像処理ブロック１０２及び表示部１０１を制御する。これにより、表示部１０１には、元画像が反転表示されることとなる。
【０５９３】
　このような反転処理が指定されると、システムコントローラ１０６は、図３１を用いて説明したミラーＩＤのプリント制御データを演算し、このデータをプリントデータファイル中にプリント制御データとして記録する。
【０５９４】
　次に、例えば表示部１０１に表示された画像の赤色を強く出したい場合等のように、表示画像に対して色加工処理を行ってプリントしたい場合、ユーザは、操作部１０３に設けられているＲ，Ｇ，Ｂの各色用のゲイン操作キーを操作する。上述のように、上記各色のゲインは、それぞれ０倍〜５倍までの間を、１／２５６（８ビット）間隔で調整できるようになっている。このため、システムコントローラ１０６は、上記各色の操作キーが操作されると該操作時間分、各色の画像データをそれぞれ増幅する可変増幅器のゲインを＋方向或いは−方向に制御する。これにより、表示部１０１には、上記色画工に応じた画像である、例えば赤色が強調された画像が表示されることとなる。
【０５９５】
　このような色加工処理が施されると、システムコントローラ１０６は、図３１を用いて説明した色加工ＩＤ，Ｒゲイン，Ｇゲイン，Ｂゲインの各プリント制御データを演算し、これをプリントデータファイル中にプリント制御データとして記録する。
【０５９６】
　次に、コントラスト，ブライトネス，シャープネス，サチュレーション，ヒューを制御した画像をプリントしたい場合、ユーザは、操作部１０３に設けられている各制御キーを操作する。システムコントローラ１０６は、上記各制御キーが操作されると、これに応じてコントラスト，ブライトネス，シャープネス，サチュレーション，ヒューをそれぞれ制御するように各部を制御する。これにより、上記表示部１０１には、上記コントラスト，ブライトネス，シャープネス，サチュレーション，ヒューの調整された画像が表示されることとなる。
【０５９７】
　システムコントローラ１０６は、上記コントラスト，ブライトネス，シャープネス，サチュレーション，ヒューが調整されると、図３１を用いて説明したコントラスト，ブライトネス，シャープネス，サチュレーション，ヒューの各プリント制御データを演算し、これをプリントデータファイル中にプリント制御データとして記録する。
【０５９８】
　以上の画像調整は、操作部１０３に設けられた専用キーにより全て調整可能となっている。従って、ユーザは、実際に表示される画像を見ながら拡大，縮小，色加工等の指定が可能となっている。
【０５９９】
　すなわち、以上の画像調整により形成された各プリント制御データ（切り出しＩＤ，切り出し開始位置，切り出しサイズ，回転ＩＤ，ミラーＩＤ，色加工ＩＤ，ＲＧＢの各ゲイン，コントラスト，ブライトネス，シャープネス，サチュレーション，ヒューは、表示部１０１に表示される画像データの画像処理状態をそのまま表すデータとなる。
【０６００】
　次に、印刷サイズの選択，多重モードの選択，表題等（キャプション）のプリントの有無の選択，プリントするキャプションの選択は、操作部１０３に設けられたプリント指定キーを操作することにより行うことができる。システムコントローラ１０６は、上記プリント指定キーが操作されると、現在表示されている画像に重畳されたかたちで、上記印刷サイズの選択，多重モードの選択，表題等（キャプション）のプリントの有無の選択，プリントするキャプションの選択を行うための項目を表示する。ユーザは、十字キーを操作することにより画面表示されたカーソルを移動してこれらの項目を選択するようになっている。
【０６０１】
　まず、上記「印刷サイズ」の項目が選択されると、システムコントローラ１０６は、Ｅ版，Ｌ版，Ｋ版，キャビネ（ＬＬ版），６つ切りサイズ，４つ切りサイズ，Ａ６サイズ，Ａ５サイズ，Ａ４サイズ，Ａ３サイズ，不定型の各選択項目を表示する。ユーザは、この中から十字キーを操作してプリントサイズを指定する。システムコントローラ１０６は、このプリントサイズの指定がなされると、該指定されたプリントサイズを演算し、このプリント制御データを形成する。この定型のプリントサイズを示すデータは、プリントデータファイル中にプリント制御データとして記録される。
【０６０２】
　次に、上記印刷サイズの項目で「定型」の選択がなされず、「不定型」が選択された場合、システムコントローラ１０６は、横方向（Ｘ方向）のサイズ及び縦方向（Ｙ方向）のサイズの入力画面を表示する。この各サイズはｍｍ単位で設定可能となっており、ユーザは、上記操作部１０３に設けられているテンキーを用いて所望のプリントサイズを入力して指定する。システムコントローラ１０６は、この定型にはないユーザ所望のプリントサイズが指定されると、この指定された不定型のプリントサイズを演算し、図３１を用いて説明した不定型サイズ指定のプリント制御データを形成する。この不定型サイズを示すデータは、プリントデータファイル中にプリント制御データとして記録される。
【０６０３】
　次に、上記「多重モード」の項目が選択されると、システムコントローラ１０６は、２枚，４枚，６枚，８枚，１６枚の多重枚数を選択するための選択項目を表示する。これは、同一画像を一枚のプリント用紙に幾つプリントするかを選択するための項目であり、例えば上記４枚の選択項目が選択された場合には、プリント用紙のプリント領域が４等分割され、表示部１０１に表示された同一画像が、該分割された各プリント領域にそれぞれプリントされる。このため、システムコントローラ１０６は、上記多重枚数が指定されると、図３１に示す多重ＩＤのプリント制御データを形成すると共に、指定された多重枚数に応じたプリント制御データを形成する。この多重ＩＤ及び多重枚数を示す各データは、それぞれ図３１を用いて説明したように、プリントデータファイル中にプリント制御データとして記録される。
【０６０４】
　次に、上記「キャプション」の項目が選択されると、システムコントローラ１０６は、名称テーブル，コメントテーブル，オプションテーブルを選択するための選択項目を表示する。ユーザは、この選択項目の中からプリントする所望の項目を選択すればよく、例えばこの中から「名称テーブル」が選択された場合には、その画像に付された表題等が表示部１０１に表示されている画像と共にプリントされることとなる。このため、システムコントローラ１０６は、この選択がなされると、図３１に示すキャプションＩＤのプリント制御データを形成すると共に、選択されたキャプションに対応するキャプション種別のプリント制御データを形成する。このキャプションＩＤ及びキャプション種別を示すデータは、それぞれ図３１を用いて説明したように、プリントデータファイル中にプリント制御データとして記録される。
【０６０５】
　上記システムコントローラ１０６は、このようにしてユーザの指定に応じたプリント制御データを形成すると、ステップＳ２４１に進む。
【０６０６】
　ステップＳ２４１では、システムコントローラ１０６が、操作部１０３の操作状態を検出することにより、全てのプリント制御データの決定がなされたか否かを判別し、Ｙｅｓの場合はステップＳ２４２に進み、Ｎｏの場合は上記ステップＳ２４０及び当該２４１を繰り返し決定待ちの状態となる。
【０６０７】
　ステップＳ２４２では、上記全てのプリント制御データは上記ステップＳ２４１で決定されているため、この演算された全てのプリント制御データは、上記ステップＳ２４０で画像調整された画像を示すための画像ディレクトリ番号，画像番号及び画像種別と共に、図３１に示すようなプリント情報ユニットとしてＲＡＭ１０６ａに記録し、ステップＳ２４３に進む。
【０６０８】
　ステップＳ２４３では、システムコントローラ１０６が、操作部１０３の操作状態を検出することにより、次に画像調整する画像が指定されたか否かを判別し、Ｎｏの場合はステップＳ２４４に進み、Ｙｅｓの場合は、上記ステップＳ２２９に進む。そして、上記ステップＳ２２９から当該ステップＳ２４３のルーチンで、新たな画像のプリント制御データを形成する。
【０６０９】
　すなわち、このプリント情報ユニットは、画像調整を行った各画像と対応して画像毎に形成されるため、このステップＳ２４３が終了すると、ＲＡＭ１０６ａには画像調整を行った画像の数と同じ数のプリント情報ユニットが記録されることとなる。
【０６１０】
　次に、ステップＳ２４４では、まず、上記ステップＳ２４３でＲＡＭ１０６ａに各画像に対応するように形成された複数のプリント情報ユニットデータをデータ本体として、図３０及び図３１に示すようなファイル構造のプリントデータファイルとして、光ディスク２０に記録する。プリントデータファイルの記録が終了するとステップＳ２４５に進む。
【０６１１】
　具体的には、例えば図１９に示すように新たに「ＰＲＴ００１．ＰＭＯ」のプリントデータファイルを記録する場合を例にあげて説明すると、ＰＲＴ０００．ＰＭＯのプリントデータファイルが光ディスク上に存在するため、プリントデータ管理ファイルの中の「プリントデータファイル総数」のデータには、ファイル総数として「０００１」が記録されている。プリントデータファイルのファイル名の先頭の３文字は「ＰＲＴ」となっており、次の３文字「ｎｎｎ」がプリントデータファイルの形成順に番号として形成されるため、新たに形成したファイル番号は「００１」となる。従って、新たなプリントデータファイルのファイル名は「ＰＲＴ００１．ＰＭＯ」と決定される。このファイルを記録する場合には、システムコントローラ１０６は、ＲＡＭ６ａの中に記録されたデータＵ−ＴＯＣのデータに基づいて、このプリントデータファイルがプリントディレクトリの中に記録されるようにストレージ部１０５を制御する。
【０６１２】
　一方、この新たなプリントデータファイルＰＲＴ００１．ＰＭＯが形成されると、このファイルに対応するプリントデータ管理情報ユニット（図２６（ｂ）参照）が形成される。このプリントデータ管理情報ユニットの中のプリント実行ＩＤには、上記新たに形成されたプリントデータファイルＰＲＴ００１．ＰＭＯに記録されたプリント制御データによりプリンタ装置を制御することを意味する「００ｈ」が記録されるようになっている。
【０６１３】
　なお、既に記録済みのプリントデータファイルＰＲＴ０００．ＰＭＯに対応するプリントデータファイル管理情報ユニットの中には、このプリントデータファイルＰＲＴ０００．ＰＭＯに記録されたプリント制御データによりプリンタ装置を制御しないことを意味する「０１ｈ」が記録されている。また、プリントの際に光ディスクから再生された画像データに画像処理が施されたとしても、該画像データ自体が更新されることはなく、上記実行ＩＤのみが「００ｈ」から「０１ｈ」に更新され、その画像がプリントアウトされたことを示すようになっている。
【０６１４】
　次に、ステップＳ２４５では、システムコントローラ１０６が、上記ＲＡＭ１０６ａに一旦記憶されたプリント制御データを読み出し、このプリント制御データに応じて光ディスク上のデータＵ−ＴＯＣ，総合情報管理ファイル，画像データ管理ファイル，プリントデータ管理ファイルを更新するようにストレージ部１０５を制御してこの図４１に示す全ルーチンを終了する。
【０６１５】
　このように当該携帯用記録再生装置は、画像データと共に、その画像データのプリントを指定するためのプリント制御データを光ディスクに記録することができる。このため、光ディスクを再生するだけで、記録されている画像のうち、どの画像をどのような状態で何枚プリントするか等を簡単に認識可能とすることができる。
【０６１６】
　１６．［静止画像システムにおけるプリント動作］
　上述のように携帯用記録再生装置において、指定された画像データに対してユーザの所望する画像となるように画像処理が施され、この画像処理を示すデータとして複数のプリント制御データが形成され、このプリント制御データがプリントデータファイルとして光ディスク２０に記録される。図１で示す静止画像システムを操作する操作者は、この光ディスク２０を当該静止画像システムに装着し、プリントアウトを指定するだけで、該指定された画像に対してユーザが所望する画像処理が施されプリントアウトが行われるようになっている。
【０６１７】
　このような静止画像システムにおけるプリント動作は、図４２のフローチャートに示すようになっている。このフローチャートは、操作部１０のプリントアウト指定キーがオン操作されることによりスタートとなりステップＳ２０１に進む。
【０６１８】
　ステップＳ２０１では、システムコントローラ６が、ストレージ部５に光ディスク２０が装着されていることを検出し、ステップＳ２０２に進む。
【０６１９】
　次に、上記ステップＳ２０２では、システムコントローラ６が、光ディスク２０上のＰ−ＴＯＣ及びＵ−ＴＯＣを読み込むようにストレージ部５を制御し、これにより転送されるＰ−ＴＯＣ及びＵ−ＴＯＣの各データの有無を検出することにより、ディスク上にＰ−ＴＯＣ及びＵ−ＴＯＣが存在するか否かを判別する。そして、Ｎｏの場合はステップＳ２１８に進みディスクエラーを表示するようにモニタ装置９を表示制御してこの図４２に示す全ルーチンを終了し、Ｙｅｓの場合はステップＳ２０３に進む。
【０６２０】
　ステップＳ２０３では、システムコントローラ６が、Ｐ−ＴＯＣ及びＵ−ＴＯＣを読み込むようにストレージ部５を制御すると共に、データＵ−ＴＯＣの記録位置を確認してステップＳ２０４に進む。
【０６２１】
　ステップＳ２０４では、システムコントローラ６が、上記光ディスク上のデータＵ−ＴＯＣを読み込むようにストレージ部５を制御する。そして、データＵ−ＴＯＣのデータを上記システムコントローラ６のＲＡＭ６ａに一旦記憶し読み出すことにより、各画像ディレクトリ及び各ファイルの位置を把握してステップＳ２０５に進む。
【０６２２】
　上記ステップＳ２０５では、上記システムコントローラ６が、ＲＡＭ６ａに記憶されたデータＵ−ＴＯＣのデータに基づいて、ディレクトリ（ＰＩＣ  ＭＤ）及び総合情報管理ファイルが存在するか否かを判別することにより、上記光ディスクが画像データの記録用にフォーマットされているか否かを判別する。そして、Ｙｅｓの場合はステップＳ２０６に進み、Ｎｏの場合はステップＳ２１９に進みモニタ装置９にディスクエラーを表示するように表示制御してこの図４２に示す全ルーチンを終了する。
【０６２３】
　ステップＳ２０６では、上記システムコントローラ６が、ＲＡＭ６ａに記憶されたデータＵ−ＴＯＣのデータに基づいて、総合情報管理ファイル，画像データ管理ファイル及びプリントデータ管理ファイル等の全ての管理ファイルを読み出すようにストレージ部５を制御すると共に、この読み出された全ての管理ファイルをＲＡＭ６ａに一旦記憶してステップＳ２０７に進む。
【０６２４】
　ステップＳ２０７では、システムコントローラ６が、プリントデータファイルを使用してプリントアウトするか否かを判別する。これは、装着された光ディスク２０にプリントデータファイルとして記録されている複数のプリント制御データによって、自動的にプリント制御してプリントアウトを行うか、又は、図１に示す静止画像システムを操作する操作者が新たに画像を読み出して、上述の［プリント動作］の項で説明したように操作者の所望の画像となるように画像処理を施してプリントアウトを行うかを判断している。従って、このステップＳ２０７においてＹｅｓと判断された場合は、携帯用記録再生装置を制御したユーザが所望する画像は、操作者によって静止画像システムを操作して新たに画像処理を指定することなく自動的にプリントアウトすることができる。
【０６２５】
　この判断の結果、Ｙｅｓの場合はステップＳ２０８に進み、Ｎｏの場合はステップＳ２１９に進んでディスクエラーを表示するようにモニタ装置９を表示制御してこの図４２の全ルーチンを終了する。
【０６２６】
　次に、ステップＳ２０８では、システムコントローラ６が、上記操作部１０の操作状態を検出することにより、プリントデータファイルのファイル名の表示指定がなされたか否かを判別し、Ｙｅｓの場合はステップＳ２２０に進み、Ｎｏの場合は当該ステップＳ２０８を繰り返す。
【０６２７】
　ステップＳ２２０では、システムコントローラ６が、ＲＡＭ６ａに記録されたデータＵ−ＴＯＣのデータとプリントデータ管理ファイルのデータに基づいて、図１９に示すようにプリントディレクトリの中にプリントデータファイルとして記録されている「ＰＲＴ０００．ＰＭＯ」と「ＰＲＴ００１．ＰＭＯ」のファイル名を表示してステップＳ２０９に進む。このとき、プリントデータ管理ファイルの中に記録されているプリント実行ＩＤのデータを同時に表示するようにしている。すなわち、この場合は、プリントデータファイルＰＲＴ０００．ＰＭＯに対応するプリント実行ＩＤには、このプリントデータファイルを使用して既にプリントアウト制御が行われているため、プリントアウトが実行されたことを示す「０１ｈ」が記録されている。従って、この場合は、モニタ装置９の画面上には例えば「ＰＲＴ００１．ＰＭＯ　ＵＳＥＤ」のような文字が表示されるようになっている。
【０６２８】
　また、プリントデータファイルＰＲＴ００１．ＰＭＯに対応するプリント実行ＩＤには、未だこのプリントデータファイルを使用してプリント制御が行われていないため、プリントアウトが未だ実行されていないことを示す「００ｈ」が記録されている。従って、この場合は、モニタ装置９の画面上には、例えば「ＰＲＴ０００．ＰＭＯ　ＵＮＵＳＥＤ」のような文字が表示されるようになっている。
【０６２９】
　このため、図１で示す静止画像システムを操作する操作者は、このプリントデータファイル名とプリント実行ＩＤを表示することにより、ユーザが希望するプリント制御データが、どのプリントデータファイルに記録されているかを判断することができる。また、今までどのようなプリントデータファイルがユーザにより形成されたかを判断する履歴情報としても利用することができる。
【０６３０】
　次に、上記ステップＳ２０９では、システムコントローラ６が、操作部１０の操作状態を検出することにより、プリントデータファイル（この場合は上記ＰＲＴ００１．ＰＭＯ）の指定があるか否かを判別し、Ｎｏの場合は該指定がなされるまでこのステップＳ２０９を繰り返し、Ｙｅｓの場合はステップＳ２１０に進む。
【０６３１】
　ステップＳ２１０では、システムコントローラ６が、ＲＡＭ６ａに記憶されたデータＵ−ＴＯＣのデータに基づいて、指定されたプリントデータファイルＰＲＴ００１．ＰＭＯがファイルエクステンツエリア内のどの位置に記録されているかを検索する。
【０６３２】
　ステップＳ２１１では、システムコントローラ６が、検索されたプリントデータファイルを光ディスクから再生し、このプリントデータファイルに記録されているプリント制御データをプリント情報ユニット毎に読み出すようにストレージ部５を制御する。また、この読み出されたプリント制御データは、プリント情報ユニット毎にＲＡＭ６ａに記憶されステップＳ２１２に進む。
【０６３３】
　ステップＳ２１２では、システムコントローラ６が、ＲＡＭ６ａの総合管理情報ファイル及び画像データ管理ファイルのデータに基づいて、上記ＲＡＭ６ａに記録された最初のプリント情報ユニットに記録された画像ディレクトリ番号（ｍ），画像番号（ｎ），画像種別（ＰＨＰ）に各データに対応した画像ファイルの記録位置を検索する。この場合は、画像ディレクトリ「ＰＩＣ００００ｍ」の中の高解像度画像ファイル「ＰＨＰ００００ｎ．ＰＭＸ」のファイルの記録位置を検索することとなる。
【０６３４】
　次に、システムコントローラ６が、検索された高解像度画像ファイルに含まれる高解像度画像データを光ディスク２０から再生するように上記ストレージ部５を制御してステップＳ２１３に進む。
【０６３５】
　ステップＳ２１３では、システムコントローラ６が、ＲＡＭ６ａに記憶された最初のプリント情報ユニットに記憶された図３１に示すような切り出しＩＤ，切り出し開始位置，切り出しサイズ，回転ＩＤ，ミラーＩＤ，印刷ＩＤ，キャプションＩＤ，キャプション種別，色加工内ＩＤ，ＲＧＢの各ゲイン，コントラスト，ブライトネス，シャープネス，サチュレーション，ヒュー等のプリント制御データに応じた画像処理を施すように、上記画像処理ブロック４を制御してステップＳ２１４に進む。
【０６３６】
　このステップにおける一例として、上記キャプションＩＤ及びキャプション種別に基づいて、キャプションデータを画像データに重畳する例を以下に説明する。
【０６３７】
　このキャプション種別には、「名称テーブル」を示すテーブルＩＤとしては「１１ｈ」が記録され、「コメントテーブル」を示すテーブルＩＤとしては「１２ｈ」が記録され、「記録日時テーブル」を示すテーブルＩＤとしては「１４ｈ」が記録されるようになっている。
【０６３８】
　ここで、キャプション種別として「１１ｈ」が記録されているものとすると、システムコントローラ６は、この「１１ｈ」のデータに基づいてステップＳ２１２で読み出された高解像度画像ファイルのヘッダに記録されている名称テーブルを読み出し、この名称テーブルにアスキーコードで記録されているファイル名のキャプションデータを、上記画像処理ブロック４に転送するように制御する。画像処理ブロック４では、このキャプションデータを、指定された画像データに重畳するように画像処理を行う。
【０６３９】
　ステップＳ２１４では、システムコントローラ６が、上記プリント制御データに基づいて画像処理された高解像度画像データを上記プリンタ部２に転送する。そして、上記プリンタ部２において、上記プリント制御データに基づいて画像処理された高解像度画像データに対応する画像がプリントアウトされステップＳ２１５に進む。
【０６４０】
　ステップＳ２１５では、システムコントローラ６が、上記プリント制御データに基づいて、次にプリントアウトする画像があるか否かを判別する。
【０６４１】
　すなわち、このステップＳ２１５では、システムコントローラ６が、ＲＡＭ６ａに記憶されたプリントデータファイルの総数に基づいて、次にプリントアウトする画像があるか否かを判別する。ステップＳ２１４でプリント処理した枚数がプリント総数と一致しているのであれば、次にプリントアウトする画像はないものと判断されステップＳ２１６に進む。
【０６４２】
　一方、ステップＳ２１４でプリント処理した枚数がプリント総数と一致していない場合は、次の画像データをプリントアウトするために、システムコントローラ６が、ＲＡＭ６ａに記録された次のプリント情報ユニットに記録された画像ディレクトリ番号，画像番号及び画像種別の各データを参照してステップＳ２１２に戻る。
【０６４３】
　この後は同様に、指定されたプリントデータファイルに登録された全ての画像データのプリントアウトが終了するまで、ステップＳ２１２からステップＳ２１５が繰り返され、全ての画像データのプリントアウトが終了するとステップＳ２１６に進む。
【０６４４】
　上記ステップＳ２１５までは、ＲＡＭ６ａのプリントデータ管理ファイルには、プリントデータファイルＰＲＴ００１．ＰＭＯに対応するプリント実行ＩＤとして「０１ｈ」のデータが記録されている。ステップＳ２１６では、この「０１ｈ」として記録されているプリント実行ＩＤのデータを、プリントアウトが実行されたことを示す「００ｈ」のデータに書き換える。このようにプリント実行ＩＤを書き換えるのは、このプリントデータファイルＰＲＴ００１．ＰＭＯを使用して画像がプリントアウトされたことを明確化するためである。これにより、次回に、例えば携帯用記録再生装置でユーザが新たにプリントデータファイルＰＲＴ００２．ＰＭＯのプリントアウトを希望していた場合に、静止画像システムを操作する操作者が誤ってプリントデータファイルＰＲＴ００１．ＰＭＯ等の他のプリントデータファイルをプリントアウトするような不都合を防止することができる。
【０６４５】
　ステップＳ２１７では、上記ステップＳ２１６においてＲＡＭ６ａ上のプリント管理ファイルのプリント実行ＩＤを書き換えたため、システムコントローラ６が、このプリント管理ファイルのデータを光ディスク２０上のプリント管理ファイルのデータにオーバーライトして該ＩＤを更新するようにストレージ部５を制御する。そして、以上でこの図４２に示すフローチャートの全ルーチンを終了する。
【０６４６】
　このように、上記光ディスク２０にプリント制御データを記録しておくことにより、当該静止画像システムにおいて、プリントアウトの設定を行うことなく、ユーザ所望の静止画像をプリントアウトすることができる。
【０６４７】
　従来、静止画像を得る方式としては、図４３に示すようにユーザが例えば３５ｍｍの写真用フィルムを装着したカメラ装置を用いて被写体の撮像することにより形成された撮像済みの写真用フィルムを店舗に持参し、フィルムの現像を指定すると共に、プリント枚数や色加工の指定等のリクエストを行い、店舗側がこれを現像所に伝えることにより、再度店舗側を介してユーザにネガフィルム及び写真が渡されるのが一般的であった。そして、このような方式では、入手経路が複雑であるうえ、ユーザからのリクエストが現像所側に正確に伝わらず所望の静止画像が入手できない等の不都合があった。
【０６４８】
　しかし、本発明に係る携帯用記録再生装置においては、ユーザが上述の携帯用記録再生装置を用いて画像データ及び該画像データのプリント制御データを光ディスクに記録することにより、その画像をプリントする際におけるユーザのリクエストが記録されることとなる。このため、静止画像システムを有する店舗側に持参することにより、ユーザがプリントに対するリクエストを行わずとも、光ディスクを再生することによりプリントに対するリクエストを認識することができ、該静止画像システムのプリンタ装置でユーザのリクエストに応じた静止画像をプリントアウトすることができる。
【０６４９】
　従って、ユーザが上述の携帯用記録再生装置を持ち、店舗側が上述の静止画像システムを持つことにより、図４４に示すように現像所側を省略した全く新しい静止画像の入手システムを実現することができる。しかも、当該携帯用記録再生装置及び静止画像システムでは、光ディスクとして光磁気ディスクを用いているため、画像データ及びプリント制御データの書き換えを何度でも行うことができ、利便性に優れた商品を提供することができる。
【０６５０】
　以上の説明から明かなように、本発明によれば、記録媒体に画像データと共に、その画像のプリント枚数、色指定等のプリント制御データをも記録することができるため、全く新しい静止画像の入手システムを実現することができる。
【図面の簡単な説明】
【０６５１】
【図１】本発明を適用した静止画像システムのブロック図である。
【図２】上記静止画像システムに設けられているスキャナ部のブロック図である。
【図３】上記静止画像システムに設けられているプリンタ部のブロック図である。
【図４】上記静止画像システムに設けられている画像処理ブロックのブロック図である。
【図５】上記静止画像システムに設けられている間引き，圧縮／伸張ブロックのブロック図である。
【図６】上記静止画像システムに設けられているストレージ部のブロック図である。
【図７】上記静止画像システムに設けられているビデオ入力部のブロック図である。
【図８】上記静止画像システムに設けられている操作部の外観を示す図である。
【図９】上記光ディスクに記録された画像データのデータ構造を説明するための図である。
【図１０】データＵ−ＴＯＣに形成されるマネージメントブロックを説明するための図である。
【図１１】ボリュームディスクリプタのセクタ構造を説明するための図である。
【図１２】ボリュームスペースビットマップのセクタ構造を説明するための図である。
【図１３】アロケーションブロックの構成を説明するための図である。
【図１４】マネージメントテーブルのセクタ構造を説明するための図である。
【図１５】マネージメントテーブルに記録される各データを説明するための図である。
【図１６】ディレクトリ用ディレクトリレコードのセクタ構造を説明するための図である。
【図１７】ファイル用ディレクトリレコードのセクタ構造を説明するための図である。
【図１８】エクステントレコードブロックのセクタ構造を説明するための図である。
【図１９】上記静止画像システムにおいて、各解像度毎の画像データを管理するための階層ディレクトリ構造を説明するための図である。
【図２０】上記マネージメントブロックを構成するＤＲＢ及びＥＲＢを説明するための図である。
【図２１】上記マネージメントブロックを構成するＥＲＢの構成を説明するための図である。
【図２２】上記階層ディレクトリ構造におけるフォーマットテーブルを説明するための図である。
【図２３】上記階層ディレクトリ構造における画像パラメータテーブルを説明するための図である。
【図２４】上記階層ディレクトリ構造における総合情報管理ファイルを説明するための図である。
【図２５】上記階層ディレクトリ構造における画像データ管理ファイルを説明するための図である。
【図２６】上記階層ディレクトリ構造におけるプリントデータ管理ファイルを説明するための図である。
【図２７】上記階層ディレクトリ構造における画像データファイルを説明するための図である。
【図２８】上記階層ディレクトリ構造における総合インデックスファイルを説明するための図である。
【図２９】上記階層ディレクトリ構造における画像インデックスファイルを説明するための図である。
【図３０】上記階層ディレクトリ構造におけるプリントデータファイルを説明するための図である。
【図３１】上記プリントデータファイルに含まれるプリント情報ユニットのデータ内容であるプリント制御データを説明するための図である。
【図３２】上記静止画像システムにおける前半の記録動作を説明するためのフローチャートである。
【図３３】上記静止画像システムにおける後半の記録動作を説明するためのフローチャートである。
【図３４】上記静止画像システムにおける各解像度毎の画像データの記録動作を説明するためのフローチャートである。
【図３５】上記静止画像システムにおける総合インデックスファイルの前半の形成動作を説明するためのフローチャートである。
【図３６】上記静止画像システムにおける総合インデックスファイルの後半の形成動作を説明するためのフローチャートである。
【図３７】上記静止画像システムにおける再生動作を説明するためのフローチャートである。
【図３８】上記静止画像システムにおける指定された画像データの検索動作を説明するためのフローチャートである。
【図３９】上記静止画像システムにおける画像データの編集動作を説明するためのフローチャートである。
【図４０】本発明を適用した携帯用記録再生装置のブロック図である。
【図４１】上記携帯用記録再生装置の記録再生動作を説明するためのフローチャートである。
【図４２】上記静止画像システムにおけるプリント動作を説明するためのフローチャートである。
【図４３】従来の静止画像の入手システムを説明するための図である。
【図４４】本発明により実現される新規な静止画像の入手システムを説明するための図である。
【符号の説明】
【０６５２】
　１００　ビデオ入力部、１０１　表示部、１０２　画像処理ブロック、１０３　操作部、１０４　圧縮伸張処理ブロック、１０５　ストレージ部、１０６　システムコントローラ、１０６ａ　ＲＡＭ、１０７　バスライン
【図１】
2004040829.tif 000003
【図２】
2004040829.tif 000004
【図３】
2004040829.tif 000005
【図４】
2004040829.tif 000006
【図５】
2004040829.tif 000007
【図６】
2004040829.tif 000008
【図７】
2004040829.tif 000009
【図８】
2004040829.tif 000010
【図９】
2004040829.tif 000011
【図１０】
2004040829.tif 000012
【図１１】
2004040829.tif 000013
【図１２】
2004040829.tif 000014
【図１３】
2004040829.tif 000015
【図１４】
2004040829.tif 000016
【図１５】
2004040829.tif 000017
【図１６】
2004040829.tif 000018
【図１７】
2004040829.tif 000019
【図１８】
2004040829.tif 000020
【図１９】
2004040829.tif 000021
【図２０】
2004040829.tif 000022
【図２１】
2004040829.tif 000023
【図２２】
2004040829.tif 000024
【図２３】
2004040829.tif 000025
【図２４】
2004040829.tif 000026
【図２５】
2004040829.tif 000027
【図２６】
2004040829.tif 000028
【図２７】
2004040829.tif 000029
【図２８】
2004040829.tif 000030
【図２９】
2004040829.tif 000031
【図３０】
2004040829.tif 000032
【図３１】
2004040829.tif 000033
【図３２】
2004040829.tif 000034
【図３３】
2004040829.tif 000035
【図３４】
2004040829.tif 000036
【図３５】
2004040829.tif 000037
【図３６】
2004040829.tif 000038
【図３７】
2004040829.tif 000039
【図３８】
2004040829.tif 000040
【図３９】
2004040829.tif 000041
【図４０】
2004040829.tif 000042
【図４１】
2004040829.tif 000043
【図４２】
2004040829.tif 000044
【図４３】
2004040829.tif 000045
【図４４】
2004040829.tif 000046